(57)【要約】【課題】  複数のコンデンサ間に応力が集中することが抑制された積層コンデンサアレイを提供すること。【解決手段】  積層コンデンサアレイのコンデンサ素体Ｌ１は、相対向する長方形状の第１の及び第２の主面Ｌ１ａ、Ｌ１ｂを有する。複数の誘電体層１０〜１８が積層されたコンデンサ素体Ｌ１には、第１及び第２の内部電極２１、２２、２５、２６を含む第１の電極群２０と、第３及び第４の内部電極３１、３２、３５、３６を含む第２の電極群３０とが併置されている。第１の電極群２０と第２の電極群３０との間の第１及び第２の主面Ｌ１ａ、Ｌ１ｂの対向方向に平行な基準面Ｓに、第１及び第３の内部電極２１、２２、３１、３２は接するように配置されている。一方、第２及び第４の内部電極２５、２６、３５、３６は、基準面Ｓから所定距離離れて配置されている。【選択図】  図２
2008251931.tif 000002
【特許請求の範囲】
【請求項１】
相対向する長方形状の第１の及び第２の主面と、前記第１及び第２の主面間を連結するように前記第１及び第２の主面の短辺方向に伸びている第１及び第２の端面と、前記第１及び第２の主面間を連結するように前記第１及び第２の主面の長辺方向に伸びている第１及び第２の側面とを有し、且つ誘電特性を有するコンデンサ素体と、
前記コンデンサ素体の外表面に配置された第１、第２、第３、及び第４の端子電極と、を備え、
前記コンデンサ素体には、第１の内部電極と第２の内部電極とを含む第１の電極群と、第３の内部電極と第４の内部電極とを含む第２の電極群とが、前記コンデンサ素体の前記第１及び第２の主面の対向方向と直交する方向に併置されており、
前記第１の内部電極は、前記第１の端子電極に接続され、
前記第２の内部電極は、前記第２の端子電極に接続され、
前記第３の内部電極は、前記第３の端子電極に接続され、
前記第４の内部電極は、前記第４の端子電極に接続され、
前記第１及び第２の内部電極は、前記コンデンサ素体の一部を間に挟んで前記第１及び第２の主面の対向方向に沿って対向するように前記コンデンサ素体内に配置され、
前記第３及び第４の内部電極は、前記コンデンサ素体の一部を間に挟んで前記第１及び第２の主面の対向方向に沿って対向するように前記コンデンサ素体内に配置され、
前記第１の電極群と前記第２の電極群との間の前記第１及び第２の主面の前記対向方向に平行な基準面に対して、
前記第１及び第３の内部電極は、前記基準面と接するように配置され、
前記第２及び第４の内部電極は、前記基準面から所定距離離れて配置されていることを特徴とする積層コンデンサアレイ。
【請求項２】
前記第１及び第２の内部電極の少なくとも何れか一方は、前記第１及び第２の主面の対向方向において前記第３及び第４の内部電極の何れとも異なる位置に配置されていることを特徴とする請求項１記載の積層コンデンサアレイ。
【請求項３】
前記第１の電極群は、前記第１及び第２の主面の対向方向に沿って配置された複数の前記第１及び第２の内部電極を含み、
前記複数の第１及び第２の内部電極は、前記第１及び第２の主面の対向方向で見て隣り合って配置されている２以上の第１の内部電極、あるいは前記第１及び第２の主面の対向方向で見て隣り合って配置されている２以上の第２の内部電極の少なくとも何れか一方を含むことを特徴とする請求項１又は２記載の積層コンデンサアレイ。
【請求項４】
前記第２の電極群は、前記第１及び第２の主面の対向方向に沿って配置された複数の前記第３及び第４の内部電極を含み、
前記複数の第３及び第４の内部電極は、前記第１及び第２の主面の対向方向で見て隣り合って配置されている２以上の第３の内部電極、あるいは前記第１及び第２の主面の対向方向で見て隣り合って配置されている２以上の第４の内部電極の少なくとも何れか一方を含むことを特徴とする請求項１〜３の何れか一項記載の積層コンデンサアレイ。
【発明の詳細な説明】
【技術分野】
【０００１】
本発明は、積層コンデンサアレイに関する。
【背景技術】
【０００２】
従来積層コンデンサアレイとして、複数の内部電極が並設された内部電極層と誘電体層とが交互に積層されたコンデンサ素体と、当該コンデンサ素体に形成された複数の端子電極とを備えたものが知られている（例えば、特許文献１参照）。
【０００３】
特許文献１に記載の積層コンデンサアレイを内部電極の対向方向で見た場合、各内部電極層において複数の内部電極が一定の距離離れて並設されている。そのため、内部電極の対向方向で見た場合、対向する複数の内部電極同士の間に内部電極を有さない領域が存在する。すなわち、対向する内部電極によって積層コンデンサアレイには複数のコンデンサが形成され、これら複数のコンデンサは、対向する内部電極同士の間の内部電極を有さない領域によって明確に分離されることとなる。
【特許文献１】特開２０００−３３１８７９号公報
【発明の開示】
【発明が解決しようとする課題】
【０００４】
しかしながら、特許文献１に記載の積層コンデンサアレイに電圧を印加した場合、複数のコンデンサそれぞれに印加電圧に応じた歪みが生じ、コンデンサの間の内部電極を有さない領域には各コンデンサの歪みによって生じる応力が集中してしまう。
【０００５】
本発明は、複数のコンデンサ間に応力が集中することが抑制された積層コンデンサアレイを提供することを課題とする。
【課題を解決するための手段】
【０００６】
本発明に係る積層コンデンサアレイは、相対向する長方形状の第１の及び第２の主面と、第１及び第２の主面間を連結するように第１及び第２の主面の短辺方向に伸びている第１及び第２の端面と、第１及び第２の主面間を連結するように第１及び第２の主面の長辺方向に伸びている第１及び第２の側面とを有し、且つ誘電特性を有するコンデンサ素体と、コンデンサ素体の外表面に配置された第１、第２、第３、及び第４の端子電極と、を備え、コンデンサ素体には、第１の内部電極と第２の内部電極とを含む第１の電極群と、第３の内部電極と第４の内部電極とを含む第２の電極群とが、コンデンサ素体の第１及び第２の主面の対向方向と直交する方向に併置されており、第１の内部電極は、第１の端子電極に接続され、第２の内部電極は、第２の端子電極に接続され、第３の内部電極は、第３の端子電極に接続され、第４の内部電極は、第４の端子電極に接続され、第１及び第２の内部電極は、コンデンサ素体の一部を間に挟んで第１及び第２の主面の対向方向に沿って対向するようにコンデンサ素体内に配置され、第３及び第４の内部電極は、コンデンサ素体の一部を間に挟んで第１及び第２の主面の対向方向に沿って対向するようにコンデンサ素体内に配置され、第１の電極群と第２の電極群との間の第１及び第２の主面の対向方向に平行な基準面に対して、第１及び第３の内部電極は、基準面と接するように配置され、第２及び第４の内部電極は、基準面から所定距離離れて配置されていることを特徴とする。
【０００７】
上記積層コンデンサアレイでは、第１の電極群に含まれる第１及び第２の内部電極が対向してコンデンサを形成し、第２の電極群に含まれる第３及び第４の内部電極が対向してコンデンサを形成している。そして、第１の電極群に含まれる第１の内部電極と第２の電極群に含まれる第３の内部電極とが、第１及び第２の電極群の間の基準面に接するように配置されている。そのため、第１及び第２の内部電極によって形成されるコンデンサ、並びに第３及び第４の内部電極によって形成されるコンデンサに電圧が印加され、それぞれのコンデンサに電歪が生じた場合であっても、第１及び第３の内部電極が基準面と接するように配置されているため、コンデンサの間の基準面付近にも電歪が発生する。これにより、基準面付近に応力が集中することが抑制される。また、対向する第１及び第２の内部電極、並びに対向する第３及び第４の内部電極がそれぞれ、基準面から所定距離離れて位置する内部電極を有している。そのため、基準面付近において過度に歪みを生じることが抑制される。
【０００８】
第１及び第２の内部電極の少なくとも何れか一方は、第１及び第２の主面の対向方向において第３及び第４の内部電極の何れとも異なる位置に配置されていることが好ましい。この場合、第１及び第２の内部電極は何れも、第１及び第２の主面の対向方向において同じ位置に配置される第３又は第４の内部電極を有さない。また、第３及び第４の内部電極は何れも、第１及び第２の主面の対向方向において同じ位置に配置される第１又は第２の内部電極を有さない。したがって、積層コンデンサアレイは、内部電極間の間隔を大きくとれる部分を有するため、電歪によって発生する振動を抑制することが可能となる。
【０００９】
第１の電極群は、第１及び第２の主面の対向方向に沿って配置された複数の第１及び第２の内部電極を含み、複数の第１及び第２の内部電極は、第１及び第２の主面の対向方向で見て隣り合って配置されている２以上の第１の内部電極、あるいは第１及び第２の主面の対向方向で見て隣り合って配置されている２以上の第２の内部電極の少なくとも何れか一方を含むことが好ましい。第２の電極群は、第１及び第２の主面の対向方向に沿って配置された複数の第３及び第４の内部電極を含み、複数の第３及び第４の内部電極は、第１及び第２の主面の対向方向で見て隣り合って配置されている２以上の第３の内部電極、あるいは第１及び第２の主面の対向方向で見て隣り合って配置されている２以上の第４の内部電極の少なくとも何れか一方を含むことが好ましい。同極性の内部電極が隣接して対向している箇所では、積層コンデンサアレイに電圧を印加したとしても電界は生じない。したがって、その分、電歪によって発生する積層コンデンサアレイの振動は抑制される。
【発明の効果】
【００１０】
本発明によれば、複数のコンデンサ間に応力が集中することが抑制された積層コンデンサアレイを提供することができる。
【発明を実施するための最良の形態】
【００１１】
以下、添付図面を参照して、好適な実施形態について詳細に説明する。なお、説明において、同一要素又は同一機能を有する要素には、同一符号を用いることとし、重複する説明は省略する。なお、以下の断面図において、誘電体層に相当する領域のハッチングは見易さのため省略している。
（第１実施形態）
【００１２】
図１〜図３を参照して、第１実施形態に係る積層コンデンサアレイＣＡ１の構成について説明する。図１は、第１実施形態に係る積層コンデンサアレイの斜視図である。図２は、第１実施形態に係る積層コンデンサアレイに含まれるコンデンサ素体の分解斜視図である。図３は、図１に示した積層コンデンサアレイのIII−III矢印断面の構成を説明するための図である。
【００１３】
第１実施形態に係る積層コンデンサアレイＣＡ１は、図１に示されるように、コンデンサ素体Ｌ１と、コンデンサ素体Ｌ１の外表面に配置された第１〜第４の端子電極１〜４とを備える。第１〜第４の端子電極１〜４は、例えば導電性金属粉末及びガラスフリットを含む導電性ペーストをコンデンサ素体の外表面の付与し、焼き付けることによって形成される。必要に応じて、焼き付けられた端子電極の上にめっき層が形成されることもある。これらの第１〜第４の端子電極１〜４は、コンデンサ素体Ｌ１の表面上においては互いに電気的に絶縁されて形成されている。
【００１４】
コンデンサ素体Ｌ１は、図１に示されるように、直方体状であり、互いに対向する長方形状の第１及び第２の主面Ｌ１ａ、Ｌ１ｂと、第１及び第２の主面Ｌ１ａ、Ｌ１ｂ間を連結するように第1及び第２の主面の短辺方向に伸び且つ互いに対向する第１及び第２の端面Ｌ１ｃ、Ｌ１ｄと、第1及び第２の主面Ｌ１ａ、Ｌ１ｂ間を連結するように第1及び第２の主面Ｌ１ａ、Ｌ１ｂの長辺方向に伸び且つ互いに対向する第１及び第２の側面Ｌ１ｅ、Ｌ１ｆと、を有する。
【００１５】
第１及び第３の端子電極１、３は、コンデンサ素体Ｌ１の第１の側面Ｌ１ｅに配置されている。第１及び第３の端子電極１、３はこの順で、第１の端面Ｌ１ｃ側から第２の端面Ｌ１ｄ側に向かって配置されている。第２及び第４の端子電極２、４は、コンデンサ素体Ｌ１の第１の側面１ｅと対向する第２の側面Ｌ１ｆに配置されている。第２及び第４の端子電極２、４はこの順で、第１の端面Ｌ１ｃ側から第２の端面Ｌ１ｄ側に向かって配置されている。
【００１６】
第１の端子電極１と第２の端子電極２とは、第１の側面Ｌ１ｅと第２の側面Ｌ１ｆとが対向する方向で対向する。第３の端子電極３と第４の端子電極４とは、第１の側面Ｌ１ｅと第２の側面Ｌ１ｆとが対向する方向で対向する。
【００１７】
コンデンサ素体Ｌ１は、図２に示されるように、積層された複数（本実施形態では、８層）の誘電体層１０〜１８を有する。各誘電体層１０〜１８は、例えば誘電体セラミックを含むセラミックグリーンシートの焼結体から構成される。なお、実際の積層コンデンサアレイＣＡ１では、誘電体層１０〜１８の間の境界が視認できない程度に一体化されている。
【００１８】
図２に示されているように、コンデンサ素体Ｌ１には、第１及び第２の電極群２０、３０が含まれている。第１の電極群２０は、複数（本実施形態では、各２層）の第１及び第２の内部電極２１、２２、２５、２６を有する。第２の電極群３０は、複数（本実施形態では、各２層）の第３及び第４の内部電極３１、３２、３５、３６を有する。第１の電極群２０と第２の電極群３０とは、コンデンサ素体Ｌ１内において第１及び第２の主面Ｌ１ａ、Ｌ１ｂの対向方向と直交する方向に、すなわちコンデンサ素体Ｌ１の第１及び第２の端面Ｌ１ｃ、Ｌ１ｄの対向方向に沿って併置されている。具体的には、第１の電極群２０が第１の端面Ｌ１ｃ側に、第２の電極群３０が第２の端面Ｌ１ｄ側に配置されている。各内部電極２１、２２、２５、２６、３１、３２、３５、３６は、例えば、導電性ペーストの焼結体から構成される。
【００１９】
第１の電極群２０に含まれる第１及び第２の内部電極２１、２２、２５、２６は、第１の主面Ｌ１ａから第２の主面Ｌ１ｂに向かって、第２の内部電極２５、第１の内部電極２１、第２の内部電極２６、第１の内部電極２２の順で配置されている。第２の電極群３０に含まれる第３及び第４の内部電極３１、３２、３５、３６は、第１の主面Ｌ１ａから第２の主面Ｌ１ｂに向かって、第３の内部電極３１、第４の内部電極３５、第３の内部電極３２、第４の内部電極３６の順で配置されている。
【００２０】
コンデンサ素体Ｌ１内において、第１の内部電極２１、２２は何れも、第１及び第２の主面Ｌ１ａ、Ｌ１ｂの対向方向において第３及び第４の内部電極３１、３２、３５、３６の何れとも異なる位置に配置されている。コンデンサ素体Ｌ１内において、第２の内部電極２５、２６は何れも、第１及び第２の主面Ｌ１ａ、Ｌ１ｂの対向方向において第３及び第４の内部電極３１、３２、３５、３６の何れとも異なる位置に配置されている。
【００２１】
第１及び第２の内部電極２１、２５は、コンデンサ素体Ｌ１の一部である一層の誘電体層１１を間に挟んで、第１及び第２の主面Ｌ１ａ、Ｌ１ｂの対向方向に沿って互いに対向している。第１及び第２の内部電極２２、２６は、コンデンサ素体Ｌ１の一部である一層の誘電体層１５を間に挟んで、第１及び第２の主面Ｌ１ａ、Ｌ１ｂの対向方向に沿って互いに対向している。
【００２２】
１層の誘電体層を間に挟んで対向している第１及び第２の内部電極は、第１及び第２の内部電極２１、２５の組と、第１及び第２の内部電極２２、２６の組である。第１及び第２の内部電極２１、２６は、第１及び第２の内部電極２１、２５の間、及び第１及び第２の内部電極２２、２６の間に位置する内部電極の数より多い３層の誘電体層１２、１３、１４を間に挟んで、第１及び第２の主面Ｌ１ａ、Ｌ１ｂの対向方向に沿って対向している。
【００２３】
第３及び第４の内部電極３１、３５は、コンデンサ素体Ｌ１の一部である一層の誘電体層１３を間に挟んで、第１及び第２の主面Ｌ１ａ、Ｌ１ｂの対向方向に沿って対向している。第３及び第４の内部電極３２、３６は、コンデンサ素体Ｌ１の一部である一層の誘電体層１７を間に挟んで、第１及び第２主面Ｌ１ａ、Ｌ１ｂの対向方向に沿って対向している。
【００２４】
１層の誘電体層を間に挟んで対向している第３及び第４の内部電極は、第３及び第４の内部電極３１、３５の組と、第３及び第４の内部電極３２、３６の組である。第３及び第４の内部電極３２、３５は、第３及び第４の内部電極３１、３５の間、及び第３及び第４の内部電極３２、３６の間に位置する内部電極の数より多い３層の誘電体層１４、１５、１６を間に挟んで、第１及び第２の主面Ｌ１ａ、Ｌ１ｂの対向方向に沿って対向している。
【００２５】
第１の内部電極２１、２２は、四辺がそれぞれ第１及び第２の短面Ｌ１ｃ、Ｌ１ｄ、並びに第１及び第２の側面Ｌ１ｅ、Ｌ１ｆと平行な四辺形状の主電極部２１ａ、２２ａと、主電極部２１ａ、２２ａから第１の側面Ｌ１ｅに露出するように伸びる引き出し部２１ｂ、２２ｂとを含んでいる。第１の側面Ｌ１ｅに露出する引き出し部２１ｂ、２２ｂは、第１の端子電極１に物理的に接続される。すなわち、第１の内部電極２１、２２は、第１の端子１に接続される。
【００２６】
第２の内部電極２５、２６は、四辺がそれぞれ第１及び第２の短面Ｌ１ｃ、Ｌ１ｄ、並びに第１及び第２の側面Ｌ１ｅ、Ｌ１ｆと平行な四辺形状の主電極部２５ａ、２６ａと、主電極部２５ａ、２６ａから第２の側面Ｌ１ｆに露出するように伸びる引き出し部２５ｂ、２６ｂとを含んでいる。第２の側面Ｌ１ｆに露出する引き出し部２５ｂ、２６ｂは、第２の端子電極２に物理的に接続される。すなわち、第２の内部電極２５、２６は、第２の端子２に接続される。
【００２７】
第３の内部電極３１、３２は、四辺がそれぞれ第１及び第２の短面Ｌ１ｃ、Ｌ１ｄ、並びに第１及び第２の側面Ｌ１ｅ、Ｌ１ｆと平行な四辺形状の主電極部３１ａ、３２ａと、主電極部３１ａ、３２ａから第１の側面Ｌ１ｅに露出するように伸びる引き出し部３１ｂ、３２ｂとを含んでいる。第１の側面Ｌ１ｅに露出する引き出し部３１ｂ、３２ｂは、第３の端子電極３に物理的に接続される。すなわち、第３の内部電極３１、３２は、第３の端子３に接続される。
【００２８】
第４の内部電極３５、３６は、四辺がそれぞれ第１及び第２の短面Ｌ１ｃ、Ｌ１ｄ、並びに第１及び第２の側面Ｌ１ｅ、Ｌ１ｆと平行な四辺形状の主電極部３５ａ、３６ａと、主電極部３５ａ、３６ａから第２の側面Ｌ１ｆに露出するように伸びる引き出し部３５ｂ、３６ｂとを含んでいる。第２の側面Ｌ１ｆに露出する引き出し部３５ｂ、３６ｂは、第４の端子電極４に物理的に接続される。すなわち、第４の内部電極３５、３６は、第４の端子４に接続される。
【００２９】
図２及び図３に示されているように、仮想的な基準面Ｓとして、第１及び第２の主面Ｌ１ａ、Ｌ１ｂの対向方向に平行な仮想面を考える。基準面Ｓに基づいて考えると、第１及び第２の電極群２０、３０は基準面Ｓに直交する方向に沿って併置されている。基準面Ｓに直交する方向とは、第１及び第２の主面Ｌ１ａ、Ｌ１ｂの対向方向と直交する方向に相当する。すなわち、コンデンサ素体１内において、第１及び第２の内部電極２１、２２、２５、２６は基準面Ｓに対し第１の端面Ｌ１ｃ側に、第３及び第４の内部電極３１、３２、３５、３６は基準面Ｓに対し第２の端面Ｌ１ｄ側にそれぞれ配置されている。
【００３０】
第１の内部電極２１、２２は基準面Ｓと接するように配置されている。具体的には、第１の内部電極２１、２２の主電極部２１ａ、２２ａの第２の端面Ｌ１ｄ側の辺が基準面Ｓにそれぞれ接する。
【００３１】
第２の内部電極２５、２６は基準面Ｓから所定距離離れて配置されている。具体的には、第２の内部電極２５、２６の主電極部２５ａ、２６ａの第２の端面Ｌ１ｄ側の辺が、基準面Ｓから第１の端面Ｌ１ｃ側に所定距離Ｄ１離れて配置されている。
【００３２】
第３の内部電極３１、３２は基準面Ｓと接するように配置されている。具体的には、第３の内部電極３１、３２の主電極部３１ａ、３２ａの第１の端面Ｌ１ｃ側の辺が基準面Ｓにそれぞれ接する。
【００３３】
第４の内部電極３５、３６は基準面Ｓから所定距離離れて配置されている。具体的には、第４の内部電極３５、３６の主電極部３５ａ、３６ａの第１の端面Ｌ１ｃ側の辺が、基準面Ｓから第２の端面Ｌ１ｄ側に所定距離Ｄ２離れて配置されている。
【００３４】
積層コンデンサアレイＣＡ１では、第１及び第２の内部電極２１、２５が誘電体層１１を間に挟んで、第１及び第２の内部電極２２、２６が誘電体層１５を間に挟んで対向している。積層コンデンサアレイＣＡ１ではさらに、第１及び第２の内部電極２１、２６が誘電体層１２、１３、１４を間に挟んで対向している。したがって、第１及び第２の内部電極２１、２２、２５、２６は静電容量Ｃ１を形成し、積層コンデンサアレイＣＡ１に含まれるコンデンサの１つを形成する。
【００３５】
積層コンデンサアレイＣＡ１では、第３及び第４の内部電極３１、３５が誘電体層１３を間に挟んで、第３及び第４の内部電極３２、３６が誘電体層１７を間に挟んで対向している。積層コンデンサアレイＣＡ１ではさらに、第３及び第４の内部電極３２、３５が誘電体層１４、１５、１６を間に挟んで対向している。したがって、第３及び第４の内部電極３１、３２、３５、３６は静電容量Ｃ２を形成し、積層コンデンサアレイＣＡ１に含まれるコンデンサの１つを形成する。したがって、積層コンデンサアレイＣＡ１の等価回路図は図４６のように表される。
【００３６】
上述したように、積層コンデンサアレイＣＡ１では、第１の電極群２０に含まれる第１及び第２の内部電極２１、２２、２５、２６が対向してコンデンサを形成し、第２の電極群３０に含まれる第３及び第４の内部電極３１、３２、３５、３６が対向してコンデンサを形成している。そして、第１の電極群２０に含まれる第１の内部電極２１，２２と第２の電極群３０に含まれる第３の内部電極３１、３２とが、第１及び第２の電極群２０、３０の間の基準面Ｓに接するように配置されている。第１及び第２の内部電極２１、２２、２５、２６によって形成されるコンデンサ、並びに第３及び第４の内部電極３１、３２、３５，３６によって形成されるコンデンサに電圧が印加され、それぞれのコンデンサに電歪が生じた場合であっても、第１及び第３の内部電極２１、２２、３１、３２が基準面Ｓと接するように配置されているため、コンデンサの間の基準面Ｓ付近にも電歪が発生する。これにより、基準面Ｓ付近に応力が集中することが抑制される。
【００３７】
応力の集中を抑制することにより、積層コンデンサアレイＣＡ１ではクラックの発生を抑制することも可能となる。
【００３８】
対向する第１及び第２の内部電極２１、２２、２５、２６のうち第１の内部電極２１、２２が基準面Ｓに接するのに対し、第２の内部電極２５、２６は基準面Ｓから所定距離Ｄ１離れて位置する。対向する第３及び第４の内部電極３１、３２、３５、３６のうち第３の内部電極３１、３２が基準面Ｓに接するのに対し、第４の内部電極３５、３６は基準面Ｓから所定距離Ｄ２離れて位置する。そのため、基準面Ｓ付近において過度に電歪による歪みを生じることが抑制される。
【００３９】
第１及び第２の内部電極２１、２２、２５、２６は何れも、第１及び第２の主面Ｌ１ａ、Ｌ１ｂの対向方向において第３及び第４の内部電極３１、３２、３５、３６の何れとも異なる位置に配置されている。したがって、積層コンデンサアレイＣＡ１では、第１及び第２の内部電極２１、２５の組と第１及び第２の内部電極２２、２６の組との間に３層の誘電体層１２、１３、１４、さらに第１及び第２の内部電極２２、２６と第２の主面Ｌ１ｂとの間に３層の誘電体層１６、１７、１８を配置し、各組の間隔を大きくとることができる。積層コンデンサアレイＣＡ１ではさらに、第３及び第４の内部電極３１、３５の組と第３及び第４の内部電極３２、３６の組との間に３層の誘電体層１４、１５、１６、さらに第３及び第４の内部電極３２、３６と第１の主面Ｌ１ａとの間に３層の誘電体層１０、１１、１２を配置し、各組の間隔を大きくとることができる。内部電極の各組の間隔は電歪を緩和する層として機能（電歪緩和層）として機能する。積層コンデンサアレイＣＡ１では電歪緩和層を大きくすることができるため、電歪によって発生する振動を抑制することが可能となる。
（第２実施形態）
【００４０】
図４〜図６を参照して、第２実施形態に係る積層コンデンサアレイＣＡ２の構成について説明する。第２実施形態に係る積層コンデンサアレイＣＡ２は、第１〜第４の内部電極の配置の点で第１実施形態に係る積層コンデンサアレイＣＡ１とは異なる。図４は、第２実施形態に係る積層コンデンサアレイの斜視図である。図５は、第２実施形態に係る積層コンデンサアレイに含まれるコンデンサ素体の分解斜視図である。図６は、図４に示した積層コンデンサアレイのVI−VI矢印断面の構成を説明するための図である。
【００４１】
第２実施形態に係る積層コンデンサアレイＣＡ２は、図４に示されるように、コンデンサ素体Ｌ２と、コンデンサ素体Ｌ２の外表面に配置された第１〜第４の端子電極１〜４とを備える。
【００４２】
コンデンサ素体Ｌ２は、図４に示されるように、直方体状であり、互いに対向する長方形状の第１及び第２の主面Ｌ２ａ、Ｌ２ｂと、第１及び第２の主面Ｌ２ａ、Ｌ２ｂ間を連結するように第1及び第２の主面の短辺方向に伸び且つ互いに対向する第１及び第２の端面Ｌ２ｃ、Ｌ２ｄと、第1及び第２の主面Ｌ２ａ、Ｌ２ｂ間を連結するように第1及び第２の主面Ｌ２ａ、Ｌ２ｂの長辺方向に伸び且つ互いに対向する第１及び第２の側面Ｌ２ｅ、Ｌ２ｆと、を有する。
【００４３】
第１〜第４の端子電極１〜４は、第１実施形態に係る積層コンデンサアレイＣＡ１のコンデンサ素体Ｌ１の外表面に配置された第１〜第４の端子電極１〜４と同じ配置で、コンデンサ素体Ｌ２の外表面上に配置される。
【００４４】
コンデンサ素体Ｌ２は、図５に示されるように、積層された複数（本実施形態では、８層）の誘電体層１０〜１８を有する。
【００４５】
図５に示されているように、コンデンサ素体Ｌ２には、第１及び第２の電極群２０、３０が含まれている。第１の電極群２０は、複数（本実施形態では、各２層）の第１及び第２の内部電極２１、２２、２５、２６を有する。第２の電極群３０は、複数（本実施形態では、各２層）の第３及び第４の内部電極３１、３２、３５、３６を有する。第１の電極群２０と第２の電極群３０とは、コンデンサ素体Ｌ２内において第１及び第２の端面Ｌ２ｃ、Ｌ２ｄの対向方向に沿って併置されている。具体的には、第１の電極群２０が第１の端面Ｌ２ｃ側に、第２の電極群３０が第２の端面Ｌ２ｄ側に配置されている。
【００４６】
第１の電極群２０に含まれる第１及び第２の内部電極２１、２２、２５、２６は、第１の主面Ｌ２ａから第２の主面Ｌ２ｂに向かって、第２の内部電極２５、第１の内部電極２１、第２の内部電極２６、第１の内部電極２２の順で配置されている。第２の電極群３０に含まれる第３及び第４の内部電極３１、３２、３５、３６は、第１の主面Ｌ２ａから第２の主面Ｌ２ｂに向かって、第４の内部電極３５、第３の内部電極３１、第４の内部電極３６、第３の内部電極３２の順で配置されている。
【００４７】
コンデンサ素体Ｌ２内において、第１及び第２の内部電極２１、２２、２５、２６は何れも、第１及び第２の主面Ｌ２ａ、Ｌ２ｂの対向方向において第３及び第４の内部電極３１、３２、３５、３６の何れとも異なる位置に配置されている。
【００４８】
第１及び第２の内部電極２１、２５は一層の誘電体層１１を間に挟んで、第１及び第２の内部電極２２、２６は一層の誘電体層１５を間に挟んで、それぞれ第１及び第２の主面Ｌ２ａ、Ｌ２ｂの対向方向に沿って互いに対向している。第１及び第２の内部電極２１、２６は、第１及び第２の内部電極２１、２５の間、及び第１及び第２の内部電極２２、２６の間に位置する内部電極の数より多い３層の誘電体層１２、１３、１４を間に挟んで、第１及び第２の主面Ｌ２ａ、Ｌ２ｂの対向方向に沿って対向している。
【００４９】
第３及び第４の内部電極３１、３５は一層の誘電体層１３を間に挟んで、第３及び第４の内部電極３２、３６は一層の誘電体層１７を間に挟んで、それぞれ第１及び第２の主面Ｌ２ａ、Ｌ２ｂの対向方向に沿って対向している。第３及び第４の内部電極３１、３６は、第３及び第４の内部電極３１、３５の間、及び第３及び第４の内部電極３２、３６の間に位置する内部電極の数より多い３層の誘電体層１４、１５、１６を間に挟んで、第１及び第２の主面Ｌ２ａ、Ｌ２ｂの対向方向に沿って対向している。
【００５０】
第１の内部電極２１、２２は、主電極部２１ａ、２２ａと、主電極部２１ａ、２２ａから第１の側面Ｌ２ｅに露出するように伸びる引き出し部２１ｂ、２２ｂとを含んでいる。引き出し部２１ｂ、２２ｂは、第１の端子電極１に物理的に接続される。
【００５１】
第２の内部電極２５、２６は、主電極部２５ａ、２６ａと、主電極部２５ａ、２６ａから第２の側面Ｌ２ｆに露出するように伸びる引き出し部２５ｂ、２６ｂとを含んでいる。引き出し部２５ｂ、２６ｂは、第２の端子電極２に物理的に接続される。
【００５２】
第３の内部電極３１、３２は、主電極部３１ａ、３２ａと、主電極部３１ａ、３２ａから第１の側面Ｌ２ｅに露出するように伸びる引き出し部３１ｂ、３２ｂとを含んでいる。引き出し部３１ｂ、３２ｂは、第３の端子電極３に物理的に接続される。
【００５３】
第４の内部電極３５、３６は、主電極部３５ａ、３６ａと、主電極部３５ａ、３６ａから第２の側面Ｌ２ｆに露出するように伸びる引き出し部３５ｂ、３６ｂとを含んでいる。引き出し部３５ｂ、３６ｂは、第４の端子電極４に物理的に接続される。
【００５４】
図５及び図６に示されているように、仮想的な基準面Ｓとして、第１及び第２の主面Ｌ２ａ、Ｌ２ｂの対向方向に平行な仮想面を考える。第１及び第２の電極群２０、３０は基準面Ｓに直交する方向である、第１及び第２の主面Ｌ２ａ、Ｌ２ｂの対向方向と直交する方向に沿って併置されている。すなわち、コンデンサ素体１内において、第１及び第２の内部電極２１、２２、２５、２６は基準面Ｓに対し第１の端面Ｌ２ｃ側に、第３及び第４の内部電極３１、３２、３５、３６は基準面Ｓに対し第２の端面Ｌ２ｄ側にそれぞれ配置されている。
【００５５】
第１の内部電極２１、２２は、主電極部２１ａ、２２ａの第２の端面Ｌ２ｄ側の辺が基準面Ｓに接するように配置されている。第２の内部電極２５、２６は、主電極部２５ａ、２６ａの第２の端面Ｌ２ｄ側の辺が基準面Ｓから第１の端面Ｌ２ｃ側に所定距離Ｄ１離れるように配置されている。
【００５６】
第３の内部電極３１、３２の主電極部３１ａ、３２ａの第１の端面Ｌ２ｃ側の辺が基準面Ｓにそれぞれ接する。第４の内部電極３５、３６は、主電極部３５ａ、３６ａの第１の端面Ｌ２ｃ側の辺が基準面Ｓから第２の端面Ｌ２ｄ側に所定距離Ｄ２離れるように配置されている。
【００５７】
積層コンデンサアレイＣＡ２では、第１及び第２の内部電極２１、２２、２５、２６が誘電体層を間に挟んで対向する内部電極を有し、これらの互いに対向する第１及び第２の内部電極が積層コンデンサアレイＣＡ２に含まれるコンデンサの１つを形成する。
積層コンデンサアレイＣＡ２では、第３及び第４の内部電極３１、３２、３５、３６が誘電体層を間に挟んで対向する内部電極を有し、これらの互いに対向する第３及び第４の内部電極が積層コンデンサアレイＣＡ２に含まれるコンデンサの１つを形成する。
【００５８】
上述したように、積層コンデンサアレイＣＡ２では、第１及び第２の内部電極２１、２２、２５、２６によって形成されるコンデンサ、並びに第３及び第４の内部電極３１、３２、３５，３６によって形成されるコンデンサに電圧が印加され、それぞれのコンデンサに電歪が生じた場合であっても、第１及び第３の内部電極２１、２２、３１、３２が基準面Ｓと接するように配置されているため、コンデンサの間の基準面Ｓ付近にも電歪が発生する。これにより、基準面Ｓ付近に応力が集中することが抑制される。
【００５９】
応力の集中を抑制することにより、積層コンデンサアレイＣＡ２ではクラックの発生を抑制することも可能となる。
第１の内部電極２１、２２が基準面Ｓに接するのに対し、第２の内部電極２５、２６は基準面Ｓから所定距離Ｄ１離れて位置する。第３の内部電極３１、３２が基準面Ｓに接するのに対し、第４の内部電極３５、３６は基準面Ｓから所定距離Ｄ２離れて位置する。そのため、基準面Ｓ付近において過度に電歪による歪みを生じることが抑制される。
【００６０】
第１及び第２の内部電極２１、２２、２５、２６は何れも、第１及び第２の主面Ｌ２ａ、Ｌ２ｂの対向方向において第３及び第４の内部電極３１、３２、３５、３６の何れとも異なる位置に配置されている。そのため、積層コンデンサアレイＣＡ２では、内部電極間の間隔を誘電体層３層分と大きくとれる部分が存在する。その結果、電歪緩和層を大きく有することができ、積層コンデンサアレイＣＡ２では電歪によって発生する振動を抑制することが可能となる。
（第３実施形態）
【００６１】
図７〜図９を参照して、第３実施形態に係る積層コンデンサアレイＣＡ３の構成について説明する。第３実施形態に係る積層コンデンサアレイＣＡ３は、第１〜第４の内部電極の数及び配置の点で第１実施形態に係る積層コンデンサアレイＣＡ１とは異なる。図７は、第３実施形態に係る積層コンデンサアレイの斜視図である。図８は、第３実施形態に係る積層コンデンサアレイに含まれるコンデンサ素体の分解斜視図である。図９は、図７に示した積層コンデンサアレイのIX−IX矢印断面の構成を説明するための図である。
【００６２】
第３実施形態に係る積層コンデンサアレイＣＡ３は、図７に示されるように、コンデンサ素体Ｌ３と、コンデンサ素体Ｌ３の外表面に配置された第１〜第４の端子電極１〜４とを備える。
【００６３】
コンデンサ素体Ｌ３は、図７に示されるように、直方体状であり、互いに対向する長方形状の第１及び第２の主面Ｌ３ａ、Ｌ３ｂと、第１及び第２の主面Ｌ３ａ、Ｌ３ｂ間を連結するように第1及び第２の主面の短辺方向に伸び且つ互いに対向する第１及び第２の端面Ｌ３ｃ、Ｌ３ｄと、第1及び第２の主面Ｌ３ａ、Ｌ３ｂ間を連結するように第1及び第２の主面Ｌ３ａ、Ｌ３ｂの長辺方向に伸び且つ互いに対向する第１及び第２の側面Ｌ３ｅ、Ｌ３ｆと、を有する。
【００６４】
第２及び第３の端子電極２、３は、コンデンサ素体Ｌ３の第１の側面Ｌ３ｅに、この順で第１の端面Ｌ３ｃ側から第２の端面Ｌ３ｄ側に向かって配置されている。第１及び第４の端子電極１、４は、コンデンサ素体Ｌ３の第２の側面Ｌ３ｆに、この順で第１の端面Ｌ３ｃ側から第２の端面Ｌ３ｄ側に向かって配置されている。第１及び第２の端子電極１、２、並びに第３及び第４の端子電極３、４はそれぞれ、第１及び第２の側面Ｌ３ｅ、Ｌ３ｆの対向方向で対向する。
【００６５】
コンデンサ素体Ｌ３は、図８に示されるように、積層された複数（本実施形態では、８層）の誘電体層１０〜１８を有する。
【００６６】
図８に示されているように、コンデンサ素体Ｌ３には、第１及び第２の電極群２０、３０が含まれている。第１の電極群２０は、複数（本実施形態では２層）の第１の内部電極２１、２２及び複数（本実施形態では４層）の第２の内部電極２５、２６、２７、２８を有する。第２の電極群３０は、複数（本実施形態では２層）の第３の内部電極３１、３２、及び複数（本実施形態では４層）の第４の内部電極３５、３６、３７、３８を有する。第１の電極群２０と第２の電極群３０とは、コンデンサ素体Ｌ３内において第１及び第２の端面Ｌ３ｃ、Ｌ３ｄの対向方向に沿って併置されている。具体的には、第１の電極群２０が第１の端面Ｌ３ｃ側に、第２の電極群３０が第２の端面Ｌ３ｄ側に配置されている。
【００６７】
第１の電極群２０に含まれる第１及び第２の内部電極２１、２２、２５〜２８は、第１の主面Ｌ３ａから第２の主面Ｌ３ｂに向かって、第１の内部電極２１、第２の内部電極２５、第２の内部電極２６、第１の内部電極２２、第２の内部電極２７、第２の内部電極２８の順で配置されている。第２の電極群３０に含まれる第３及び第４の内部電極３１、３２、３５〜３８は、第１の主面Ｌ３ａから第２の主面Ｌ３ｂに向かって、第４の内部電極３５、第３の内部電極３１、第４の内部電極３６、第４の内部電極３７、第３の内部電極３２、第４の内部電極３８の順で配置されている。
【００６８】
コンデンサ素体Ｌ３内において、第１の内部電極２１、２２は何れも、第１及び第２の主面Ｌ３ａ、Ｌ３ｂの対向方向において第３及び第４の内部電極３１、３２、３５〜３８の何れとも異なる位置に配置されている。コンデンサ素体Ｌ３内において、第３の内部電極３１、３２は何れも、第１及び第２の主面Ｌ３ａ、Ｌ３ｂの対向方向において第１及び第２の内部電極２１、２２、２５〜２８の何れとも異なる位置に配置されている。
【００６９】
コンデンサ素体Ｌ３内において、第２の内部電極２５と第４の内部電極３５とが、第２の内部電極２６と第４の内部電極３６とが、第２の内部電極２７と第４の内部電極３７とが、第２の内部電極２８と第４の内部電極３８とが、それぞれ第１及び第２の主面Ｌ３ａ、Ｌ３ｂの対向方向において同層に配置されている。
【００７０】
第１及び第２の内部電極２１、２５は一層の誘電体層１１を間に挟んで、第１及び第２の内部電極２２、２６は一層の誘電体層１４を間に挟んで、第１及び第２の内部電極２２、２７は一層の誘電体層１５を間に挟んで、それぞれ第１及び第２の主面Ｌ３ａ、Ｌ３ｂの対向方向に沿って互いに対向している。
【００７１】
第２の内部電極２５、２６は、第１及び第２の主面Ｌ３ａ、Ｌ３ｂの対向方向で見て、誘電体層１２、１３を介して隣り合って配置されている。第２の内部電極２７、２８は、第１及び第２の主面Ｌ３ａ、Ｌ３ｂの対向方向で見て、誘電体層１６、１７を介して隣り合って配置されている。
【００７２】
第３及び第４の内部電極３１、３５は一層の誘電体層１２を間に挟んで、第３及び第４の内部電極３１、３６は一層の誘電体層１３を間に挟んで、第３及び第４の内部電極３２、３７は一層の誘電体層１６を間に挟んで、第３及び第４の内部電極３２、３８は一層の誘電体層１７を間に挟んで、それぞれ第１及び第２の主面Ｌ３ａ、Ｌ３ｂの対向方向に沿って対向している。
【００７３】
第４の内部電極３５と第１の主面Ｌ３ａとは、第１及び第２の主面Ｌ３ａ、Ｌ３ｂの対向方向で見て、誘電体層１０、１１を介して隣り合って配置されている。第４の内部電極３６、３７は、第１及び第２の主面Ｌ３ａ、Ｌ３ｂの対向方向で見て、誘電体層１４、１５を介して隣り合って配置されている。
【００７４】
第１の内部電極２１、２２は、主電極部２１ａ、２２ａと、主電極部２１ａ、２２ａから第２の側面Ｌ３ｆに露出するように伸びる引き出し部２１ｂ、２２ｂとを含んでいる。引き出し部２１ｂ、２２ｂは、第１の端子電極１に物理的に接続される。
【００７５】
第２の内部電極２５〜２８は、主電極部２５ａ〜２８ａと、主電極部２５ａ〜２８ａから第１の側面Ｌ３ｅに露出するように伸びる引き出し部２５ｂ〜２８ｂとを含んでいる。引き出し部２５ｂ〜２８ｂは、第２の端子電極２に物理的に接続される。
【００７６】
第３の内部電極３１、３２は、主電極部３１ａ、３２ａと、主電極部３１ａ、３２ａから第１の側面Ｌ３ｅに露出するように伸びる引き出し部３１ｂ、３２ｂとを含んでいる。引き出し部３１ｂ、３２ｂは、第３の端子電極３に物理的に接続される。
【００７７】
第４の内部電極３５〜３８は、主電極部３５ａ〜３８ａと、主電極部３５ａ〜３８ａから第２の側面Ｌ３ｆに露出するように伸びる引き出し部３５ｂ〜３８ｂとを含んでいる。引き出し部３５ｂ〜３８ｂは、第４の端子電極４に物理的に接続される。
【００７８】
図８及び図９に示されているように、仮想的な基準面Ｓとして、第１及び第２の主面Ｌ３ａ、Ｌ３ｂの対向方向に平行な仮想面を考える。第１及び第２の電極群２０、３０は基準面Ｓに直交する方向である、第１及び第２の主面Ｌ３ａ、Ｌ３ｂの対向方向と直交する方向に沿って併置されている。すなわち、コンデンサ素体１内において、第１及び第２の内部電極２１、２２、２５、２６は基準面Ｓに対し第１の端面Ｌ３ｃ側に、第３及び第４の内部電極３１、３２、３５、３６は基準面Ｓに対し第２の端面Ｌ３ｄ側にそれぞれ配置されている。
【００７９】
第１の内部電極２１、２２は、主電極部２１ａ、２２ａの第２の端面Ｌ３ｄ側の辺が基準面Ｓに接するように配置されている。第２の内部電極２５〜２８は、主電極部２５ａ〜２８ａの第２の端面Ｌ３ｄ側の辺が基準面Ｓから第１の端面Ｌ３ｃ側に所定距離Ｄ１離れるように配置されている。
【００８０】
第３の内部電極３１、３２の主電極部３１ａ、３２ａの第１の端面Ｌ３ｃ側の辺が基準面Ｓにそれぞれ接する。第４の内部電極３５〜３８は、主電極部３５ａ〜３８ａの第１の端面Ｌ３ｃ側の辺が基準面Ｓから第２の端面Ｌ３ｄ側に所定距離Ｄ２離れるように配置されている。
【００８１】
積層コンデンサアレイＣＡ３では、第１及び第２の内部電極２１、２２、２５〜２８が誘電体層を間に挟んで対向する内部電極を有し、これらの互いに対向する第１及び第２の内部電極が積層コンデンサアレイＣＡ３に含まれるコンデンサの１つを形成する。
【００８２】
積層コンデンサアレイＣＡ３では、第３及び第４の内部電極３１、３２、３５〜３８が誘電体層を間に挟んで対向する内部電極を有し、これらの互いに対向する第３及び第４の内部電極が積層コンデンサアレイＣＡ３に含まれるコンデンサの１つを形成する。
【００８３】
上述したように、積層コンデンサアレイＣＡ３では、第１及び第２の内部電極２１、２２、２５〜２８によって形成されるコンデンサ、並びに第３及び第４の内部電極３１、３２、３５〜３８によって形成されるコンデンサに電圧が印加され、それぞれのコンデンサに電歪が生じた場合であっても、第１及び第３の内部電極２１、２２、３１、３２が基準面Ｓと接するように配置されているため、コンデンサの間の基準面Ｓ付近にも電歪が発生する。これにより、基準面Ｓ付近に応力が集中することが抑制される。
【００８４】
応力の集中を抑制することにより、積層コンデンサアレイＣＡ３ではクラックの発生を抑制することも可能となる。
【００８５】
第１の内部電極２１、２２が基準面Ｓに接するのに対し、第２の内部電極２５〜２８は基準面Ｓから所定距離Ｄ１離れて位置する。第３の内部電極３１、３２が基準面Ｓに接するのに対し、第４の内部電極３５〜３８は基準面Ｓから所定距離Ｄ２離れて位置する。そのため、基準面Ｓ付近において過度に電歪による歪みを生じることが抑制される。
【００８６】
第１の内部電極２１、２２は何れも、第１及び第２の主面Ｌ３ａ、Ｌ３ｂの対向方向において第３及び第４の内部電極３１、３２、３５〜３８の何れとも異なる位置に配置されている。そのため、積層コンデンサアレイＣＡ３では、第１の主面Ｌ３ａと第４の内部電極３５との間隔（誘電体層１０、１１）、及び第４の内部電極３６、３７間の間隔（誘電体層１４、１５）をそれぞれ誘電体層２層分と大きくとれる。その結果、電歪緩和層を大きく有することができ、積層コンデンサアレイＣＡ３では電歪によって発生する振動を抑制することが可能となる。
【００８７】
第３の内部電極３１、３２は何れも、第１及び第２の主面Ｌ３ａ、Ｌ３ｂの対向方向において第１及び第２の内部電極２１、２２、２５〜２８の何れとも異なる位置に配置されている。そのため、積層コンデンサアレイＣＡ３では、第２の内部電極２５、２６間の間隔（誘電体層１２、１３）、及び第２の内部電極２７、２８間の間隔（誘電体層１６、１７）、をそれぞれ誘電体層２層分と大きくとれる。その結果、電歪緩和層を大きく有することができ、積層コンデンサアレイＣＡ３では電歪によって発生する振動を抑制することが可能となる。
【００８８】
２層の第２の内部電極２５、２６、及び２層の第２の内部電極２７、２８はそれぞれ、第１及び第２の主面Ｌ３ａ、Ｌ３ｂの対向方向で見て隣り合って配置されている。同極性の内部電極２５、２６が隣接して対向している間に位置する誘電体層１２、１３、及び同極性の内部電極２７、２８が隣接して対向している間に位置する誘電体層１６、１７には何れも、積層コンデンサアレイに電圧を印加したとしても対向電極による電界は生じない。したがって、その分、電歪によって発生する積層コンデンサアレイＣＡ３の振動は抑制される。
【００８９】
２層の第４の内部電極３６、３７は、第１及び第２の主面Ｌ３ａ、Ｌ３ｂの対向方向で見て隣り合って配置されている。同極性の内部電極３６、３７が隣接して対向している誘電体層１４、１５の第２の電極群３０に対応する領域では、積層コンデンサアレイに電圧を印加したとしても電界は生じない。したがって、その分、電歪によって発生する積層コンデンサアレイＣＡ３の振動はさらに抑制される。
（第４実施形態）
【００９０】
図１０〜図１２を参照して、第４実施形態に係る積層コンデンサアレイＣＡ４の構成について説明する。第４実施形態に係る積層コンデンサアレイＣＡ４は、端子電極の数の点で第１実施形態に係る積層コンデンサアレイＣＡ１とは異なる。図１０は、第４実施形態に係る積層コンデンサアレイの斜視図である。図１１は、第４実施形態に係る積層コンデンサアレイに含まれるコンデンサ素体の分解斜視図である。図１２は、図１０に示した積層コンデンサアレイのXII−XII矢印断面の構成を説明するための図である。
【００９１】
第４実施形態に係る積層コンデンサアレイＣＡ４は、図１０に示されるように、コンデンサ素体Ｌ４と、コンデンサ素体Ｌ４の外表面に配置された第１〜第６の端子電極１〜６とを備える。第１〜第６の端子電極１〜６は、例えば導電性金属粉末及びガラスフリットを含む導電性ペーストをコンデンサ素体の外表面の付与し、焼き付けることによって形成される。必要に応じて、焼き付けられた端子電極の上にめっき層が形成されることもある。これらの第１〜第６の端子電極１〜６は、コンデンサ素体Ｌ４の表面上においては互いに電気的に絶縁されて形成されている。
【００９２】
コンデンサ素体Ｌ４は、図１０に示されるように、直方体状であり、互いに対向する長方形状の第１及び第２の主面Ｌ４ａ、Ｌ４ｂと、第１及び第２の主面Ｌ４ａ、Ｌ４ｂ間を連結するように第1及び第２の主面の短辺方向に伸び且つ互いに対向する第１及び第２の端面Ｌ４ｃ、Ｌ４ｄと、第1及び第２の主面Ｌ４ａ、Ｌ４ｂ間を連結するように第1及び第２の主面Ｌ４ａ、Ｌ４ｂの長辺方向に伸び且つ互いに対向する第１及び第２の側面Ｌ４ｅ、Ｌ４ｆと、を有する。
【００９３】
第１、第３、及び第５の端子電極１、３，５は、コンデンサ素体Ｌ４の第１の側面Ｌ４ｅに、この順で第１の端面Ｌ４ｃ側から第２の端面Ｌ４ｄ側に向かって配置されている。第２、第４、及び第６の端子電極２、４、６は、コンデンサ素体Ｌ４の第２の側面Ｌ４ｆに、この順で第１の端面Ｌ４ｃ側から第２の端面Ｌ４ｄ側に向かって配置されている。第１及び第２の端子電極１、２、第３及び第４の端子電極３、４、並びに第５及び第６の端子電極５，６はそれぞれ、第１及び第２の側面Ｌ４ｅ、Ｌ４ｆの対向方向で対向する。
【００９４】
コンデンサ素体Ｌ４は、図１１に示されるように、積層された複数（本実施形態では、８層）の誘電体層１０〜１８を有する。各誘電体層１０〜１８は、例えば誘電体セラミックを含むセラミックグリーンシートの焼結体から構成される。
【００９５】
図１１に示されているように、コンデンサ素体Ｌ４には、第１、第２、及び第３の電極群２０、３０、４０が含まれている。第１の電極群２０は、複数（本実施形態では、各４層）の第１及び第２の内部電極２１〜２４、２５〜２８を有する。第２の電極群３０は、複数（本実施形態では、各４層）の第３及び第４の内部電極３１〜３４、３５〜３８を有する。第３の電極群４０は、複数（本実施形態では、各４層）の第５及び第６の内部電極４１〜４４、４５〜４８を有する。
【００９６】
第１〜第３の電極群２０、３０、４０は、コンデンサ素体Ｌ４内において第１及び第２の主面Ｌ４ａ、Ｌ４ｂの対向方向と直交する方向に、すなわちコンデンサ素体Ｌ４の第１及び第２の端面Ｌ４ｃ、Ｌ４ｄの対向方向に沿って併置されている。具体的には、第１、第２、及び第３の電極群２０、３０、４０は、第１の端面Ｌ４ｃ側から第２の端面Ｌ４ｄ側に向かってこの順で併置されている。各内部電極２１〜２４、２５〜２８、３１〜３４、３５〜３８、４１〜４４、４５〜４８は、例えば、導電性ペーストの焼結体から構成される。
【００９７】
第１の電極群２０に含まれる第１及び第２の内部電極２１〜２４、２５〜２８は、第１の主面Ｌ４ａから第２の主面Ｌ４ｂに向かって、第１の内部電極２１、第２の内部電極２５、第１の内部電極２２、第２の内部電極２６、第１の内部電極２３、第２の内部電極２７、第１の内部電極２４、第２の内部電極２８の順で配置されている。第２の電極群３０に含まれる第３及び第４の内部電極３１〜３４、３５〜３８は、第１の主面Ｌ４ａから第２の主面Ｌ４ｂに向かって、第４の内部電極３５、第３の内部電極３１、第４の内部電極３６、第３の内部電極３２、第４の内部電極３７、第３の内部電極３３、第４の内部電極３８、第３の内部電極３４の順で配置されている。第３の電極群４０に含まれる第５及び第６の内部電極４１〜４４、４５〜４８は、第１の主面Ｌ４ａから第２の主面Ｌ４ｂに向かって、第５の内部電極４１、第６の内部電極４５、第５の内部電極４２、第６の内部電極４６、第５の内部電極４３、第６の内部電極４７、第５の内部電極４４、第６の内部電極４８の順で配置されている。
【００９８】
第１及び第２の内部電極２１、２５は誘電体層１１を間に挟んで、第１及び第２の内部電極２２、２５は誘電体層１２を間に挟んで、第１及び第２の内部電極２２、２６は誘電体層１３を間に挟んで、第１及び第２の内部電極２３、２６は誘電体層１４を間に挟んで、第１及び第２の内部電極２３、２７は誘電体層１５を間に挟んで、第１及び第２の内部電極２４、２７は誘電体層１６を間に挟んで、第１及び第２の内部電極２４、２８は誘電体層１７を間に挟んで、それぞれ第１及び第２の主面Ｌ４ａ、Ｌ４ｂの対向方向に沿って互いに対向している。
【００９９】
第３及び第４の内部電極３１、３５は誘電体層１１を間に挟んで、第３及び第４の内部電極３１、３６は誘電体層１２を間に挟んで、第３及び第４の内部電極３２、３６は誘電体層１３を間に挟んで、第３及び第４の内部電極３２、３７は誘電体層１４を間に挟んで、第３及び第４の内部電極３３、３７は誘電体層１５を間に挟んで、第３及び第４の内部電極３３、３８は誘電体層１６を間に挟んで、第３及び第４の内部電極３４、３８は誘電体層１７を間に挟んで、それぞれ第１及び第２の主面Ｌ４ａ、Ｌ４ｂの対向方向に沿って互いに対向している。
【０１００】
第５及び第６の内部電極４１、４５は誘電体層１１を間に挟んで、第５及び第６の内部電極４２、４５は誘電体層１２を間に挟んで、第５及び第６の内部電極４２、４６は誘電体層１３を間に挟んで、第５及び第６の内部電極４３、４６は誘電体層１４を間に挟んで、第５及び第６の内部電極４３、４７は誘電体層１５を間に挟んで、第５及び第６の内部電極４４、４７は誘電体層１６を間に挟んで、第５及び第６の内部電極４４、４８は誘電体層１７を間に挟んで、それぞれ第１及び第２の主面Ｌ４ａ、Ｌ４ｂの対向方向に沿って互いに対向している。
【０１０１】
第１の内部電極２１〜２４は、主電極部２１ａ〜２４ａと、主電極部２１ａ〜２４ａから第１の側面Ｌ４ｅに露出するように伸びる引き出し部２１ｂ〜２４ｂとを含んでいる。引き出し部２１ｂ〜２４ｂは、第１の端子電極１に物理的に接続される。
【０１０２】
第２の内部電極２５〜２８は、主電極部２５ａ〜２８ａと、主電極部２５ａ〜２８ａから第２の側面Ｌ４ｆに露出するように伸びる引き出し部２５ｂ〜２８ｂとを含んでいる。引き出し部２５ｂ〜２８ｂは、第２の端子電極２に物理的に接続される。
【０１０３】
第３の内部電極３１〜３４は、主電極部３１ａ〜３４ａと、主電極部３１ａ〜３４ａから第１の側面Ｌ４ｅに露出するように伸びる引き出し部３１ｂ〜３４ｂとを含んでいる。引き出し部３１ｂ〜３４ｂは、第３の端子電極３に物理的に接続される。
【０１０４】
第４の内部電極３５〜３８は、主電極部３５ａ〜３８ａと、主電極部３５ａ〜３８ａから第２の側面Ｌ４ｆに露出するように伸びる引き出し部３５ｂ〜３８ｂとを含んでいる。引き出し部３５ｂ〜３８ｂは、第４の端子電極４に物理的に接続される。
【０１０５】
第５の内部電極４１〜４４は、四辺がそれぞれ第１及び第２の端面Ｌ４ｃ、Ｌ４ｄ、並びに第１及び第２の側面Ｌ４ｅ、Ｌ４ｆと平行な四辺形状の主電極部４１ａ〜４４ａと、主電極部４１ａ〜４４ａから第１の側面Ｌ４ｅに露出するように伸びる引き出し部４１ｂ〜４４ｂとを含んでいる。第１の側面Ｌ４ｅに露出する引き出し部４１ｂ〜４４ｂは、第５の端子電極５に物理的に接続される。すなわち、第５の内部電極４１〜４４は、第５の端子５に接続される。
【０１０６】
第６の内部電極４５〜４８は、四辺がそれぞれ第１及び第２の短面Ｌ４ｃ、Ｌ４ｄ、並びに第１及び第２の側面Ｌ４ｅ、Ｌ４ｆと平行な四辺形状の主電極部４５ａ、４６ａと、主電極部４５ａ、４６ａから第２の側面Ｌ４ｆに露出するように伸びる引き出し部４５ｂ〜４８ｂとを含んでいる。第２の側面Ｌ４ｆに露出する引き出し部４５ｂ〜４８ｂは、第６の端子電極６に物理的に接続される。すなわち、第６の内部電極４５〜４８は、第６の端子６に接続される。
【０１０７】
図１１及び図１２に示されているように、仮想的な基準面Ｓ１として、第１及び第２の主面Ｌ４ａ、Ｌ４ｂの対向方向に平行な仮想面を考える。基準面Ｓ１に基づいて考えると、第１及び第２の電極群２０、３０は基準面Ｓに直交する方向に沿って併置されている。基準面Ｓ１に直交する方向とは、第１及び第２の主面Ｌ４ａ、Ｌ４ｂの対向方向と直交する方向に相当する。すなわち、コンデンサ素体Ｌ４内において、第１及び第２の内部電極２１〜２４、２５〜２８は基準面Ｓ１に対し第１の端面Ｌ４ｃ側に、第３及び第４の内部電極３１〜３４、３５〜３８は基準面Ｓ１に対し第２の端面Ｌ４ｄ側にそれぞれ配置されている。
【０１０８】
さらに、仮想的な基準面Ｓ２として、第１及び第２の主面Ｌ４ａ、Ｌ４ｂの対向方向に平行な仮想面を考える。基準面Ｓ２に基づいて考えると、第２及び第３の電極群３０、４０は基準面Ｓ２に直交する方向に沿って併置されている。基準面Ｓ２に直交する方向とは、第１及び第２の主面Ｌ４ａ、Ｌ４ｂの対向方向と直交する方向に相当する。すなわち、コンデンサ素体Ｌ４内において、第３及び第４の内部電極３１〜３４、３５〜３８は基準面Ｓ２に対し第１の端面Ｌ４ｃ側に、第５及び第６の内部電極４１〜４４、４５〜４８は基準面Ｓ２に対し第２の端面Ｌ４ｄ側にそれぞれ配置されている。
【０１０９】
第１の内部電極２１〜２４は基準面Ｓ１と接するように配置されている。具体的には、第１の内部電極２１〜２４の主電極部２１ａ〜２４ａの第２の端面Ｌ４ｄ側の辺が基準面Ｓ１にそれぞれ接する。
【０１１０】
第２の内部電極２５〜２８は基準面Ｓ１から所定距離離れて配置されている。具体的には、第２の内部電極２５〜２８の主電極部２５ａ〜２８ａの第２の端面Ｌ４ｄ側の辺が、基準面Ｓ１から第１の端面Ｌ４ｃ側に所定距離Ｄ１離れて配置されている。
【０１１１】
第３の内部電極３１〜３４は基準面Ｓ１及びＳ２と接するように配置されている。具体的には、第３の内部電極３１〜３４の主電極部３１ａ〜３４ａの第１の端面Ｌ４ｃ側の辺が基準面Ｓ１にそれぞれ接する。第３の内部電極３１〜３４の主電極部３１ａ〜３４ａの第２の端面Ｌ４ｄ側の辺が基準面Ｓ２にそれぞれ接する。
【０１１２】
第４の内部電極３５〜３８は基準面Ｓ１及びＳ２の何れからも所定距離離れて配置されている。具体的には、第４の内部電極３５〜３８の主電極部３５ａ〜３８ａの第１の端面Ｌ４ｃ側の辺が、基準面Ｓ１から第２の端面Ｌ４ｄ側に所定距離Ｄ２離れて配置されている。第４の内部電極３５〜３８の主電極部３５ａ〜３８ａの第２の端面Ｌ４ｄ側の辺が、基準面Ｓ２から第１の端面Ｌ４ｃ側に所定距離Ｄ３離れて配置されている。
【０１１３】
第５の内部電極４１〜４４は基準面Ｓ２と接するように配置されている。具体的には、第５の内部電極４１〜４４の主電極部４１ａ〜４４ａの第１の端面Ｌ４ｃ側の辺が基準面Ｓ２にそれぞれ接する。
【０１１４】
第６の内部電極４５〜４８は基準面Ｓ２から所定距離離れて配置されている。具体的には、第６の内部電極４５〜４８の主電極部４５ａ、４６ａの第１の端面Ｌ４ｃ側の辺が、基準面Ｓ２から第２の端面Ｌ４ｄ側に所定距離Ｄ４離れて配置されている。
【０１１５】
積層コンデンサアレイＣＡ４では、第１及び第２の内部電極２１〜２４、２５〜２８が誘電体層１１〜１７を間に挟んで交互に対向している。したがって、第１及び第２の内部電極２１〜２４、２５〜２８は静電容量Ｃ１を形成し、積層コンデンサアレイＣＡ４に含まれるコンデンサの１つを形成する。
【０１１６】
積層コンデンサアレイＣＡ４では、第３及び第４の内部電極３１〜３４、３５〜３８が誘電体層１１〜１７を間に挟んで交互に対向している。したがって、第３及び第４の内部電極３１〜３４、３５〜３８は静電容量Ｃ２を形成し、積層コンデンサアレイＣＡ４に含まれるコンデンサの１つを形成する。
【０１１７】
積層コンデンサアレイＣＡ４では、第５及び第６の内部電極４１〜４４、４５〜４８が誘電体層１１〜１７を間に挟んで交互に対向している。したがって、第５及び第６の内部電極４１〜４４、４５〜４８は静電容量Ｃ３を形成し、積層コンデンサアレイＣＡ４に含まれるコンデンサの１つを形成する。したがって、積層コンデンサアレイＣＡ４の等価回路図は図４７のように表される。
【０１１８】
上述したように、積層コンデンサアレイＣＡ４では、第１及び第２の内部電極２１〜２４、２５〜２８によって形成されるコンデンサ、並びに第３及び第４の内部電極３１〜３４、３５〜３８によって形成されるコンデンサに電圧が印加され、それぞれのコンデンサに電歪が生じた場合であっても、第１、及び第３の内部電極２１〜２４、３１〜３４が基準面Ｓ１と接するように配置されているため、これらのコンデンサの間の基準面Ｓ１付近にも電歪が発生する。これにより、基準面Ｓ１付近に応力が集中することが抑制される。
【０１１９】
また、積層コンデンサアレイＣＡ４では、第３及び第４の内部電極３１〜３４、３５〜３８によって形成されるコンデンサ、並びに第５及び第６の内部電極４１〜４４、４５〜４８によって形成されるコンデンサに電圧が印加され、それぞれのコンデンサに電歪が生じた場合であっても、第３、及び第５の内部電極３１〜３４、４１〜４４が基準面Ｓ２と接するように配置されているため、コンデンサの間の基準面Ｓ２付近にも電歪が発生する。これにより、基準面Ｓ２付近に応力が集中することが抑制される。
【０１２０】
応力の集中を抑制することにより、積層コンデンサアレイＣＡ４ではクラックの発生を抑制することも可能となる。
【０１２１】
第１の内部電極２１〜２４が基準面Ｓ１に接するのに対し、第２の内部電極２５〜２８は基準面Ｓから所定距離Ｄ１離れて位置する。第３の内部電極３１〜３４が基準面Ｓ１に接するのに対し、第４の内部電極３５〜３８は基準面Ｓ１から所定距離Ｄ２離れて位置する。そのため、基準面Ｓ１付近において過度に電歪による歪みを生じることが抑制される。
【０１２２】
第３の内部電極３１〜３４が基準面Ｓ２に接するのに対し、第４の内部電極３５〜３８は基準面Ｓ２から所定距離Ｄ３離れて位置する。第５の内部電極４１〜４４が基準面Ｓ１に接するのに対し、第６の内部電極４５〜４８は基準面Ｓ２から所定距離Ｄ４離れて位置する。そのため、基準面Ｓ２付近において過度に電歪による歪みを生じることが抑制される。
（第５実施形態）
【０１２３】
図１３〜図１５を参照して、第５実施形態に係る積層コンデンサアレイＣＡ５の構成について説明する。第５実施形態に係る積層コンデンサアレイＣＡ５は、第１〜第６の端子電極及び第１〜第６の内部電極の配置の点で第４実施形態に係る積層コンデンサアレイＣＡ４とは異なる。図１３は、第５実施形態に係る積層コンデンサアレイの斜視図である。図１４は、第５実施形態に係る積層コンデンサアレイに含まれるコンデンサ素体の分解斜視図である。図１５は、図１３に示した積層コンデンサアレイのXV−XV矢印断面の構成を説明するための図である。
【０１２４】
第５実施形態に係る積層コンデンサアレイＣＡ５は、図１３に示されるように、コンデンサ素体Ｌ５と、コンデンサ素体Ｌ５の外表面に配置された第１〜第６の端子電極１〜６とを備える。
【０１２５】
コンデンサ素体Ｌ５は、図１３に示されるように、直方体状であり、互いに対向する長方形状の第１及び第２の主面Ｌ５ａ、Ｌ５ｂと、第１及び第２の主面Ｌ５ａ、Ｌ５ｂ間を連結するように第1及び第２の主面の短辺方向に伸び且つ互いに対向する第１及び第２の端面Ｌ５ｃ、Ｌ５ｄと、第1及び第２の主面Ｌ５ａ、Ｌ５ｂ間を連結するように第1及び第２の主面Ｌ５ａ、Ｌ５ｂの長辺方向に伸び且つ互いに対向する第１及び第２の側面Ｌ５ｅ、Ｌ５ｆと、を有する。
【０１２６】
第１、第４、及び第５の端子電極１、４、５は、コンデンサ素体Ｌ５の第１の側面Ｌ５ｅに、この順で第１の端面Ｌ５ｃ側から第２の端面Ｌ５ｄ側に向かって配置されている。第２、第３、及び第６の端子電極２、３、６は、コンデンサ素体Ｌ５の第２の側面Ｌ５ｆに、この順で第１の端面Ｌ５ｃ側から第２の端面Ｌ５ｄ側に向かって配置されている。第１及び第２の端子電極１、２、第３及び第４の端子電極３、４、並びに第５及び第６の端子電極５、６はそれぞれ、第１及び第２の側面Ｌ５ｅ、Ｌ５ｆの対向方向で対向する。
【０１２７】
コンデンサ素体Ｌ５は、図１４に示されるように、積層された複数（本実施形態では、８層）の誘電体層１０〜１８を有する。
【０１２８】
図１４に示されているように、コンデンサ素体Ｌ５には、第１〜第３の電極群２０、３０、４０が含まれている。第１の電極群２０は、複数（本実施形態では、各４層）の第１及び第２の内部電極２１〜２４、２５〜２８を有する。第２の電極群３０は、複数（本実施形態では、各４層）の第３及び第４の内部電極３１〜３４、３５〜３８を有する。第３の電極群４０は、複数（本実施形態では、各４層）の第５及び第６の内部電極４１〜４４、４５〜４８を有する。
【０１２９】
第１〜第３の電極群２０、３０、４０は、コンデンサ素体Ｌ５内において第１及び第２の端面Ｌ５ｃ、Ｌ５ｄの対向方向に沿って併置されている。具体的には、第１、第２、及び第３の電極群２０、３０、４０は、第１の端面Ｌ５ｃ側から第２の端面Ｌ５ｄ側に向かってこの順で併置されている。
【０１３０】
第１の電極群２０に含まれる第１及び第２の内部電極２１〜２４、２５〜２８は、第１の主面Ｌ５ａから第２の主面Ｌ５ｂに向かって、第２の内部電極２５、第１の内部電極２１、第２の内部電極２６、第１の内部電極２２、第２の内部電極２７、第１の内部電極２３、第２の内部電極２８、第１の内部電極２４の順で配置されている。第２の電極群３０に含まれる第３及び第４の内部電極３１〜３４、３５〜３８は、第１の主面Ｌ５ａから第２の主面Ｌ５ｂに向かって、第３の内部電極３１、第４の内部電極３５、第３の内部電極３２、第４の内部電極３６、第３の内部電極３３、第４の内部電極３７、第３の内部電極３４、第４の内部電極３８の順で配置されている。第３の電極群４０に含まれる第５及び第６の内部電極４１〜４４、４５〜４８は、第１の主面Ｌ５ａから第２の主面Ｌ５ｂに向かって、第６の内部電極４５、第５の内部電極４１、第６の内部電極４６、第５の内部電極４２、第６の内部電極４７、第５の内部電極４３、第６の内部電極４８、第５の内部電極４４の順で配置されている。
【０１３１】
第１及び第２の内部電極２１、２５は誘電体層１１を間に挟んで、第１及び第２の内部電極２１、２６は誘電体層１２を間に挟んで、第１及び第２の内部電極２２、２６は誘電体層１３を間に挟んで、第１及び第２の内部電極２２、２７は誘電体層１４を間に挟んで、第１及び第２の内部電極２３、２７は誘電体層１５を間に挟んで、第１及び第２の内部電極２３、２８は誘電体層１６を間に挟んで、第１及び第２の内部電極２４、２８は誘電体層１７を間に挟んで、それぞれ第１及び第２の主面Ｌ５ａ、Ｌ５ｂの対向方向に沿って互いに対向している。
【０１３２】
第３及び第４の内部電極３１、３５は誘電体層１１を間に挟んで、第３及び第４の内部電極３２、３５は誘電体層１２を間に挟んで、第３及び第４の内部電極３２、３６は誘電体層１３を間に挟んで、第３及び第４の内部電極３３、３６は誘電体層１４を間に挟んで、第３及び第４の内部電極３３、３７は誘電体層１５を間に挟んで、第３及び第４の内部電極３４、３７は誘電体層１６を間に挟んで、第３及び第４の内部電極３４、３８は誘電体層１７を間に挟んで、それぞれ第１及び第２の主面Ｌ５ａ、Ｌ５ｂの対向方向に沿って互いに対向している。
【０１３３】
第５及び第６の内部電極４１、４５は誘電体層１１を間に挟んで、第５及び第６の内部電極４１、４６は誘電体層１２を間に挟んで、第５及び第６の内部電極４２、４６は誘電体層１３を間に挟んで、第５及び第６の内部電極４２、４７は誘電体層１４を間に挟んで、第５及び第６の内部電極４３、４７は誘電体層１５を間に挟んで、第５及び第６の内部電極２３、２８は誘電体層４６を間に挟んで、第５及び第６の内部電極４４、４８は誘電体層１７を間に挟んで、それぞれ第１及び第２の主面Ｌ５ａ、Ｌ５ｂの対向方向に沿って互いに対向している。
【０１３４】
第１の内部電極２１〜２４は、主電極部２１ａ〜２４ａと、主電極部２１ａ〜２４ａから第１の側面Ｌ５ｅに露出するように伸びる引き出し部２１ｂ〜２４ｂとを含んでいる。引き出し部２１ｂ〜２４ｂは、第１の端子電極１に物理的に接続される。
【０１３５】
第２の内部電極２５〜２８は、主電極部２５ａ〜２８ａと、主電極部２５ａ〜２８ａから第２の側面Ｌ５ｆに露出するように伸びる引き出し部２５ｂ〜２８ｂとを含んでいる。引き出し部２５ｂ〜２８ｂは、第２の端子電極２に物理的に接続される。
【０１３６】
第３の内部電極３１〜３４は、主電極部３１ａ〜３４ａと、主電極部３１ａ〜３４ａから第２の側面Ｌ５ｆに露出するように伸びる引き出し部３１ｂ〜３４ｂとを含んでいる。引き出し部３１ｂ〜３４ｂは、第３の端子電極３に物理的に接続される。
【０１３７】
第４の内部電極３５〜３８は、主電極部３５ａ〜３８ａと、主電極部３５ａ〜３８ａから第１の側面Ｌ５ｅに露出するように伸びる引き出し部３５ｂ〜３８ｂとを含んでいる。引き出し部３５ｂ〜３８ｂは、第４の端子電極４に物理的に接続される。
【０１３８】
第５の内部電極４１〜４４は、主電極部４１ａ〜４４ａと、主電極部４１ａ〜４４ａから第１の側面Ｌ５ｅに露出するように伸びる引き出し部４１ｂ〜４４ｂとを含んでいる。引き出し部２１ｂ〜２４ｂは、第５の端子電極５に物理的に接続される。
【０１３９】
第６の内部電極４５〜４８は、主電極部４５ａ〜４８ａと、主電極部４５ａ〜４８ａから第２の側面Ｌ５ｆに露出するように伸びる引き出し部４５ｂ〜４８ｂとを含んでいる。引き出し部４５ｂ〜４８ｂは、第６の端子電極６に物理的に接続される。
【０１４０】
図１４及び図１５に示されているように、仮想的な基準面Ｓ１として、第１及び第２の主面Ｌ５ａ、Ｌ５ｂの対向方向に平行な仮想面を考える。第１及び第２の電極群２０、３０は、基準面Ｓ１に直交する方向である第１及び第２の主面Ｌ５ａ、Ｌ５ｂの対向方向と直交する方向に沿って併置されている。すなわち、コンデンサ素体Ｌ５内において、第１及び第２の内部電極２１〜２４、２５〜２８は基準面Ｓ１に対し第１の端面Ｌ５ｃ側に、第３及び第４の内部電極３１〜３４、３５〜３８は基準面Ｓ１に対し第２の端面Ｌ５ｄ側にそれぞれ配置されている。
【０１４１】
さらに仮想的な基準面Ｓ２として、第１及び第２の主面Ｌ５ａ、Ｌ５ｂの対向方向に平行な仮想面を考える。第２及び第３の電極群３０、４０は、基準面Ｓ２に直交する方向である第１及び第２の主面Ｌ５ａ、Ｌ５ｂの対向方向と直交する方向に沿って併置されている。すなわち、コンデンサ素体Ｌ５内において、第３及び第４の内部電極３１〜３４、３５〜３８は基準面Ｓ２に対し第１の端面Ｌ５ｃ側に、第５及び第６の内部電極４１〜４４、４５〜４８は基準面Ｓ２に対し第２の端面Ｌ５ｄ側にそれぞれ配置されている。
【０１４２】
第１の内部電極２１〜２４は、主電極部２１ａ〜２４ａの第２の端面Ｌ５ｄ側の辺が基準面Ｓ１に接するように配置されている。第２の内部電極２５〜２８は、主電極部２５ａ〜２８ａの第２の端面Ｌ５ｄ側の辺が基準面Ｓ１から第１の端面Ｌ５ｃ側に所定距離Ｄ１離れるように配置されている。
【０１４３】
第３の内部電極３１〜３４の主電極部３１ａ〜３４ａの第１の端面Ｌ５ｃ側の辺が基準面Ｓ１にそれぞれ接する。第３の内部電極３１〜３４の主電極部３１ａ〜３４ａの第２の端面Ｌ５ｄ側の辺が基準面Ｓ２にそれぞれ接する。
【０１４４】
第４の内部電極３５〜３８は、主電極部３５ａ〜３８ａの第１の端面Ｌ５ｃ側の辺が基準面Ｓ１から第２の端面Ｌ５ｄ側に所定距離Ｄ２離れるように配置されている。第４の内部電極３５〜３８は、主電極部３５ａ〜３８ａの第２の端面Ｌ５ｄ側の辺が基準面Ｓ２から第１の端面Ｌ５ｃ側に所定距離Ｄ３離れるように配置されている。
【０１４５】
第５の内部電極４１〜４４は、主電極部４１ａ〜４４ａの第１の端面Ｌ５ｃ側の辺が基準面Ｓ２に接するように配置されている。第５の内部電極４５〜４８は、主電極部４５ａ〜４８ａの第１の端面Ｌ５ｃ側の辺が基準面Ｓ２から第２の端面Ｌ５ｄ側に所定距離Ｄ４離れるように配置されている。
【０１４６】
積層コンデンサアレイＣＡ５では、第１及び第２の内部電極２１〜２４、２５〜２８が誘電体層を間に挟んで対向する内部電極を有し、これらの互いに対向する第１及び第２の内部電極が積層コンデンサアレイＣＡ５に含まれるコンデンサの１つを形成する。
【０１４７】
積層コンデンサアレイＣＡ５では、第３及び第４の内部電極３１〜３４、３５〜３８が誘電体層を間に挟んで対向する内部電極を有し、これらの互いに対向する第３及び第４の内部電極が積層コンデンサアレイＣＡ５に含まれるコンデンサの１つを形成する。
【０１４８】
積層コンデンサアレイＣＡ５では、第５及び第６の内部電極４１〜４４、４５〜４８が誘電体層を間に挟んで対向する内部電極を有し、これらの互いに対向する第５及び第６の内部電極が積層コンデンサアレイＣＡ５に含まれるコンデンサの１つを形成する。
【０１４９】
上述したように、積層コンデンサアレイＣＡ５では、第１及び第２の内部電極２１〜２４、２５〜２８によって形成されるコンデンサ、並びに第３及び第４の内部電極３１〜３４、３５〜３８によって形成されるコンデンサに電圧が印加され、それぞれのコンデンサに電歪が生じた場合であっても、第１及び第３の内部電極２１〜２４、３１〜３４が基準面Ｓ１と接するように配置されているため、コンデンサの間の基準面Ｓ１付近にも電歪が発生する。これにより、基準面Ｓ１付近に応力が集中することが抑制される。
【０１５０】
また、積層コンデンサアレイＣＡ５では、第３及び第４の内部電極３１〜３４、３５〜３８、並びに第５及び第６の内部電極４１〜４４、４５〜４８によって形成されるコンデンサに電圧が印加され、それぞれのコンデンサに電歪が生じた場合であっても、第３及び第５の内部電極３１〜３４、４１〜４４が基準面Ｓ２と接するように配置されているため、コンデンサの間の基準面Ｓ２付近にも電歪が発生する。これにより、基準面Ｓ２付近に応力が集中することが抑制される。
【０１５１】
応力の集中を抑制することにより、積層コンデンサアレイＣＡ５ではクラックの発生を抑制することも可能となる。
【０１５２】
第１の内部電極２１〜２４が基準面Ｓ１に接するのに対し、第２の内部電極２５〜２８は基準面Ｓ１から所定距離Ｄ１離れて位置する。第３の内部電極３１〜３４が基準面Ｓ１に接するのに対し、第４の内部電極３５〜３８は基準面Ｓ１から所定距離Ｄ２離れて位置する。そのため、基準面Ｓ１付近において過度に電歪による歪みを生じることが抑制される。
【０１５３】
第３の内部電極３１〜３４が基準面Ｓ２に接するのに対し、第４の内部電極３５〜３８は基準面Ｓ２から所定距離Ｄ３離れて位置する。第５の内部電極４１〜４４が基準面Ｓ２に接するのに対し、第６の内部電極４５〜４８は基準面Ｓ２から所定距離Ｄ４離れて位置する。そのため、基準面Ｓ２付近において過度に電歪による歪みを生じることが抑制される。
（第６実施形態）
【０１５４】
図１６〜図１８を参照して、第６実施形態に係る積層コンデンサアレイＣＡ６の構成について説明する。第６実施形態に係る積層コンデンサアレイＣＡ６は、第１〜第６の内部電極の配置の点で第４実施形態に係る積層コンデンサアレイＣＡ４とは異なる。図１６は、第６実施形態に係る積層コンデンサアレイの斜視図である。図１７は、第６実施形態に係る積層コンデンサアレイに含まれるコンデンサ素体の分解斜視図である。図１８は、図１６に示した積層コンデンサアレイのXVIII−XVIII矢印断面の構成を説明するための図である。
【０１５５】
第６実施形態に係る積層コンデンサアレイＣＡ６は、図１６に示されるように、コンデンサ素体Ｌ６と、コンデンサ素体Ｌ６の外表面に配置された第１〜第６の端子電極１〜６とを備える。
【０１５６】
コンデンサ素体Ｌ６は、図１６に示されるように、直方体状であり、互いに対向する長方形状の第１及び第２の主面Ｌ６ａ、Ｌ６ｂと、第１及び第２の主面Ｌ６ａ、Ｌ６ｂ間を連結するように第1及び第２の主面の短辺方向に伸び且つ互いに対向する第１及び第２の端面Ｌ６ｃ、Ｌ６ｄと、第1及び第２の主面Ｌ６ａ、Ｌ６ｂ間を連結するように第1及び第２の主面Ｌ６ａ、Ｌ６ｂの長辺方向に伸び且つ互いに対向する第１及び第２の側面Ｌ６ｅ、Ｌ６ｆと、を有する。
【０１５７】
第１、第３及び第５の端子電極１、３、５は、コンデンサ素体Ｌ６の第１の側面Ｌ６ｅに、この順で第１の端面Ｌ６ｃ側から第２の端面Ｌ６ｄ側に向かって配置されている。第２、第４、及び第６の端子電極２、４、６は、コンデンサ素体Ｌ６の第２の側面Ｌ６ｆに、この順で第１の端面Ｌ６ｃ側から第２の端面Ｌ６ｄ側に向かって配置されている。第１及び第２の端子電極１、２、第３及び第４の端子電極３、４、並びに第５及び第６の端子電極５、６はそれぞれ、第１及び第２の側面Ｌ６ｅ、Ｌ６ｆの対向方向で対向する。
【０１５８】
コンデンサ素体Ｌ６は、図１７に示されるように、積層された複数（本実施形態では、８層）の誘電体層１０〜１８を有する。
【０１５９】
図１７に示されているように、コンデンサ素体Ｌ６には、第１〜第３の電極群２０、３０、４０が含まれている。第１の電極群２０は、複数（本実施形態では２層）の第１の内部電極２１、２２及び複数（本実施形態では４層）の第２の内部電極２５〜２８を有する。第２の電極群３０は、複数（本実施形態では４層）の第３の内部電極３１〜３４及び複数（本実施形態では２層）の第４の内部電極３５、３６を有する。第３の電極群４０は、複数（本実施形態では４層）の第５の内部電極４１〜４４及び複数（本実施形態では２層）の第６の内部電極４５、４６を有する。
【０１６０】
第１〜第３の電極群２０、３０、４０は、コンデンサ素体Ｌ６内において第１及び第２の端面Ｌ６ｃ、Ｌ６ｄの対向方向に沿って併置されている。具体的には、第１、第２、及び第３の電極群２０、３０、４０は、第１の端面Ｌ６ｃ側から第２の端面Ｌ６ｄ側に向かってこの順で併置されている。
【０１６１】
第１の電極群２０に含まれる第１及び第２の内部電極２１、２２、２５〜２８は、第１の主面Ｌ６ａから第２の主面Ｌ６ｂに向かって、第１の内部電極２１、第２の内部電極２５、第２の内部電極２６、第１の内部電極２２、第２の内部電極２７、第２の内部電極２８の順で配置されている。第２の電極群３０に含まれる第３及び第４の内部電極３１〜３４、３５、３６は、第１の主面Ｌ６ａから第２の主面Ｌ６ｂに向かって、第３の内部電極３１、第４の内部電極３５、第３の内部電極３２、第３の内部電極３３、第４の内部電極３６、第３の内部電極３４の順で配置されている。第３の電極群４０に含まれる第５及び第６の内部電極４１〜４４、４５、４６は、第１の主面Ｌ６ａから第２の主面Ｌ６ｂに向かって、第５の内部電極４１、第６の内部電極４５、第５の内部電極４２、第５の内部電極４３、第６の内部電極４６、第５の内部電極４４の順で配置されている。
【０１６２】
コンデンサ素体Ｌ６内において、第１の内部電極２１、２２は何れも、第１及び第２の主面Ｌ６ａ、Ｌ６ｂの対向方向において第３及び第４の内部電極３１〜３４、３５、３６の何れとも異なる位置に配置されている。コンデンサ素体Ｌ６内において、第２の内部電極２６、２８は何れも、第１及び第２の主面Ｌ６ａ、Ｌ６ｂの対向方向において第５及び第６の内部電極４１、４２、４５〜４８８の何れとも異なる位置に配置されている。
【０１６３】
コンデンサ素体Ｌ６内において、第４の内部電極３５、３６は何れも、第１及び第２の主面Ｌ６ａ、Ｌ６ｂの対向方向において第１及び第２の内部電極２１、２２、２５〜２８の何れとも異なる位置に配置されている。コンデンサ素体Ｌ６内において、第３の内部電極３２、３４は何れも、第１及び第２の主面Ｌ６ａ、Ｌ６ｂの対向方向において第５及び第６の内部電極４１、４２、４５〜４８の何れとも異なる位置に配置されている。
【０１６４】
コンデンサ素体Ｌ６内において、第５の内部電極４１、４３は何れも、第１及び第２の主面Ｌ６ａ、Ｌ６ｂの対向方向において第３及び第４の内部電極３１〜３４、３５、３６の何れとも異なる位置に配置されている。コンデンサ素体Ｌ６内において、第５の内部電極４２、４４は何れも、第１及び第２の主面Ｌ６ａ、Ｌ６ｂの対向方向において第１及び第２の内部電極２１、２２、２５〜２８の何れとも異なる位置に配置されている。
【０１６５】
コンデンサ素体Ｌ６内において、第１の内部電極２１と第５の内部電極４１とが、第１の内部電極２２と第３の内部電極３１と第６の内部電極４５とが、第４の内部電極３５と第５の内部電極４２とが、第２の内部電極２６と第３の内部電極３２とが、第１の内部電極２２と第５の内部電極４３とが、第２の内部電極２７と第３の内部電極３３と第６の内部電極４６とが、第４の内部電極３６と第５の内部電極４４とが、第２の内部電極２８と第３の内部電極３４とが、それぞれ第１及び第２の主面Ｌ６ａ、Ｌ６ｂの対向方向において同層に配置されている。
【０１６６】
第１及び第２の内部電極２１、２５は誘電体層１１を間に挟んで、第１及び第２の内部電極２２、２６は誘電体層１４を間に挟んで、第１及び第２の内部電極２２、２７は誘電体層１５を間に挟んで、それぞれ第１及び第２の主面Ｌ６ａ、Ｌ６ｂの対向方向に沿って互いに対向している。
【０１６７】
第２の内部電極２５、２６は、第１及び第２の主面Ｌ６ａ、Ｌ６ｂの対向方向で見て、誘電体層１２、１３を介して隣り合って配置されている。第２の内部電極２７、２８は、第１及び第２の主面Ｌ６ａ、Ｌ６ｂの対向方向で見て、誘電体層１６、１７を介して隣り合って配置されている。
【０１６８】
第３及び第４の内部電極３１、３５は誘電体層１２を間に挟んで、第３及び第４の内部電極３２、３５は誘電体層１３を間に挟んで、第３及び第４の内部電極３３、３６は誘電体層１６を間に挟んで、第３及び第４の内部電極３４、３６は誘電体層１７を間に挟んで、それぞれ第１及び第２の主面Ｌ６ａ、Ｌ６ｂの対向方向に沿って互いに対向している。
【０１６９】
第３の内部電極３１と第１の主面Ｌ６ａとは、第１及び第２の主面Ｌ６ａ、Ｌ６ｂの対向方向で見て、誘電体層１０、１１を介して隣り合って配置されている。第３の内部電極３２、３３は、第１及び第２の主面Ｌ６ａ、Ｌ６ｂの対向方向で見て、誘電体層１４、１５を介して隣り合って配置されている。
【０１７０】
第５及び第６の内部電極４１、４５は誘電体層１１を間に挟んで、第５及び第６の内部電極４２、４５は誘電体層１２を間に挟んで、第５及び第６の内部電極４３、４６は誘電体層１５を間に挟んで、第５及び第６の内部電極４４、４６は誘電体層１６を間に挟んで、それぞれ第１及び第２の主面Ｌ６ａ、Ｌ６ｂの対向方向に沿って互いに対向している。
【０１７１】
第５の内部電極４２、４３は、第１及び第２の主面Ｌ６ａ、Ｌ６ｂの対向方向で見て、誘電体層１３、１４を介して隣り合って配置されている。第５の内部電極４４と第２の主面Ｌ６ｂとは、第１及び第２の主面Ｌ６ａ、Ｌ６ｂの対向方向で見て、誘電体層１７、１８を介して隣り合って配置されている。
【０１７２】
第１の内部電極２１、２２は、主電極部２１ａ、２２ａと、主電極部２１ａ、２２ａから第１の側面Ｌ６ｅに露出するように伸びる引き出し部２１ｂ、２２ｂとを含んでいる。引き出し部２１ｂ、２２ｂは、第１の端子電極１に物理的に接続される。
【０１７３】
第２の内部電極２５〜２８は、主電極部２５ａ〜２８ａと、主電極部２５ａ〜２８ａから第２の側面Ｌ６ｆに露出するように伸びる引き出し部２５ｂ〜２８ｂとを含んでいる。引き出し部２５ｂ〜２８ｂは、第２の端子電極２に物理的に接続される。
【０１７４】
第３の内部電極３１〜３４は、主電極部３１ａ〜３４ａと、主電極部３１ａ〜３４ａから第１の側面Ｌ６ｅに露出するように伸びる引き出し部３１ｂ〜３４ｂとを含んでいる。引き出し部３１ｂ〜３４ｂは、第３の端子電極３に物理的に接続される。
【０１７５】
第４の内部電極３５、３６は、主電極部３５ａ、３６ａと、主電極部３５ａ、３６ａから第２の側面Ｌ６ｆに露出するように伸びる引き出し部３５ｂ、３６ｂとを含んでいる。引き出し部３５ｂ、３６ｂは、第４の端子電極４に物理的に接続される。
【０１７６】
第５の内部電極４１〜４４は、主電極部４１ａ〜４４ａと、主電極部４１ａ〜４４ａから第１の側面Ｌ６ｅに露出するように伸びる引き出し部４１ｂ〜４４ｂとを含んでいる。引き出し部４１ｂ〜４４ｂは、第５の端子電極５に物理的に接続される。
【０１７７】
第６の内部電極４５、４６は、主電極部４５ａ、４６ａと、主電極部４５ａ、４６ａから第２の側面Ｌ６ｆに露出するように伸びる引き出し部４５ｂ、４６ｂとを含んでいる。引き出し部４５ｂ、４６ｂは、第６の端子電極６に物理的に接続される。
【０１７８】
図１７及び図１８に示されているように、仮想的な基準面Ｓ１として、第１及び第２の主面Ｌ６ａ、Ｌ６ｂの対向方向に平行な仮想面を考える。第１及び第２の電極群２０、３０は、基準面Ｓ１に直交する方向である第１及び第２の主面Ｌ６ａ、Ｌ６ｂの対向方向と直交する方向に沿って併置されている。すなわち、コンデンサ素体Ｌ６内において、第１及び第２の内部電極２１、２２、２５〜２８は基準面Ｓ１に対し第１の端面Ｌ６ｃ側に、第３及び第４の内部電極３１〜３４、３５、３６は基準面Ｓ１に対し第２の端面Ｌ６ｄ側にそれぞれ配置されている。
【０１７９】
さらに仮想的な基準面Ｓ２として、第１及び第２の主面Ｌ６ａ、Ｌ６ｂの対向方向に平行な仮想面を考える。第２及び第３の電極群３０、４０は、基準面Ｓ２に直交する方向である第１及び第２の主面Ｌ６ａ、Ｌ６ｂの対向方向と直交する方向に沿って併置されている。すなわち、コンデンサ素体Ｌ６内において、第３及び第４の内部電極３１〜３４、３５、３６は基準面Ｓ２に対し第１の端面Ｌ６ｃ側に、第５及び第６の内部電極４１〜４４、４５、４６は基準面Ｓ２に対し第２の端面Ｌ６ｄ側にそれぞれ配置されている。
【０１８０】
第１の内部電極２１、２２は、主電極部２１ａ、２２ａの第２の端面Ｌ６ｄ側の辺が基準面Ｓ１に接するように配置されている。第２の内部電極２５〜２８は、主電極部２５ａ〜２８ａの第２の端面Ｌ６ｄ側の辺が基準面Ｓ１から第１の端面Ｌ６ｃ側に所定距離Ｄ１離れるように配置されている。
【０１８１】
第３の内部電極３１〜３４の主電極部３１ａ〜３４ａの第１の端面Ｌ６ｃ側の辺が基準面Ｓ１にそれぞれ接する。第３の内部電極３１〜３４の主電極部３１ａ〜３４ａの第２の端面Ｌ６ｄ側の辺が基準面Ｓ２にそれぞれ接する。
【０１８２】
第４の内部電極３５、３６は、主電極部３５ａ、３６ａの第１の端面Ｌ６ｃ側の辺が基準面Ｓ１から第２の端面Ｌ６ｄ側に所定距離Ｄ２離れるように配置されている。第４の内部電極３５、３６は、主電極部３５ａ、３６ａの第２の端面Ｌ６ｄ側の辺が基準面Ｓ２から第１の端面Ｌ６ｃ側に所定距離Ｄ３離れるように配置されている。
【０１８３】
第５の内部電極４１〜４４は、主電極部４１ａ〜４４ａの第１の端面Ｌ６ｃ側の辺が基準面Ｓ２に接するように配置されている。第５の内部電極４５、４６は、主電極部４５ａ、４６ａの第１の端面Ｌ６ｃ側の辺が基準面Ｓ２から第２の端面Ｌ６ｄ側に所定距離Ｄ４離れるように配置されている。
【０１８４】
積層コンデンサアレイＣＡ６では、第１及び第２の内部電極２１、２２、２５〜２８が誘電体層を間に挟んで対向する内部電極を有し、これらの互いに対向する第１及び第２の内部電極が積層コンデンサアレイＣＡ６に含まれるコンデンサの１つを形成する。
【０１８５】
積層コンデンサアレイＣＡ６では、第３及び第４の内部電極３１〜３４、３５、３６が誘電体層を間に挟んで対向する内部電極を有し、これらの互いに対向する第３及び第４の内部電極が積層コンデンサアレイＣＡ６に含まれるコンデンサの１つを形成する。
【０１８６】
積層コンデンサアレイＣＡ６では、第５及び第６の内部電極４１〜４４、４５、４６が誘電体層を間に挟んで対向する内部電極を有し、これらの互いに対向する第５及び第６の内部電極が積層コンデンサアレイＣＡ６に含まれるコンデンサの１つを形成する。
【０１８７】
上述したように、積層コンデンサアレイＣＡ６では、第１及び第２の内部電極２１、２２、２５〜２８によって形成されるコンデンサ、並びに第３及び第４の内部電極３１〜３４、３５、３６によって形成されるコンデンサに電圧が印加され、それぞれのコンデンサに電歪が生じた場合であっても、第１及び第３の内部電極２１、２２、３１〜３４が基準面Ｓ１と接するように配置されているため、コンデンサの間の基準面Ｓ１付近にも電歪が発生する。これにより、基準面Ｓ１付近に応力が集中することが抑制される。
【０１８８】
また、積層コンデンサアレイＣＡ６では、第３及び第４の内部電極３１〜３４、３５、３６、並びに第５及び第６の内部電極４１〜４４、４５、４６によって形成されるコンデンサに電圧が印加され、それぞれのコンデンサに電歪が生じた場合であっても、第３及び第５の内部電極３１〜３４、４１〜４４が基準面Ｓ２と接するように配置されているため、コンデンサの間の基準面Ｓ２付近にも電歪が発生する。これにより、基準面Ｓ２付近に応力が集中することが抑制される。
【０１８９】
応力の集中を抑制することにより、積層コンデンサアレイＣＡ６ではクラックの発生を抑制することも可能となる。
【０１９０】
第１の内部電極２１、２２が基準面Ｓ１に接するのに対し、第２の内部電極２５〜２８は基準面Ｓ１から所定距離Ｄ１離れて位置する。第３の内部電極３１〜３４が基準面Ｓ１に接するのに対し、第４の内部電極３５、３６は基準面Ｓ１から所定距離Ｄ２離れて位置する。そのため、基準面Ｓ１付近において過度に電歪による歪みを生じることが抑制される。
【０１９１】
第３の内部電極３１〜３４が基準面Ｓ２に接するのに対し、第４の内部電極３５、３６は基準面Ｓ２から所定距離Ｄ３離れて位置する。第５の内部電極４１〜４４が基準面Ｓ２に接するのに対し、第６の内部電極４５、４６は基準面Ｓ２から所定距離Ｄ４離れて位置する。そのため、基準面Ｓ２付近において過度に電歪による歪みを生じることが抑制される。
【０１９２】
第４の内部電極３５、３６は何れも、第１及び第２の主面Ｌ６ａ、Ｌ６ｂの対向方向において第１及び第２の内部電極２１、２２、２５〜２８の何れとも異なる位置に配置されている。また、第５の内部電極４２、４４は何れも、第１及び第２の主面Ｌ６ａ、Ｌ６ｂの対向方向において第１及び第２の内部電極２１、２２、２５〜２８の何れとも異なる位置に配置されている。そのため、積層コンデンサアレイＣＡ６では、第２の内部電極２５、２６間の間隔（誘電体層１２、１３）、及び第２の内部電極２７、２８間の間隔（誘電体層１６、１７）、をそれぞれ誘電体層２層分と大きくとれる。その結果、電歪緩和層を大きく有することができ、積層コンデンサアレイＣＡ６では電歪によって発生する振動を抑制することが可能となる。
【０１９３】
第１の内部電極２１、２２は何れも、第１及び第２の主面Ｌ６ａ、Ｌ６ｂの対向方向において第３及び第４の内部電極３１〜３４、３５、３６の何れとも異なる位置に配置されている。また、第５の内部電極４１、４３は何れも、第１及び第２の主面Ｌ６ａ、Ｌ６ｂの対向方向において第３及び第４の内部電極３１〜３４、３５、３６の何れとも異なる位置に配置されている。そのため、積層コンデンサアレイＣＡ６では、第１の主面Ｌ６ａと第３の内部電極３１との間隔（誘電体層１０、１１）、及び第３の内部電極３２、３３間の間隔（誘電体層１４、１５）をそれぞれ誘電体層２層分と大きくとれる。その結果、電歪緩和層を大きく有することができ、積層コンデンサアレイＣＡ６では電歪によって発生する振動を抑制することが可能となる。
【０１９４】
第２の内部電極２６、２８は何れも、第１及び第２の主面Ｌ６ａ、Ｌ６ｂの対向方向において第５及び第６の内部電極４１〜４４、４５、４６の何れとも異なる位置に配置されている。また、第３の内部電極３２、３４は何れも、第１及び第２の主面Ｌ６ａ、Ｌ６ｂの対向方向において第５及び第６の内部電極４１〜４４、４５、４６の何れとも異なる位置に配置されている。そのため、積層コンデンサアレイＣＡ６では、第５の内部電極４２、４３間の間隔（誘電体層１３、１４）、及び第５の内部電極４４と第２の主面Ｌ６ｂとの間隔（誘電体層１７、１８）をそれぞれ誘電体層２層分と大きくとれる。その結果、電歪緩和層を大きく有することができ、積層コンデンサアレイＣＡ６では電歪によって発生する振動を抑制することが可能となる。
【０１９５】
２層の第２の内部電極２５、２６、及び２層の第２の内部電極２７、２８はそれぞれ、第１及び第２の主面Ｌ６ａ、Ｌ６ｂの対向方向で見て隣り合って配置されている。同極性の内部電極２５、２６が隣接して対向している間に位置する誘電体層１２、１３、及び同極性の内部電極２７、２８が隣接して対向している間に位置する誘電体層１６、１７には何れも、積層コンデンサアレイに電圧を印加したとしても対向電極による電界は生じない。したがって、その分、電歪によって発生する積層コンデンサアレイＣＡ６の振動は抑制される。
【０１９６】
２層の第３の内部電極３２、３３は、第１及び第２の主面Ｌ６ａ、Ｌ６ｂの対向方向で見て隣り合って配置されている。同極性の内部電極３２、３３が隣接して対向している間に位置する誘電体層１４、１５には、積層コンデンサアレイに電圧を印加したとしても対向電極による電界は生じない。したがって、その分、電歪によって発生する積層コンデンサアレイＣＡ６の振動は抑制される。
【０１９７】
２層の第５の内部電極４２、４３は、第１及び第２の主面Ｌ６ａ、Ｌ６ｂの対向方向で見て隣り合って配置されている。同極性の内部電極４２、４３が隣接して対向している間に位置する誘電体層１３、１４には、積層コンデンサアレイに電圧を印加したとしても対向電極による電界は生じない。したがって、その分、電歪によって発生する積層コンデンサアレイＣＡ６の振動は抑制される。
（第７実施形態）
【０１９８】
図１９〜図２１を参照して、第７実施形態に係る積層コンデンサアレイＣＡ７の構成について説明する。第７実施形態に係る積層コンデンサアレイＣＡ７は、第１〜第６の端子電極１〜６及び第１〜第６の内部電極の配置の点で第４実施形態に係る積層コンデンサアレイＣＡ４とは異なる。図１９は、第７実施形態に係る積層コンデンサアレイの斜視図である。図２０は、第７実施形態に係る積層コンデンサアレイに含まれるコンデンサ素体の分解斜視図である。図２１は、図１９に示した積層コンデンサアレイのXXI−XXI矢印断面の構成を説明するための図である。
【０１９９】
第７実施形態に係る積層コンデンサアレイＣＡ７は、図１９に示されるように、コンデンサ素体Ｌ７と、コンデンサ素体Ｌ７の外表面に配置された第１〜第６の端子電極１〜６とを備える。
【０２００】
コンデンサ素体Ｌ７は、図１９に示されるように、直方体状であり、互いに対向する長方形状の第１及び第２の主面Ｌ７ａ、Ｌ７ｂと、第１及び第２の主面Ｌ７ａ、Ｌ７ｂ間を連結するように第1及び第２の主面の短辺方向に伸び且つ互いに対向する第１及び第２の端面Ｌ７ｃ、Ｌ７ｄと、第1及び第２の主面Ｌ７ａ、Ｌ７ｂ間を連結するように第1及び第２の主面Ｌ７ａ、Ｌ７ｂの長辺方向に伸び且つ互いに対向する第１及び第２の側面Ｌ７ｅ、Ｌ７ｆと、を有する。
【０２０１】
第１、第４及び第５の端子電極１、４、５は、コンデンサ素体Ｌ７の第１の側面Ｌ７ｅに、この順で第１の端面Ｌ７ｃ側から第２の端面Ｌ７ｄ側に向かって配置されている。第２、第３、及び第６の端子電極２、３、６は、コンデンサ素体Ｌ７の第２の側面Ｌ７ｆに、この順で第１の端面Ｌ７ｃ側から第２の端面Ｌ７ｄ側に向かって配置されている。第１及び第２の端子電極１、２、第３及び第４の端子電極３、４、並びに第５及び第６の端子電極５、６はそれぞれ、第１及び第２の側面Ｌ７ｅ、Ｌ７ｆの対向方向で対向する。
【０２０２】
コンデンサ素体Ｌ７は、図２０に示されるように、積層された複数（本実施形態では、８層）の誘電体層１０〜１８を有する。
【０２０３】
図２０に示されているように、コンデンサ素体Ｌ７には、第１〜第３の電極群２０、３０、４０が含まれている。第１の電極群２０は、複数（本実施形態では４層）の第１の内部電極２１〜２４及び複数（本実施形態では２層）の第２の内部電極２５、２６を有する。第２の電極群３０は、複数（本実施形態では４層）の第３の内部電極３１〜３４及び複数（本実施形態では２層）の第４の内部電極３５、３６を有する。第３の電極群４０は、複数（本実施形態では２層）の第５の内部電極４１、４２及び複数（本実施形態では４層）の第６の内部電極４５〜４８を有する。
【０２０４】
第１〜第３の電極群２０、３０、４０は、コンデンサ素体Ｌ７内において第１及び第２の端面Ｌ７ｃ、Ｌ７ｄの対向方向に沿って併置されている。具体的には、第１、第２、及び第３の電極群２０、３０、４０は、第１の端面Ｌ７ｃ側から第２の端面Ｌ７ｄ側に向かってこの順で併置されている。
【０２０５】
第１の電極群２０に含まれる第１及び第２の内部電極２１〜２４、２５、２６は、第１の主面Ｌ７ａから第２の主面Ｌ７ｂに向かって、第２の内部電極２５、第１の内部電極２１、第１の内部電極２２、第２の内部電極２６、第１の内部電極２３、第１の内部電極２４の順で配置されている。第２の電極群３０に含まれる第３及び第４の内部電極３１〜３４、３５、３６は、第１の主面Ｌ７ａから第２の主面Ｌ７ｂに向かって、第３の内部電極３１、第３の内部電極３２、第４の内部電極３５、第３の内部電極３３、第３の内部電極３４、第４の内部電極３６の順で配置されている。第３の電極群４０に含まれる第５及び第６の内部電極４１、４２、４５〜４８は、第１の主面Ｌ７ａから第２の主面Ｌ７ｂに向かって、第６の内部電極４５、第５の内部電極４１、第６の内部電極４６、第６の内部電極４７、第５の内部電極４２、第６の内部電極４８の順で配置されている。
【０２０６】
コンデンサ素体Ｌ７内において、第１の内部電極２１、２３は何れも、第１及び第２の主面Ｌ７ａ、Ｌ７ｂの対向方向において第３及び第４の内部電極３１〜３４、３５、３６の何れとも異なる位置に配置されている。コンデンサ素体Ｌ７内において、第１の内部電極２２、２４は何れも、第１及び第２の主面Ｌ７ａ、Ｌ７ｂの対向方向において第５及び第６の内部電極４１、４２、４５〜４８の何れとも異なる位置に配置されている。
【０２０７】
コンデンサ素体Ｌ７内において、第３の内部電極３２、３４は何れも、第１及び第２の主面Ｌ７ａ、Ｌ７ｂの対向方向において第１及び第２の内部電極２１〜２４、２５、２６の何れとも異なる位置に配置されている。コンデンサ素体Ｌ７内において、第４の内部電極３５、３６は何れも、第１及び第２の主面Ｌ７ａ、Ｌ７ｂの対向方向において第５及び第６の内部電極４１、４２、４５〜４８の何れとも異なる位置に配置されている。
【０２０８】
コンデンサ素体Ｌ７内において、第５の内部電極４１、４２は何れも、第１及び第２の主面Ｌ７ａ、Ｌ７ｂの対向方向において第３及び第４の内部電極３１〜３４、３５、３６の何れとも異なる位置に配置されている。コンデンサ素体Ｌ７内において、第６の内部電極４６、４８は何れも、第１及び第２の主面Ｌ７ａ、Ｌ７ｂの対向方向において第１及び第２の内部電極２１〜２４、２５、２６の何れとも異なる位置に配置されている。
【０２０９】
コンデンサ素体Ｌ７内において、第２の内部電極２５と第３の内部電極３１と第６の内部電極４５とが、第１の内部電極２１と第５の内部電極４１とが、第３の内部電極３２と第６の内部電極４６とが、第１の内部電極２２と第４の内部電極３５とが、第２の内部電極２６と第３の内部電極３３と第６の内部電極４７とが、第１の内部電極２３と第５の内部電極４２とが、第３の内部電極３４と第６の内部電極４８とが、第１の内部電極２４と第４の内部電極３６とが、それぞれ第１及び第２の主面Ｌ７ａ、Ｌ７ｂの対向方向において同層に配置されている。
【０２１０】
第１及び第２の内部電極２１、２５は誘電体層１１を間に挟んで、第１及び第２の内部電極２２、２６は誘電体層１４を間に挟んで、それぞれ第１及び第２の主面Ｌ７ａ、Ｌ７ｂの対向方向に沿って互いに対向している。
【０２１１】
第１の内部電極２１、２２は、第１及び第２の主面Ｌ７ａ、Ｌ７ｂの対向方向で見て、誘電体層１２、１３を介して隣り合って配置されている。第１の内部電極２３、２４は、第１及び第２の主面Ｌ７ａ、Ｌ７ｂの対向方向で見て、誘電体層１６、１７を介して隣り合って配置されている。
【０２１２】
第３及び第４の内部電極３２、３５は誘電体層１３を間に挟んで、第３及び第４の内部電極３３、３５は誘電体層１４を間に挟んで、第３及び第４の内部電極３４、３６は誘電体層１７を間に挟んで、それぞれ第１及び第２の主面Ｌ７ａ、Ｌ７ｂの対向方向に沿って互いに対向している。
【０２１３】
第３の内部電極３１、３２は、第１及び第２の主面Ｌ７ａ、Ｌ７ｂの対向方向で見て、誘電体層１１、１２を介して隣り合って配置されている。第３の内部電極３３、３４は、第１及び第２の主面Ｌ７ａ、Ｌ７ｂの対向方向で見て、誘電体層１５、１６を介して隣り合って配置されている。
【０２１４】
第５及び第６の内部電極４１、４５は誘電体層１１を間に挟んで、第５及び第６の内部電極４１、４６は誘電体層１２を間に挟んで、第５及び第６の内部電極４２、４７は誘電体層１５を間に挟んで、第５及び第６の内部電極４２、４８は誘電体層１６を間に挟んで、それぞれ第１及び第２の主面Ｌ７ａ、Ｌ７ｂの対向方向に沿って互いに対向している。
【０２１５】
第６の内部電極４６、４７は、第１及び第２の主面Ｌ７ａ、Ｌ７ｂの対向方向で見て、誘電体層１３、１４を介して隣り合って配置されている。第６の内部電極４８と第２の主面Ｌ７ｂとは、第１及び第２の主面Ｌ７ａ、Ｌ７ｂの対向方向で見て、誘電体層１７、１８を介して隣り合って配置されている。
【０２１６】
第１の内部電極２１〜２４は、主電極部２１ａ〜２４ａと、主電極部２１ａ〜２４ａから第１の側面Ｌ７ｅに露出するように伸びる引き出し部２１ｂ〜２４ｂとを含んでいる。引き出し部２１ｂ〜２４ｂは、第１の端子電極１に物理的に接続される。
【０２１７】
第２の内部電極２５、２６は、主電極部２５ａ、２６ａと、主電極部２５ａ、２６ａから第２の側面Ｌ７ｆに露出するように伸びる引き出し部２５ｂ、２６ｂとを含んでいる。引き出し部２５ｂ、２６ｂは、第２の端子電極２に物理的に接続される。
【０２１８】
第３の内部電極３１〜３４は、主電極部３１ａ〜３４ａと、主電極部３１ａ〜３４ａから第２の側面Ｌ７ｆに露出するように伸びる引き出し部３１ｂ〜３４ｂとを含んでいる。引き出し部３１ｂ〜３４ｂは、第３の端子電極３に物理的に接続される。
【０２１９】
第４の内部電極３５、３６は、主電極部３５ａ、３６ａと、主電極部３５ａ、３６ａから第１の側面Ｌ７ｅに露出するように伸びる引き出し部３５ｂ、３６ｂとを含んでいる。引き出し部３５ｂ、３６ｂは、第４の端子電極４に物理的に接続される。
【０２２０】
第５の内部電極４１、４２は、主電極部４１ａ、４２ａと、主電極部４１ａ、４２ａから第１の側面Ｌ７ｅに露出するように伸びる引き出し部４１ｂ、４２ｂとを含んでいる。引き出し部４１ｂ〜４４ｂは、第５の端子電極５に物理的に接続される。
【０２２１】
第６の内部電極４５〜４８は、主電極部４５ａ〜４８ａと、主電極部４５ａ〜４８ａから第２の側面Ｌ７ｆに露出するように伸びる引き出し部４５ｂ〜４８ｂとを含んでいる。引き出し部４５ｂ〜４８ｂは、第６の端子電極６に物理的に接続される。
【０２２２】
図２０及び図２１に示されているように、仮想的な基準面Ｓ１として、第１及び第２の主面Ｌ７ａ、Ｌ７ｂの対向方向に平行な仮想面を考える。第１及び第２の電極群２０、３０は、基準面Ｓ１に直交する方向である第１及び第２の主面Ｌ７ａ、Ｌ７ｂの対向方向と直交する方向に沿って併置されている。すなわち、コンデンサ素体Ｌ７内において、第１及び第２の内部電極２１〜２４、２５、２６は基準面Ｓ１に対し第１の端面Ｌ７ｃ側に、第３及び第４の内部電極３１〜３４、３５、３６は基準面Ｓ１に対し第２の端面Ｌ７ｄ側にそれぞれ配置されている。
【０２２３】
さらに仮想的な基準面Ｓ２として、第１及び第２の主面Ｌ７ａ、Ｌ７ｂの対向方向に平行な仮想面を考える。第２及び第３の電極群３０、４０は、基準面Ｓ２に直交する方向である第１及び第２の主面Ｌ７ａ、Ｌ７ｂの対向方向と直交する方向に沿って併置されている。すなわち、コンデンサ素体Ｌ７内において、第３及び第４の内部電極３１〜３４、３５、３６は基準面Ｓ２に対し第１の端面Ｌ７ｃ側に、第５及び第６の内部電極４１、４２、４５〜４８は基準面Ｓ２に対し第２の端面Ｌ７ｄ側にそれぞれ配置されている。
【０２２４】
第１の内部電極２１〜２４は、主電極部２１ａ〜２４ａの第２の端面Ｌ７ｄ側の辺が基準面Ｓ１に接するように配置されている。第２の内部電極２５、２６は、主電極部２５ａ、２６ａの第２の端面Ｌ７ｄ側の辺が基準面Ｓ１から第１の端面Ｌ７ｃ側に所定距離Ｄ１離れるように配置されている。
【０２２５】
第３の内部電極３１〜３４の主電極部３１ａ〜３４ａの第１の端面Ｌ７ｃ側の辺が基準面Ｓ１にそれぞれ接する。第３の内部電極３１〜３４の主電極部３１ａ〜３４ａの第２の端面Ｌ７ｄ側の辺が基準面Ｓ２にそれぞれ接する。
【０２２６】
第４の内部電極３５、３６は、主電極部３５ａ、３６ａの第１の端面Ｌ７ｃ側の辺が基準面Ｓ１から第２の端面Ｌ７ｄ側に所定距離Ｄ２離れるように配置されている。第４の内部電極３５、３６は、主電極部３５ａ、３６ａの第２の端面Ｌ７ｄ側の辺が基準面Ｓ２から第１の端面Ｌ７ｃ側に所定距離Ｄ３離れるように配置されている。
【０２２７】
第５の内部電極４１、４２は、主電極部４１ａ、４２ａの第１の端面Ｌ７ｃ側の辺が基準面Ｓ２に接するように配置されている。第５の内部電極４５〜４８は、主電極部４５ａ〜４８ａの第１の端面Ｌ７ｃ側の辺が基準面Ｓ２から第２の端面Ｌ７ｄ側に所定距離Ｄ４離れるように配置されている。
【０２２８】
積層コンデンサアレイＣＡ７では、第１及び第２の内部電極２１〜２４、２５、２６が誘電体層を間に挟んで対向する内部電極を有し、これらの互いに対向する第１及び第２の内部電極が積層コンデンサアレイＣＡ７に含まれるコンデンサの１つを形成する。
【０２２９】
積層コンデンサアレイＣＡ７では、第３及び第４の内部電極３１〜３４、３５、３６が誘電体層を間に挟んで対向する内部電極を有し、これらの互いに対向する第３及び第４の内部電極が積層コンデンサアレイＣＡ７に含まれるコンデンサの１つを形成する。
【０２３０】
積層コンデンサアレイＣＡ７では、第５及び第６の内部電極４１、４２、４５〜４８が誘電体層を間に挟んで対向する内部電極を有し、これらの互いに対向する第５及び第６の内部電極が積層コンデンサアレイＣＡ７に含まれるコンデンサの１つを形成する。
【０２３１】
上述したように、積層コンデンサアレイＣＡ７では、第１及び第２の内部電極２１〜２４、２５、２６によって形成されるコンデンサ、並びに第３及び第４の内部電極３１〜３４、３５、３６によって形成されるコンデンサに電圧が印加され、それぞれのコンデンサに電歪が生じた場合であっても、第１及び第３の内部電極２１〜２４、３１〜３４が基準面Ｓ１と接するように配置されているため、コンデンサの間の基準面Ｓ１付近にも電歪が発生する。これにより、基準面Ｓ１付近に応力が集中することが抑制される。
【０２３２】
また、積層コンデンサアレイＣＡ７では、第３及び第４の内部電極３１〜３４、３５、３６、並びに第５及び第６の内部電極４１、４２、４５〜４８によって形成されるコンデンサに電圧が印加され、それぞれのコンデンサに電歪が生じた場合であっても、第３及び第５の内部電極３１〜３４、４１、４２が基準面Ｓ２と接するように配置されているため、コンデンサの間の基準面Ｓ２付近にも電歪が発生する。これにより、基準面Ｓ２付近に応力が集中することが抑制される。
【０２３３】
応力の集中を抑制することにより、積層コンデンサアレイＣＡ７ではクラックの発生を抑制することも可能となる。
【０２３４】
第１の内部電極２１〜２４が基準面Ｓ１に接するのに対し、第２の内部電極２５、２６は基準面Ｓ１から所定距離Ｄ１離れて位置する。第３の内部電極３１〜３４が基準面Ｓ１に接するのに対し、第４の内部電極３５、３６は基準面Ｓ１から所定距離Ｄ２離れて位置する。そのため、基準面Ｓ１付近において過度に電歪による歪みを生じることが抑制される。
【０２３５】
第３の内部電極３１〜３４が基準面Ｓ２に接するのに対し、第４の内部電極３５、３６は基準面Ｓ２から所定距離Ｄ３離れて位置する。第５の内部電極４１、４２が基準面Ｓ２に接するのに対し、第６の内部電極４５〜４８は基準面Ｓ２から所定距離Ｄ４離れて位置する。そのため、基準面Ｓ２付近において過度に電歪による歪みを生じることが抑制される。
【０２３６】
第３の内部電極３２、３４は何れも、第１及び第２の主面Ｌ７ａ、Ｌ７ｂの対向方向において第１及び第２の内部電極２１〜２４、２５、２６の何れとも異なる位置に配置されている。また、第６の内部電極４６、４８は何れも、第１及び第２の主面Ｌ７ａ、Ｌ７ｂの対向方向において第１及び第２の内部電極２１〜２４、２５、２６の何れとも異なる位置に配置されている。そのため、積層コンデンサアレイＣＡ７では、第１の内部電極２１、２２間の間隔（誘電体層１２、１３）、及び第１の内部電極２３、２４間の間隔（誘電体層１６、１７）、をそれぞれ誘電体層２層分と大きくとれる。その結果、電歪緩和層を大きく有することができ、積層コンデンサアレイＣＡ７では電歪によって発生する振動を抑制することが可能となる。
【０２３７】
第１の内部電極２１、２３は何れも、第１及び第２の主面Ｌ７ａ、Ｌ７ｂの対向方向において第３及び第４の内部電極３１〜３４、３５、３６の何れとも異なる位置に配置されている。また、第５の内部電極４１、４２は何れも、第１及び第２の主面Ｌ７ａ、Ｌ７ｂの対向方向において第３及び第４の内部電極３１〜３４、３５、３６の何れとも異なる位置に配置されている。そのため、積層コンデンサアレイＣＡ７では、第３の内部電極３１、３２間の間隔（誘電体層１１、１２）、及び第３の内部電極３３、３４間の間隔（誘電体層１５、１６）をそれぞれ誘電体層２層分と大きくとれる。その結果、電歪緩和層を大きく有することができ、積層コンデンサアレイＣＡ７では電歪によって発生する振動を抑制することが可能となる。
【０２３８】
第１の内部電極２２、２４は何れも、第１及び第２の主面Ｌ７ａ、Ｌ７ｂの対向方向において第５及び第６の内部電極４１、４２、４５〜４８の何れとも異なる位置に配置されている。また、第４の内部電極３５、３６は何れも、第１及び第２の主面Ｌ７ａ、Ｌ７ｂの対向方向において第５及び第６の内部電極４１、４２、４５〜４８の何れとも異なる位置に配置されている。そのため、積層コンデンサアレイＣＡ７では、第６の内部電極４６、４７間の間隔（誘電体層１３、１４）、及び第６の内部電極４８と第２の主面Ｌ７ｂとの間隔（誘電体層１７、１８）をそれぞれ誘電体層２層分と大きくとれる。その結果、電歪緩和層を大きく有することができ、積層コンデンサアレイＣＡ７では電歪によって発生する振動を抑制することが可能となる。
【０２３９】
２層の第１の内部電極２１、２２、及び２層の第１の内部電極２３、２４はそれぞれ、第１及び第２の主面Ｌ７ａ、Ｌ７ｂの対向方向で見て隣り合って配置されている。同極性の内部電極２１、２２が隣接して対向している間に位置する誘電体層１２、１３、及び同極性の内部電極２３、２４が隣接して対向している間に位置する誘電体層１６、１７には何れも、積層コンデンサアレイに電圧を印加したとしても対向電極による電界は生じない。したがって、その分、電歪によって発生する積層コンデンサアレイＣＡ７の振動は抑制される。
【０２４０】
２層の第３の内部電極３１、３２は、及び２層の第３の内部電極３３、３４はそれぞれ、第１及び第２の主面Ｌ７ａ、Ｌ７ｂの対向方向で見て隣り合って配置されている。同極性の内部電極３１、３２が隣接して対向している間に位置する誘電体層１１、１２、及び同極性の内部電極３３、３４が隣接して対向している間に位置する誘電体層１５、１６には、積層コンデンサアレイに電圧を印加したとしても対向電極による電界は生じない。したがって、その分、電歪によって発生する積層コンデンサアレイＣＡ７の振動は抑制される。
【０２４１】
２層の第６の内部電極４６、４７は、第１及び第２の主面Ｌ７ａ、Ｌ７ｂの対向方向で見て隣り合って配置されている。同極性の内部電極４６、４７が隣接して対向している間に位置する誘電体層１３、１４には、積層コンデンサアレイに電圧を印加したとしても対向電極による電界は生じない。したがって、その分、電歪によって発生する積層コンデンサアレイＣＡ７の振動は抑制される。
（第８実施形態）
【０２４２】
図２２〜図２４を参照して、第８実施形態に係る積層コンデンサアレイＣＡ８の構成について説明する。第８実施形態に係る積層コンデンサアレイＣＡ８は、第１〜第６の内部電極の配置の点で第４実施形態に係る積層コンデンサアレイＣＡ４とは異なる。図２２は、第８実施形態に係る積層コンデンサアレイの斜視図である。図２３は、第８実施形態に係る積層コンデンサアレイに含まれるコンデンサ素体の分解斜視図である。図２４は、図２２に示した積層コンデンサアレイのXXIV−XXIV矢印断面の構成を説明するための図である。
【０２４３】
第８実施形態に係る積層コンデンサアレイＣＡ８は、図２２に示されるように、コンデンサ素体Ｌ８と、コンデンサ素体Ｌ８の外表面に配置された第１〜第６の端子電極１〜６とを備える。
【０２４４】
コンデンサ素体Ｌ８は、図２２に示されるように、直方体状であり、互いに対向する長方形状の第１及び第２の主面Ｌ８ａ、Ｌ８ｂと、第１及び第２の主面Ｌ８ａ、Ｌ８ｂ間を連結するように第1及び第２の主面の短辺方向に伸び且つ互いに対向する第１及び第２の端面Ｌ８ｃ、Ｌ８ｄと、第1及び第２の主面Ｌ８ａ、Ｌ８ｂ間を連結するように第1及び第２の主面Ｌ８ａ、Ｌ８ｂの長辺方向に伸び且つ互いに対向する第１及び第２の側面Ｌ８ｅ、Ｌ８ｆと、を有する。
【０２４５】
第１、第３及び第５の端子電極１、３、５は、コンデンサ素体Ｌ８の第１の側面Ｌ８ｅに、この順で第１の端面Ｌ８ｃ側から第２の端面Ｌ８ｄ側に向かって配置されている。第２、第４、及び第６の端子電極２、４、６は、コンデンサ素体Ｌ８の第２の側面Ｌ８ｆに、この順で第１の端面Ｌ８ｃ側から第２の端面Ｌ８ｄ側に向かって配置されている。第１及び第２の端子電極１、２、第３及び第４の端子電極３、４、並びに第５及び第６の端子電極５、６はそれぞれ、第１及び第２の側面Ｌ８ｅ、Ｌ８ｆの対向方向で対向する。
【０２４６】
コンデンサ素体Ｌ８は、図２３に示されるように、積層された複数（本実施形態では、８層）の誘電体層１０〜１８を有する。
【０２４７】
図２３に示されているように、コンデンサ素体Ｌ８には、第１〜第３の電極群２０、３０、４０が含まれている。第１の電極群２０は、複数（本実施形態では各２層）の第１及び第２の内部電極２１、２２、２５、２６を有する。第２の電極群３０は、複数（本実施形態では各２層）の第３及び第４の内部電極３１、３２、３５、３６を有する。第３の電極群４０は、複数（本実施形態では各２層）の第５及び第６の内部電極４１、４２、４５、４６を有する。
【０２４８】
第１〜第３の電極群２０、３０、４０は、コンデンサ素体Ｌ８内において第１及び第２の端面Ｌ８ｃ、Ｌ８ｄの対向方向に沿って併置されている。具体的には、第１、第２、及び第３の電極群２０、３０、４０は、第１の端面Ｌ８ｃ側から第２の端面Ｌ８ｄ側に向かってこの順で併置されている。
【０２４９】
第１の電極群２０に含まれる第１及び第２の内部電極２１、２２、２５、２６は、第１の主面Ｌ８ａから第２の主面Ｌ８ｂに向かって、第１の内部電極２１、第２の内部電極２５、第１の内部電極２２、第２の内部電極２６の順で配置されている。第２の電極群３０に含まれる第３及び第４の内部電極３１、３２、３５、３６は、第１の主面Ｌ８ａから第２の主面Ｌ８ｂに向かって、第４の内部電極３５、第３の内部電極３１、第４の内部電極３６、第３の内部電極３２の順で配置されている。第３の電極群４０に含まれる第５及び第６の内部電極４１、４２、４５、４６は、第１の主面Ｌ８ａから第２の主面Ｌ８ｂに向かって、第５の内部電極４１、第６の内部電極４５、第５の内部電極４２、第６の内部電極４６の順で配置されている。
【０２５０】
コンデンサ素体Ｌ８内において、第１及び第２の内部電極２１、２２、２５、２６は何れも、第１及び第２の主面Ｌ８ａ、Ｌ８ｂの対向方向において第３及び第４の内部電極３１、３２、３５、３６の何れとも異なる位置に配置されている。
【０２５１】
コンデンサ素体Ｌ８内において、第３及び第４の内部電極３１、３２、３５、３６は何れも、第１及び第２の主面Ｌ８ａ、Ｌ８ｂの対向方向において第１及び第２の内部電極２１、２２、２５、２６、並びに第５及び第６の内部電極４１、４２、４５、４６の何れとも異なる位置に配置されている。
【０２５２】
コンデンサ素体Ｌ８内において、第５及び第６の内部電極４１、４２、４５、４６は何れも、第１及び第２の主面Ｌ８ａ、Ｌ８ｂの対向方向において第３及び第４の内部電極３１、３２、３５、３６の何れとも異なる位置に配置されている。
【０２５３】
コンデンサ素体Ｌ８内において、第１の内部電極２１と第５の内部電極４１とが、第２の内部電極２５と第６の内部電極４５とが、第１の内部電極２２と第５の内部電極４２とが、第２の内部電極２６と第６の内部電極４６とが、それぞれ第１及び第２の主面Ｌ８ａ、Ｌ８ｂの対向方向において同層に配置されている。
【０２５４】
第１及び第２の内部電極２１、２５は誘電体層１１を間に挟んで、第１及び第２の内部電極２２、２６は誘電体層１５を間に挟んで、それぞれ第１及び第２の主面Ｌ８ａ、Ｌ８ｂの対向方向に沿って互いに対向している。第１及び第２の内部電極２２、２５は３層の誘電体層１２、１３、１４を間に挟んで、第１及び第２の主面Ｌ８ａ、Ｌ８ｂの対向方向に沿って互いに対向している。
【０２５５】
第２の内部電極２６と第２の主面Ｌ８ｂとは、第１及び第２の主面Ｌ８ａ、Ｌ８ｂの対向方向で見て、誘電体層１６、１７、１８を介して隣り合って配置されている。
【０２５６】
第３及び第４の内部電極３１、３５は誘電体層１３を間に挟んで、第３及び第４の内部電極３２、３６は誘電体層１７を間に挟んで、それぞれ第１及び第２の主面Ｌ８ａ、Ｌ８ｂの対向方向に沿って互いに対向している。第３及び第４の内部電極３１、３６は３層の誘電体層１４、１５、１６を間に挟んで、第１及び第２の主面Ｌ８ａ、Ｌ８ｂの対向方向に沿って互いに対向している。
【０２５７】
第１の主面Ｌ８ａと第４の内部電極３５とは、第１及び第２の主面Ｌ８ａ、Ｌ８ｂの対向方向で見て、誘電体層１０、１１、１２を介して隣り合って配置されている。
【０２５８】
第５及び第６の内部電極４１、４５は誘電体層１１を間に挟んで、第５及び第６の内部電極４２、４６は誘電体層１５を間に挟んで、それぞれ第１及び第２の主面Ｌ８ａ、Ｌ８ｂの対向方向に沿って互いに対向している。第５及び第６の内部電極４２、４５は３層の誘電体層１２、１３、１４を間に挟んで、第１及び第２の主面Ｌ８ａ、Ｌ８ｂの対向方向に沿って互いに対向している。
【０２５９】
第４の内部電極４６と第２の主面Ｌ８ｂとは、第１及び第２の主面Ｌ８ａ、Ｌ８ｂの対向方向で見て、誘電体層１６、１７、１８を介して隣り合って配置されている。
【０２６０】
第１の内部電極２１、２２は、主電極部２１ａ、２２ａと、主電極部２１ａ、２２ａから第１の側面Ｌ８ｅに露出するように伸びる引き出し部２１ｂ、２２ｂとを含んでいる。引き出し部２１ｂ、２２ｂは、第１の端子電極１に物理的に接続される。
【０２６１】
第２の内部電極２５、２６は、主電極部２５ａ、２６ａと、主電極部２５ａ、２６ａから第２の側面Ｌ８ｆに露出するように伸びる引き出し部２５ｂ、２６ｂとを含んでいる。引き出し部２５ｂ、２６ｂは、第２の端子電極２に物理的に接続される。
【０２６２】
第３の内部電極３１、３２は、主電極部３１ａ、３２ａと、主電極部３１ａ、３２ａから第１の側面Ｌ８ｅに露出するように伸びる引き出し部３１ｂ、３２ｂとを含んでいる。引き出し部３１ｂ、３２ｂは、第３の端子電極３に物理的に接続される。
【０２６３】
第４の内部電極３５、３６は、主電極部３５ａ、３６ａと、主電極部３５ａ、３６ａから第２の側面Ｌ８ｆに露出するように伸びる引き出し部３５ｂ、３６ｂとを含んでいる。引き出し部３５ｂ、３６ｂは、第４の端子電極４に物理的に接続される。
【０２６４】
第５の内部電極４１、４２は、主電極部４１ａ、４２ａと、主電極部４１ａ、４２ａから第１の側面Ｌ８ｅに露出するように伸びる引き出し部４１ｂ、４２ｂとを含んでいる。引き出し部４１ｂ〜４４ｂは、第５の端子電極５に物理的に接続される。
【０２６５】
第６の内部電極４５、４６は、主電極部４５ａ、４６ａと、主電極部４５ａ、４６ａから第２の側面Ｌ８ｆに露出するように伸びる引き出し部４５ｂ、４６ｂとを含んでいる。引き出し部４５ｂ、４６ｂは、第６の端子電極６に物理的に接続される。
【０２６６】
図２３及び図２４に示されているように、仮想的な基準面Ｓ１として、第１及び第２の主面Ｌ８ａ、Ｌ８ｂの対向方向に平行な仮想面を考える。第１及び第２の電極群２０、３０は、基準面Ｓ１に直交する方向である第１及び第２の主面Ｌ８ａ、Ｌ８ｂの対向方向と直交する方向に沿って併置されている。すなわち、コンデンサ素体Ｌ８内において、第１及び第２の内部電極２１、２２、２５、２６は基準面Ｓ１に対し第１の端面Ｌ８ｃ側に、第３及び第４の内部電極３１、３２、３５、３６は基準面Ｓ１に対し第２の端面Ｌ８ｄ側にそれぞれ配置されている。
【０２６７】
さらに仮想的な基準面Ｓ２として、第１及び第２の主面Ｌ８ａ、Ｌ８ｂの対向方向に平行な仮想面を考える。第２及び第３の電極群３０、４０は、基準面Ｓ２に直交する方向である第１及び第２の主面Ｌ８ａ、Ｌ８ｂの対向方向と直交する方向に沿って併置されている。すなわち、コンデンサ素体Ｌ８内において、第３及び第４の内部電極３１、３２、３５、３６は基準面Ｓ２に対し第１の端面Ｌ８ｃ側に、第５及び第６の内部電極４１、４２、４５、４６は基準面Ｓ２に対し第２の端面Ｌ８ｄ側にそれぞれ配置されている。
【０２６８】
第１の内部電極２１、２２は、主電極部２１ａ、２２ａの第２の端面Ｌ８ｄ側の辺が基準面Ｓ１に接するように配置されている。第２の内部電極２５、２６は、主電極部２５ａ、２６ａの第２の端面Ｌ８ｄ側の辺が基準面Ｓ１から第１の端面Ｌ８ｃ側に所定距離Ｄ１離れるように配置されている。
【０２６９】
第３の内部電極３１、３２の主電極部３１ａ、３２ａの第１の端面Ｌ８ｃ側の辺が基準面Ｓ１にそれぞれ接する。第３の内部電極３１、３２の主電極部３１ａ、３２ａの第２の端面Ｌ８ｄ側の辺が基準面Ｓ２にそれぞれ接する。
【０２７０】
第４の内部電極３５、３６は、主電極部３５ａ、３６ａの第１の端面Ｌ８ｃ側の辺が基準面Ｓ１から第２の端面Ｌ８ｄ側に所定距離Ｄ２離れるように配置されている。第４の内部電極３５、３６は、主電極部３５ａ、３６ａの第２の端面Ｌ８ｄ側の辺が基準面Ｓ２から第１の端面Ｌ８ｃ側に所定距離Ｄ３離れるように配置されている。
【０２７１】
第５の内部電極４１、４２は、主電極部４１ａ、４２ａの第１の端面Ｌ８ｃ側の辺が基準面Ｓ２に接するように配置されている。第５の内部電極４５、４６は、主電極部４５ａ、４６ａの第１の端面Ｌ８ｃ側の辺が基準面Ｓ２から第２の端面Ｌ８ｄ側に所定距離Ｄ４離れるように配置されている。
【０２７２】
積層コンデンサアレイＣＡ８では、第１及び第２の内部電極２１、２２、２５、２６が誘電体層を間に挟んで対向する内部電極を有し、これらの互いに対向する第１及び第２の内部電極が積層コンデンサアレイＣＡ８に含まれるコンデンサの１つを形成する。
【０２７３】
積層コンデンサアレイＣＡ８では、第３及び第４の内部電極３１、３２、３５、３６が誘電体層を間に挟んで対向する内部電極を有し、これらの互いに対向する第３及び第４の内部電極が積層コンデンサアレイＣＡ８に含まれるコンデンサの１つを形成する。
【０２７４】
積層コンデンサアレイＣＡ８では、第５及び第６の内部電極４１、４２、４５、４６が誘電体層を間に挟んで対向する内部電極を有し、これらの互いに対向する第５及び第６の内部電極が積層コンデンサアレイＣＡ８に含まれるコンデンサの１つを形成する。
【０２７５】
上述したように、積層コンデンサアレイＣＡ８では、第１及び第２の内部電極２１、２２、２５、２６によって形成されるコンデンサ、並びに第３及び第４の内部電極３１、３２、３５、３６によって形成されるコンデンサに電圧が印加され、それぞれのコンデンサに電歪が生じた場合であっても、第１及び第３の内部電極２１、２２、３１、３２が基準面Ｓ１と接するように配置されているため、コンデンサの間の基準面Ｓ１付近にも電歪が発生する。これにより、基準面Ｓ１付近に応力が集中することが抑制される。
【０２７６】
また、積層コンデンサアレイＣＡ８では、第３及び第４の内部電極３１、３２、３５、３６、並びに第５及び第６の内部電極４１、４２、４５、４６によって形成されるコンデンサに電圧が印加され、それぞれのコンデンサに電歪が生じた場合であっても、第３及び第５の内部電極３１、３２、４１、４２が基準面Ｓ２と接するように配置されているため、コンデンサの間の基準面Ｓ２付近にも電歪が発生する。これにより、基準面Ｓ２付近に応力が集中することが抑制される。
【０２７７】
応力の集中を抑制することにより、積層コンデンサアレイＣＡ８ではクラックの発生を抑制することも可能となる。
【０２７８】
第１の内部電極２１、２２が基準面Ｓ１に接するのに対し、第２の内部電極２５、２６は基準面Ｓ１から所定距離Ｄ１離れて位置する。第３の内部電極３１、３２が基準面Ｓ１に接するのに対し、第４の内部電極３５、３６は基準面Ｓ１から所定距離Ｄ２離れて位置する。そのため、基準面Ｓ１付近において過度に電歪による歪みを生じることが抑制される。
【０２７９】
第３の内部電極３１、３２が基準面Ｓ２に接するのに対し、第４の内部電極３５、３６は基準面Ｓ２から所定距離Ｄ３離れて位置する。第５の内部電極４１、４２が基準面Ｓ２に接するのに対し、第６の内部電極４５、４６は基準面Ｓ２から所定距離Ｄ４離れて位置する。そのため、基準面Ｓ２付近において過度に電歪による歪みを生じることが抑制される。
【０２８０】
第３及び第４の内部電極３１、３２、３５、３６は何れも、第１及び第２の主面Ｌ８ａ、Ｌ８ｂの対向方向において第１及び第２の内部電極２１、２２、２５、２６の何れとも異なる位置に配置されている。そのため、積層コンデンサアレイＣＡ８では、第１及び第２の内部電極２２、２５の間に３層の誘電体層１２、１３、１４を、第２の内部電極２６と第２の主面Ｌ８ｂとの間に３層の誘電体層１６、１７、１８を配置することができる。その結果、電歪緩和層を大きく有することができ、積層コンデンサアレイＣＡ８では電歪によって発生する振動を抑制することが可能となる。
【０２８１】
第１及び第２の内部電極２１、２２、２５、２６、並びに第５及び第６の内部電極４１、４２、４５、４６は何れも、第３及び第４の主面Ｌ８ａ、Ｌ８ｂの対向方向において第３及び第４の内部電極３１、３２、３５、３６の何れとも異なる位置に配置されている。そのため、積層コンデンサアレイＣＡ８では、第１の主面Ｌ８ａと第４の内部電極３５との間に３層の誘電体層１０、１１、１２を、第３及び第４の内部電極３１、３６の間に３層の誘電体層１４、１５、１６を配置することができる。その結果、電歪緩和層を大きく有することができ、積層コンデンサアレイＣＡ８では電歪によって発生する振動を抑制することが可能となる。
【０２８２】
第３及び第４の内部電極３１、３２、３５、３６は何れも、第１及び第２の主面Ｌ８ａ、Ｌ８ｂの対向方向において第５及び第６の内部電極４１、４２、４５、４６の何れとも異なる位置に配置されている。そのため、積層コンデンサアレイＣＡ８では、第５及び第６の内部電極４２、４５の間に３層の誘電体層１２、１３、１４を、第６の内部電極４６と第２の主面Ｌ８ｂとの間に３層の誘電体層１６、１７、１８を配置することができる。その結果、電歪緩和層を大きく有することができ、積層コンデンサアレイＣＡ８では電歪によって発生する振動を抑制することが可能となる。
（第９実施形態）
【０２８３】
図２５〜図２７を参照して、第９実施形態に係る積層コンデンサアレイＣＡ９の構成について説明する。第９実施形態に係る積層コンデンサアレイＣＡ９は、第１〜第６の端子電極１〜６及び第１〜第６の内部電極の配置の点で第４実施形態に係る積層コンデンサアレイＣＡ４とは異なる。図２５は、第９実施形態に係る積層コンデンサアレイの斜視図である。図２６は、第９実施形態に係る積層コンデンサアレイに含まれるコンデンサ素体の分解斜視図である。図２７は、図２５に示した積層コンデンサアレイのXXVII−XXVII矢印断面の構成を説明するための図である。
【０２８４】
第９実施形態に係る積層コンデンサアレイＣＡ９は、図２５に示されるように、コンデンサ素体Ｌ９と、コンデンサ素体Ｌ９の外表面に配置された第１〜第６の端子電極１〜６とを備える。
【０２８５】
コンデンサ素体Ｌ９は、図２５に示されるように、直方体状であり、互いに対向する長方形状の第１及び第２の主面Ｌ９ａ、Ｌ９ｂと、第１及び第２の主面Ｌ９ａ、Ｌ９ｂ間を連結するように第1及び第２の主面の短辺方向に伸び且つ互いに対向する第１及び第２の端面Ｌ９ｃ、Ｌ９ｄと、第1及び第２の主面Ｌ９ａ、Ｌ９ｂ間を連結するように第1及び第２の主面Ｌ９ａ、Ｌ９ｂの長辺方向に伸び且つ互いに対向する第１及び第２の側面Ｌ９ｅ、Ｌ９ｆと、を有する。
【０２８６】
第１、第４及び第５の端子電極１、４、５は、コンデンサ素体Ｌ９の第１の側面Ｌ９ｅに、この順で第１の端面Ｌ９ｃ側から第２の端面Ｌ９ｄ側に向かって配置されている。第２、第３、及び第６の端子電極２、３、６は、コンデンサ素体Ｌ９の第２の側面Ｌ９ｆに、この順で第１の端面Ｌ９ｃ側から第２の端面Ｌ９ｄ側に向かって配置されている。第１及び第２の端子電極１、２、第３及び第４の端子電極３、４、並びに第５及び第６の端子電極５、６はそれぞれ、第１及び第２の側面Ｌ９ｅ、Ｌ９ｆの対向方向で対向する。
【０２８７】
コンデンサ素体Ｌ９は、図２６に示されるように、積層された複数（本実施形態では、８層）の誘電体層１０〜１８を有する。
【０２８８】
図２６に示されているように、コンデンサ素体Ｌ９には、第１〜第３の電極群２０、３０、４０が含まれている。第１の電極群２０は、複数（本実施形態では各２層）の第１及び第２の内部電極２１、２２、２５、２６を有する。第２の電極群３０は、複数（本実施形態では各２層）の第３及び第４の内部電極３１、３２、３５、３６を有する。第３の電極群４０は、複数（本実施形態では各２層）の第５及び第６の内部電極４１、４２、４５、４６を有する。
【０２８９】
第１〜第３の電極群２０、３０、４０は、コンデンサ素体Ｌ９内において第１及び第２の端面Ｌ９ｃ、Ｌ９ｄの対向方向に沿って併置されている。具体的には、第１、第２、及び第３の電極群２０、３０、４０は、第１の端面Ｌ９ｃ側から第２の端面Ｌ９ｄ側に向かってこの順で併置されている。
【０２９０】
第１の電極群２０に含まれる第１及び第２の内部電極２１、２２、２５、２６は、第１の主面Ｌ９ａから第２の主面Ｌ９ｂに向かって、第２の内部電極２５、第１の内部電極２１、第２の内部電極２６、第１の内部電極２２の順で配置されている。第２の電極群３０に含まれる第３及び第４の内部電極３１、３２、３５、３６は、第１の主面Ｌ９ａから第２の主面Ｌ９ｂに向かって、第３の内部電極３１、第４の内部電極３５、第３の内部電極３２、第４の内部電極３６の順で配置されている。第３の電極群４０に含まれる第５及び第６の内部電極４１、４２、４５、４６は、第１の主面Ｌ９ａから第２の主面Ｌ９ｂに向かって、第６の内部電極４５、第５の内部電極４１、第６の内部電極４６、第５の内部電極４２の順で配置されている。
【０２９１】
コンデンサ素体Ｌ９内において、第１及び第２の内部電極２１、２２、２５、２６は何れも、第１及び第２の主面Ｌ９ａ、Ｌ９ｂの対向方向において第３及び第４の内部電極３１、３２、３５、３６の何れとも異なる位置に配置されている。
【０２９２】
コンデンサ素体Ｌ９内において、第３及び第４の内部電極３１、３２、３５、３６は何れも、第１及び第２の主面Ｌ９ａ、Ｌ９ｂの対向方向において第１及び第２の内部電極２１、２２、２５、２６、並びに第５及び第６の内部電極４１、４２、４５、４６の何れとも異なる位置に配置されている。
【０２９３】
コンデンサ素体Ｌ９内において、第５及び第６の内部電極４１、４２、４５、４６は何れも、第１及び第２の主面Ｌ９ａ、Ｌ９ｂの対向方向において第３及び第４の内部電極３１、３２、３５、３６の何れとも異なる位置に配置されている。
【０２９４】
コンデンサ素体Ｌ９内において、第２の内部電極２５と第６の内部電極４５とが、第１の内部電極２１と第５の内部電極４１とが、第２の内部電極２６と第６の内部電極４６とが、第１の内部電極２２と第５の内部電極４２とが、それぞれ第１及び第２の主面Ｌ９ａ、Ｌ９ｂの対向方向において同層に配置されている。
【０２９５】
第１及び第２の内部電極２１、２５は誘電体層１１を間に挟んで、第１及び第２の内部電極２２、２６は誘電体層１５を間に挟んで、それぞれ第１及び第２の主面Ｌ９ａ、Ｌ９ｂの対向方向に沿って互いに対向している。第１及び第２の内部電極２１、２６は３層の誘電体層１２、１３、１４を間に挟んで、第１及び第２の主面Ｌ９ａ、Ｌ９ｂの対向方向に沿って互いに対向している。
【０２９６】
第１の内部電極２２と第２の主面Ｌ９ｂとは、第１及び第２の主面Ｌ９ａ、Ｌ９ｂの対向方向で見て、誘電体層１６、１７、１８を介して隣り合って配置されている。
【０２９７】
第３及び第４の内部電極３１、３５は誘電体層１３を間に挟んで、第３及び第４の内部電極３２、３６は誘電体層１７を間に挟んで、それぞれ第１及び第２の主面Ｌ９ａ、Ｌ９ｂの対向方向に沿って互いに対向している。第３及び第４の内部電極３２、３５は３層の誘電体層１４、１５、１６を間に挟んで、第１及び第２の主面Ｌ９ａ、Ｌ９ｂの対向方向に沿って互いに対向している。
【０２９８】
第１の主面Ｌ９ａと第３の内部電極３１とは、第１及び第２の主面Ｌ９ａ、Ｌ９ｂの対向方向で見て、誘電体層１０、１１、１２を介して隣り合って配置されている。
【０２９９】
第５及び第６の内部電極４１、４５は誘電体層１１を間に挟んで、第５及び第６の内部電極４２、４６は誘電体層１５を間に挟んで、それぞれ第１及び第２の主面Ｌ９ａ、Ｌ９ｂの対向方向に沿って互いに対向している。第５及び第６の内部電極４１、４６は３層の誘電体層１２、１３、１４を間に挟んで、第１及び第２の主面Ｌ９ａ、Ｌ９ｂの対向方向に沿って互いに対向している。
【０３００】
第４の内部電極４６と第２の主面Ｌ９ｂとは、第１及び第２の主面Ｌ９ａ、Ｌ９ｂの対向方向で見て、誘電体層１６、１７、１８を介して隣り合って配置されている。
【０３０１】
第１の内部電極２１、２２は、主電極部２１ａ、２２ａと、主電極部２１ａ、２２ａから第１の側面Ｌ９ｅに露出するように伸びる引き出し部２１ｂ、２２ｂとを含んでいる。引き出し部２１ｂ、２２ｂは、第１の端子電極１に物理的に接続される。第２の内部電極２５、２６は、主電極部２５ａ、２６ａと、主電極部２５ａ、２６ａから第２の側面Ｌ９ｆに露出するように伸びる引き出し部２５ｂ、２６ｂとを含んでいる。引き出し部２５ｂ、２６ｂは、第２の端子電極２に物理的に接続される。
【０３０２】
第３の内部電極３１、３２は、主電極部３１ａ、３２ａと、主電極部３１ａ、３２ａから第２の側面Ｌ９ｆに露出するように伸びる引き出し部３１ｂ、３２ｂとを含んでいる。引き出し部３１ｂ、３２ｂは、第３の端子電極３に物理的に接続される。第４の内部電極３５、３６は、主電極部３５ａ、３６ａと、主電極部３５ａ、３６ａから第１の側面Ｌ９ｅに露出するように伸びる引き出し部３５ｂ、３６ｂとを含んでいる。引き出し部３５ｂ、３６ｂは、第４の端子電極４に物理的に接続される。
【０３０３】
第５の内部電極４１、４２は、主電極部４１ａ、４２ａと、主電極部４１ａ、４２ａから第１の側面Ｌ９ｅに露出するように伸びる引き出し部４１ｂ、４２ｂとを含んでいる。引き出し部４１ｂ〜４４ｂは、第５の端子電極５に物理的に接続される。第６の内部電極４５、４６は、主電極部４５ａ、４６ａと、主電極部４５ａ、４６ａから第２の側面Ｌ９ｆに露出するように伸びる引き出し部４５ｂ、４６ｂとを含んでいる。引き出し部４５ｂ、４６ｂは、第６の端子電極６に物理的に接続される。
【０３０４】
図２６及び図２７に示されているように、仮想的な基準面Ｓ１として、第１及び第２の主面Ｌ９ａ、Ｌ９ｂの対向方向に平行な仮想面を考える。第１及び第２の電極群２０、３０は、基準面Ｓ１に直交する方向である第１及び第２の主面Ｌ９ａ、Ｌ９ｂの対向方向と直交する方向に沿って併置されている。すなわち、コンデンサ素体Ｌ９内において、第１及び第２の内部電極２１、２２、２５、２６は基準面Ｓ１に対し第１の端面Ｌ９ｃ側に、第３及び第４の内部電極３１、３２、３５、３６は基準面Ｓ１に対し第２の端面Ｌ９ｄ側にそれぞれ配置されている。
【０３０５】
さらに仮想的な基準面Ｓ２として、第１及び第２の主面Ｌ９ａ、Ｌ９ｂの対向方向に平行な仮想面を考える。第２及び第３の電極群３０、４０は、基準面Ｓ２に直交する方向である第１及び第２の主面Ｌ９ａ、Ｌ９ｂの対向方向と直交する方向に沿って併置されている。すなわち、コンデンサ素体Ｌ９内において、第３及び第４の内部電極３１、３２、３５、３６は基準面Ｓ２に対し第１の端面Ｌ９ｃ側に、第５及び第６の内部電極４１、４２、４５、４６は基準面Ｓ２に対し第２の端面Ｌ９ｄ側にそれぞれ配置されている。
【０３０６】
第１の内部電極２１、２２は、主電極部２１ａ、２２ａの第２の端面Ｌ９ｄ側の辺が基準面Ｓ１に接するように配置されている。第２の内部電極２５、２６は、主電極部２５ａ、２６ａの第２の端面Ｌ９ｄ側の辺が基準面Ｓ１から第１の端面Ｌ９ｃ側に所定距離Ｄ１離れるように配置されている。
【０３０７】
第３の内部電極３１、３２の主電極部３１ａ、３２ａの第１の端面Ｌ９ｃ側の辺が基準面Ｓ１にそれぞれ接する。第３の内部電極３１、３２の主電極部３１ａ、３２ａの第２の端面Ｌ９ｄ側の辺が基準面Ｓ２にそれぞれ接する。
【０３０８】
第４の内部電極３５、３６は、主電極部３５ａ、３６ａの第１の端面Ｌ９ｃ側の辺が基準面Ｓ１から第２の端面Ｌ９ｄ側に所定距離Ｄ２離れるように配置されている。第４の内部電極３５、３６は、主電極部３５ａ、３６ａの第２の端面Ｌ９ｄ側の辺が基準面Ｓ２から第１の端面Ｌ９ｃ側に所定距離Ｄ３離れるように配置されている。
【０３０９】
第５の内部電極４１、４２は、主電極部４１ａ、４２ａの第１の端面Ｌ９ｃ側の辺が基準面Ｓ２に接するように配置されている。第５の内部電極４５、４６は、主電極部４５ａ、４６ａの第１の端面Ｌ９ｃ側の辺が基準面Ｓ２から第２の端面Ｌ９ｄ側に所定距離Ｄ４離れるように配置されている。
【０３１０】
積層コンデンサアレイＣＡ９では、第１及び第２の内部電極２１、２２、２５、２６が誘電体層を間に挟んで対向する内部電極を有し、これらの互いに対向する第１及び第２の内部電極が積層コンデンサアレイＣＡ９に含まれるコンデンサの１つを形成する。
【０３１１】
積層コンデンサアレイＣＡ９では、第３及び第４の内部電極３１、３２、３５、３６が誘電体層を間に挟んで対向する内部電極を有し、これらの互いに対向する第３及び第４の内部電極が積層コンデンサアレイＣＡ９に含まれるコンデンサの１つを形成する。
【０３１２】
積層コンデンサアレイＣＡ９では、第５及び第６の内部電極４１、４２、４５、４６が誘電体層を間に挟んで対向する内部電極を有し、これらの互いに対向する第５及び第６の内部電極が積層コンデンサアレイＣＡ９に含まれるコンデンサの１つを形成する。
【０３１３】
上述したように、積層コンデンサアレイＣＡ９では、第１及び第２の内部電極２１、２２、２５、２６によって形成されるコンデンサ、並びに第３及び第４の内部電極３１、３２、３５、３６によって形成されるコンデンサに電圧が印加され、それぞれのコンデンサに電歪が生じた場合であっても、第１及び第３の内部電極２１、２２、３１、３２が基準面Ｓ１と接するように配置されているため、コンデンサの間の基準面Ｓ１付近にも電歪が発生する。これにより、基準面Ｓ１付近に応力が集中することが抑制される。
【０３１４】
また、積層コンデンサアレイＣＡ９では、第３及び第４の内部電極３１、３２、３５、３６、並びに第５及び第６の内部電極４１、４２、４５、４６によって形成されるコンデンサに電圧が印加され、それぞれのコンデンサに電歪が生じた場合であっても、第３及び第５の内部電極３１、３２、４１、４２が基準面Ｓ２と接するように配置されているため、コンデンサの間の基準面Ｓ２付近にも電歪が発生する。これにより、基準面Ｓ２付近に応力が集中することが抑制される。
【０３１５】
応力の集中を抑制することにより、積層コンデンサアレイＣＡ９ではクラックの発生を抑制することも可能となる。
【０３１６】
第１の内部電極２１、２２が基準面Ｓ１に接するのに対し、第２の内部電極２５、２６は基準面Ｓ１から所定距離Ｄ１離れて位置する。第３の内部電極３１、３２が基準面Ｓ１に接するのに対し、第４の内部電極３５、３６は基準面Ｓ１から所定距離Ｄ２離れて位置する。そのため、基準面Ｓ１付近において過度に電歪による歪みを生じることが抑制される。
【０３１７】
第３の内部電極３１、３２が基準面Ｓ２に接するのに対し、第４の内部電極３５、３６は基準面Ｓ２から所定距離Ｄ３離れて位置する。第５の内部電極４１、４２が基準面Ｓ２に接するのに対し、第６の内部電極４５、４６は基準面Ｓ２から所定距離Ｄ４離れて位置する。そのため、基準面Ｓ２付近において過度に電歪による歪みを生じることが抑制される。
【０３１８】
第３及び第４の内部電極３１、３２、３５、３６は何れも、第１及び第２の主面Ｌ９ａ、Ｌ９ｂの対向方向において第１及び第２の内部電極２１、２２、２５、２６の何れとも異なる位置に配置されている。そのため、積層コンデンサアレイＣＡ９では、第１及び第２の内部電極２１、２６の間に３層の誘電体層１２、１３、１４を、第１の内部電極２２と第２の主面Ｌ９ｂとの間に３層の誘電体層１６、１７、１８を配置することができる。その結果、電歪緩和層を大きく有することができ、積層コンデンサアレイＣＡ９では電歪によって発生する振動を抑制することが可能となる。
【０３１９】
第１及び第２の内部電極２１、２２、２５、２６、並びに第５及び第６の内部電極４１、４２、４５、４６は何れも、第３及び第４の主面Ｌ９ａ、Ｌ９ｂの対向方向において第３及び第４の内部電極３１、３２、３５、３６の何れとも異なる位置に配置されている。そのため、積層コンデンサアレイＣＡ９では、第１の主面Ｌ９ａと第３の内部電極３１との間に３層の誘電体層１０、１１、１２を、第３及び第４の内部電極３２、３５の間に３層の誘電体層１４、１５、１６を配置することができる。その結果、電歪緩和層を大きく有することができ、積層コンデンサアレイＣＡ９では電歪によって発生する振動を抑制することが可能となる。
【０３２０】
第３及び第４の内部電極３１、３２、３５、３６は何れも、第１及び第２の主面Ｌ９ａ、Ｌ９ｂの対向方向において第５及び第６の内部電極４１、４２、４５、４６の何れとも異なる位置に配置されている。そのため、積層コンデンサアレイＣＡ９では、第５及び第６の内部電極４１、４６の間に３層の誘電体層１２、１３、１４を、第１の内部電極４２と第２の主面Ｌ９ｂとの間に３層の誘電体層１６、１７、１８を配置することができる。その結果、電歪緩和層を大きく有することができ、積層コンデンサアレイＣＡ９では電歪によって発生する振動を抑制することが可能となる。
（第１０実施形態）
【０３２１】
図２８〜図３０を参照して、第１０実施形態に係る積層コンデンサアレイＣＡ１０の構成について説明する。第１０実施形態に係る積層コンデンサアレイＣＡ１０は、端子電極の数の点で第１実施形態に係る積層コンデンサアレイＣＡ１とは異なる。図２８は、第１０実施形態に係る積層コンデンサアレイの斜視図である。図２９は、第１０実施形態に係る積層コンデンサアレイに含まれるコンデンサ素体の分解斜視図である。図３０は、図２８に示した積層コンデンサアレイのXXX−XXX矢印断面の構成を説明するための図である。
【０３２２】
第１０実施形態に係る積層コンデンサアレイＣＡ１０は、図２８に示されるように、コンデンサ素体Ｌ１０と、コンデンサ素体Ｌ１０の外表面に配置された第１〜第８の端子電極１〜８とを備える。第１〜第８の端子電極１〜８は、例えば導電性金属粉末及びガラスフリットを含む導電性ペーストをコンデンサ素体の外表面の付与し、焼き付けることによって形成される。必要に応じて、焼き付けられた端子電極の上にめっき層が形成されることもある。これらの第１〜第８の端子電極１〜８は、コンデンサ素体Ｌ１０の表面上においては互いに電気的に絶縁されて形成されている。
【０３２３】
コンデンサ素体Ｌ１０は、図２８に示されるように、直方体状であり、互いに対向する長方形状の第１及び第２の主面Ｌ１０ａ、Ｌ１０ｂと、第１及び第２の主面Ｌ１０ａ、Ｌ１０ｂ間を連結するように第1及び第２の主面の短辺方向に伸び且つ互いに対向する第１及び第２の端面Ｌ１０ｃ、Ｌ１０ｄと、第1及び第２の主面Ｌ１０ａ、Ｌ１０ｂ間を連結するように第1及び第２の主面Ｌ１０ａ、Ｌ１０ｂの長辺方向に伸び且つ互いに対向する第１及び第２の側面Ｌ１０ｅ、Ｌ１０ｆと、を有する。
【０３２４】
第１、第３、第５、及び第７の端子電極１、３、５、７は、コンデンサ素体Ｌ１０の第１の側面Ｌ１０ｅに、この順で第１の端面Ｌ１０ｃ側から第２の端面Ｌ１０ｄ側に向かって配置されている。第２、第４、第６、及び第８の端子電極２、４、６、８は、コンデンサ素体Ｌ１０の第２の側面Ｌ１０ｆに、この順で第１の端面Ｌ１０ｃ側から第２の端面Ｌ１０ｄ側に向かって配置されている。第１及び第２の端子電極１、２、第３及び第４の端子電極３、４、第５及び第６の端子電極５、６、並びに第７及び第８の端子電極７、８はそれぞれ、第１及び第２の側面Ｌ１０ｅ、Ｌ１０ｆの対向方向で対向する。
【０３２５】
コンデンサ素体Ｌ１０は、図２９に示されるように、積層された複数（本実施形態では、８層）の誘電体層１０〜１８を有する。各誘電体層１０〜１８は、例えば誘電体セラミックを含むセラミックグリーンシートの焼結体から構成される。
【０３２６】
図２９に示されているように、コンデンサ素体Ｌ１０には、第１、第２、第３、及び第４の電極群２０、３０、４０、５０が含まれている。第１の電極群２０は、複数（本実施形態では、各４層）の第１及び第２の内部電極２１〜２４、２５〜２８を有する。第２の電極群３０は、複数（本実施形態では、各４層）の第３及び第４の内部電極３１〜３４、３５〜３８を有する。第３の電極群４０は、複数（本実施形態では、各４層）の第５及び第６の内部電極４１〜４４、４５〜４８を有する。第４の電極群５０は、複数（本実施形態では、各４層）の第７及び第８の内部電極５１〜５４、５５〜５８を有する。
【０３２７】
第１〜第４の電極群２０、３０、４０、５０は、コンデンサ素体Ｌ１０内において第１及び第２の主面Ｌ１０ａ、Ｌ１０ｂの対向方向と直交する方向に、すなわちコンデンサ素体Ｌ１０の第１及び第２の端面Ｌ１０ｃ、Ｌ１０ｄの対向方向に沿って併置されている。具体的には、第１、第２、第３、及び第４の電極群２０、３０、４０、５０は、第１の端面Ｌ１０ｃ側から第２の端面Ｌ１０ｄ側に向かってこの順で併置されている。各内部電極２１〜２４、２５〜２８、３１〜３４、３５〜３８、４１〜４４、４５〜４８、５１〜５４、５５〜５８は、例えば、導電性ペーストの焼結体から構成される。
【０３２８】
第１の電極群２０に含まれる第１及び第２の内部電極２１〜２４、２５〜２８は、第１の主面Ｌ１０ａから第２の主面Ｌ１０ｂに向かって、第１の内部電極２１、第２の内部電極２５、第１の内部電極２２、第２の内部電極２６、第１の内部電極２３、第２の内部電極２７、第１の内部電極２４、第２の内部電極２８の順で配置されている。第２の電極群３０に含まれる第３及び第４の内部電極３１〜３４、３５〜３８は、第１の主面Ｌ１０ａから第２の主面Ｌ１０ｂに向かって、第４の内部電極３５、第３の内部電極３１、第４の内部電極３６、第３の内部電極３２、第４の内部電極３７、第３の内部電極３３、第４の内部電極３８、第３の内部電極３４の順で配置されている。第３の電極群４０に含まれる第５及び第６の内部電極４１〜４４、４５〜４８は、第１の主面Ｌ１０ａから第２の主面Ｌ１０ｂに向かって、第５の内部電極４１、第６の内部電極４５、第５の内部電極４２、第６の内部電極４６、第５の内部電極４３、第６の内部電極４７、第５の内部電極４４、第６の内部電極４８の順で配置されている。第４の電極群５０に含まれる第７及び第８の内部電極５１〜５４、５５〜５８は、第１の主面Ｌ１０ａから第２の主面Ｌ１０ｂに向かって、第８の内部電極５５、第７の内部電極５１、第８の内部電極５６、第７の内部電極５２、第８の内部電極５７、第７の内部電極５３、第８の内部電極５８、第７の内部電極５４の順で配置されている。
【０３２９】
第１及び第２の内部電極２１、２５は誘電体層１１を間に挟んで、第１及び第２の内部電極２２、２５は誘電体層１２を間に挟んで、第１及び第２の内部電極２２、２６は誘電体層１３を間に挟んで、第１及び第２の内部電極２３、２６は誘電体層１４を間に挟んで、第１及び第２の内部電極２３、２７は誘電体層１５を間に挟んで、第１及び第２の内部電極２４、２７は誘電体層１６を間に挟んで、第１及び第２の内部電極２４、２８は誘電体層１７を間に挟んで、それぞれ第１及び第２の主面Ｌ１０ａ、Ｌ１０ｂの対向方向に沿って互いに対向している。
【０３３０】
第３及び第４の内部電極３１、３５は誘電体層１１を間に挟んで、第３及び第４の内部電極３１、３６は誘電体層１２を間に挟んで、第３及び第４の内部電極３２、３６は誘電体層１３を間に挟んで、第３及び第４の内部電極３２、３７は誘電体層１４を間に挟んで、第３及び第４の内部電極３３、３７は誘電体層１５を間に挟んで、第３及び第４の内部電極３３、３８は誘電体層１６を間に挟んで、第３及び第４の内部電極３４、３８は誘電体層１７を間に挟んで、それぞれ第１及び第２の主面Ｌ１０ａ、Ｌ１０ｂの対向方向に沿って互いに対向している。
【０３３１】
第５及び第６の内部電極４１、４５は誘電体層１１を間に挟んで、第５及び第６の内部電極４２、４５は誘電体層１２を間に挟んで、第５及び第６の内部電極４２、４６は誘電体層１３を間に挟んで、第５及び第６の内部電極４３、４６は誘電体層１４を間に挟んで、第５及び第６の内部電極４３、４７は誘電体層１５を間に挟んで、第５及び第６の内部電極４４、４７は誘電体層１６を間に挟んで、第５及び第６の内部電極４４、４８は誘電体層１７を間に挟んで、それぞれ第１及び第２の主面Ｌ１０ａ、Ｌ１０ｂの対向方向に沿って互いに対向している。
【０３３２】
第７及び第８の内部電極５１、５５は誘電体層１１を間に挟んで、第７及び第８の内部電極５１、５６は誘電体層１２を間に挟んで、第７及び第８の内部電極５２、５６は誘電体層１３を間に挟んで、第７及び第８の内部電極５２、５７は誘電体層１４を間に挟んで、第７及び第８の内部電極５３、５７は誘電体層１５を間に挟んで、第７及び第８の内部電極５３、５８は誘電体層１６を間に挟んで、第７及び第８の内部電極５４、５８は誘電体層１７を間に挟んで、それぞれ第１及び第２の主面Ｌ１０ａ、Ｌ１０ｂの対向方向に沿って互いに対向している。
【０３３３】
第１の内部電極２１〜２４は、主電極部２１ａ〜２４ａと、主電極部２１ａ〜２４ａから第１の側面Ｌ１０ｅに露出するように伸びる引き出し部２１ｂ〜２４ｂとを含んでいる。引き出し部２１ｂ〜２４ｂは、第１の端子電極１に物理的に接続される。
【０３３４】
第２の内部電極２５〜２８は、主電極部２５ａ〜２８ａと、主電極部２５ａ〜２８ａから第２の側面Ｌ１０ｆに露出するように伸びる引き出し部２５ｂ〜２８ｂとを含んでいる。引き出し部２５ｂ〜２８ｂは、第２の端子電極２に物理的に接続される。
【０３３５】
第３の内部電極３１〜３４は、主電極部３１ａ〜３４ａと、主電極部３１ａ〜３４ａから第１の側面Ｌ１０ｅに露出するように伸びる引き出し部３１ｂ〜３４ｂとを含んでいる。引き出し部３１ｂ〜３４ｂは、第３の端子電極３に物理的に接続される。
【０３３６】
第４の内部電極３５〜３８は、主電極部３５ａ〜３８ａと、主電極部３５ａ〜３８ａから第２の側面Ｌ１０ｆに露出するように伸びる引き出し部３５ｂ〜３８ｂとを含んでいる。引き出し部３５ｂ〜３８ｂは、第４の端子電極４に物理的に接続される。
【０３３７】
第５の内部電極４１〜４４は、主電極部４１ａ〜４４ａと、主電極部４１ａ〜４４ａから第１の側面Ｌ１０ｅに露出するように伸びる引き出し部４１ｂ〜４４ｂとを含んでいる。引き出し部４１ｂ〜４４ｂは、第５の端子電極５に物理的に接続される。
【０３３８】
第６の内部電極４５〜４８は、主電極部４５ａ〜４８ａと、主電極部４５ａ〜４８ａから第２の側面Ｌ１０ｆに露出するように伸びる引き出し部４５ｂ〜４８ｂとを含んでいる。引き出し部４５ｂ〜４８ｂは、第６の端子電極６に物理的に接続される。
【０３３９】
第７の内部電極５１〜５４は、四辺がそれぞれ第１及び第２の端面Ｌ１０ｃ、Ｌ１０ｄ、並びに第１及び第２の側面Ｌ１０ｅ、Ｌ１０ｆと平行な四辺形状の主電極部５１ａ〜５４ａと、主電極部５１ａ〜５４ａから第２の側面Ｌ１０ｆに露出するように伸びる引き出し部５１ｂ〜５４ｂとを含んでいる。第２の側面Ｌ１０ｆに露出する引き出し部５１ｂ〜５４ｂは、第７の端子電極７に物理的に接続される。すなわち、第７の内部電極５１〜５４は、第７の端子７に接続される。
【０３４０】
第８の内部電極５５〜５８は、四辺がそれぞれ第１及び第２の短面Ｌ１０ｃ、Ｌ１０ｄ、並びに第１及び第２の側面Ｌ１０ｅ、Ｌ１０ｆと平行な四辺形状の主電極部５５ａ、５６ａと、主電極部５５ａ、５６ａから第２の側面Ｌ１０ｆに露出するように伸びる引き出し部５５ｂ〜５８ｂとを含んでいる。第２の側面Ｌ１０ｆに露出する引き出し部５５ｂ〜５８ｂは、第８の端子電極８に物理的に接続される。すなわち、第８の内部電極５５〜５８は、第８の端子８に接続される。
【０３４１】
図２９及び図３０に示されているように、仮想的な基準面Ｓ１として、第１及び第２の主面Ｌ１０ａ、Ｌ１０ｂの対向方向に平行な仮想面を考える。基準面Ｓ１に基づいて考えると、第１及び第２の電極群２０、３０は基準面Ｓに直交する方向に沿って併置されている。基準面Ｓ１に直交する方向とは、第１及び第２の主面Ｌ１０ａ、Ｌ１０ｂの対向方向と直交する方向に相当する。すなわち、コンデンサ素体Ｌ１０内において、第１及び第２の内部電極２１〜２４、２５〜２８は基準面Ｓ１に対し第１の端面Ｌ１０ｃ側に、第３及び第４の内部電極３１〜３４、３５〜３８は基準面Ｓ１に対し第２の端面Ｌ１０ｄ側にそれぞれ配置されている。
【０３４２】
さらに、仮想的な基準面Ｓ２として、第１及び第２の主面Ｌ１０ａ、Ｌ１０ｂの対向方向に平行な仮想面を考える。基準面Ｓ２に基づいて考えると、第２及び第３の電極群３０、４０は基準面Ｓ２に直交する方向に沿って併置されている。基準面Ｓ２に直交する方向とは、第１及び第２の主面Ｌ１０ａ、Ｌ１０ｂの対向方向と直交する方向に相当する。すなわち、コンデンサ素体Ｌ１０内において、第３及び第４の内部電極３１〜３４、３５〜３８は基準面Ｓ２に対し第１の端面Ｌ１０ｃ側に、第５及び第６の内部電極４１〜４４、４５〜４８は基準面Ｓ２に対し第２の端面Ｌ１０ｄ側にそれぞれ配置されている。
【０３４３】
さらに、仮想的な基準面Ｓ３として、第１及び第２の主面Ｌ１０ａ、Ｌ１０ｂの対向方向に平行な仮想面を考える。基準面Ｓ３に基づいて考えると、第３及び第４の電極群４０、５０は基準面Ｓ３に直交する方向に沿って併置されている。基準面Ｓ３に直交する方向とは、第１及び第２の主面Ｌ１０ａ、Ｌ１０ｂの対向方向と直交する方向に相当する。すなわち、コンデンサ素体Ｌ１０内において、第５及び第６の内部電極４１〜４４、４５〜４８は基準面Ｓ３に対し第１の端面Ｌ１０ｃ側に、第７及び第８の内部電極５１〜５４、５５〜５８は基準面Ｓ３に対し第２の端面Ｌ１０ｄ側にそれぞれ配置されている。
【０３４４】
第１の内部電極２１〜２４は基準面Ｓ１と接するように配置されている。具体的には、第１の内部電極２１〜２４の主電極部２１ａ〜２４ａの第２の端面Ｌ１０ｄ側の辺が基準面Ｓ１にそれぞれ接する。
【０３４５】
第２の内部電極２５〜２８は基準面Ｓ１から所定距離離れて配置されている。具体的には、第２の内部電極２５〜２８の主電極部２５ａ〜２８ａの第２の端面Ｌ１０ｄ側の辺が、基準面Ｓ１から第１の端面Ｌ１０ｃ側に所定距離Ｄ１離れて配置されている。
【０３４６】
第３の内部電極３１〜３４は基準面Ｓ１及びＳ２と接するように配置されている。具体的には、第３の内部電極３１〜３４の主電極部３１ａ〜３４ａの第１の端面Ｌ１０ｃ側の辺が基準面Ｓ１にそれぞれ接する。第３の内部電極３１〜３４の主電極部３１ａ〜３４ａの第２の端面Ｌ１０ｄ側の辺が基準面Ｓ２にそれぞれ接する。
【０３４７】
第４の内部電極３５〜３８は基準面Ｓ１及びＳ２の何れからも所定距離離れて配置されている。具体的には、第４の内部電極３５〜３８の主電極部３５ａ〜３８ａの第１の端面Ｌ１０ｃ側の辺が、基準面Ｓ１から第２の端面Ｌ１０ｄ側に所定距離Ｄ２離れて配置されている。第４の内部電極３５〜３８の主電極部３５ａ〜３８ａの第２の端面Ｌ１０ｄ側の辺が、基準面Ｓ２から第１の端面Ｌ１０ｃ側に所定距離Ｄ３離れて配置されている。
【０３４８】
第５の内部電極４１〜４４は基準面Ｓ２及びＳ３と接するように配置されている。具体的には、第５の内部電極３１〜３４の主電極部３１ａ〜３４ａの第１の端面Ｌ１０ｃ側の辺が基準面Ｓ２にそれぞれ接する。第５の内部電極３１〜３４の主電極部３１ａ〜３４ａの第２の端面Ｌ１０ｄ側の辺が基準面Ｓ３にそれぞれ接する。
【０３４９】
第６の内部電極４５〜４８は基準面Ｓ２及びＳ３の何れからも所定距離離れて配置されている。具体的には、第６の内部電極４５〜４８の主電極部４５ａ〜４８ａの第１の端面Ｌ１０ｃ側の辺が、基準面Ｓ２から第２の端面Ｌ１０ｄ側に所定距離Ｄ４離れて配置されている。第６の内部電極４５〜４８の主電極部４５ａ〜４８ａの第２の端面Ｌ１０ｄ側の辺が、基準面Ｓ３から第１の端面Ｌ１０ｃ側に所定距離Ｄ５離れて配置されている。
【０３５０】
第７の内部電極５１〜５４は基準面Ｓ３と接するように配置されている。具体的には、第７の内部電極５１〜５４の主電極部５１ａ〜５４ａの第１の端面Ｌ１０ｃ側の辺が基準面Ｓ３にそれぞれ接する。
【０３５１】
第８の内部電極５５〜５８は基準面Ｓ３から所定距離離れて配置されている。具体的には、第８の内部電極５５〜５８の主電極部５５ａ、５６ａの第１の端面Ｌ１０ｃ側の辺が、基準面Ｓ３から第２の端面Ｌ１０ｄ側に所定距離Ｄ６離れて配置されている。
【０３５２】
積層コンデンサアレイＣＡ１０では、第１及び第２の内部電極２１〜２４、２５〜２８が誘電体層１１〜１７を間に挟んで交互に対向している。したがって、第１及び第２の内部電極２１〜２４、２５〜２８は静電容量Ｃ１を形成し、積層コンデンサアレイＣＡ１０に含まれるコンデンサの１つを形成する。
【０３５３】
積層コンデンサアレイＣＡ１０では、第３及び第４の内部電極３１〜３４、３５〜３８が誘電体層１１〜１７を間に挟んで交互に対向している。したがって、第３及び第４の内部電極３１〜３４、３５〜３８は静電容量Ｃ２を形成し、積層コンデンサアレイＣＡ１０に含まれるコンデンサの１つを形成する。
【０３５４】
積層コンデンサアレイＣＡ１０では、第５及び６内部電極４１〜４４、４５〜４８が誘電体層１１〜１７を間に挟んで交互に対向している。したがって、第５及び第６の内部電極４１〜４４、４５〜４８は静電容量Ｃ３を形成し、積層コンデンサアレイＣＡ１０に含まれるコンデンサの１つを形成する。
【０３５５】
積層コンデンサアレイＣＡ１０では、第７及び第８の内部電極５１〜５４、５５〜５８が誘電体層１１〜１７を間に挟んで交互に対向している。したがって、第７及び第８の内部電極５１〜５４、５５〜５８は静電容量Ｃ４を形成し、積層コンデンサアレイＣＡ１０に含まれるコンデンサの１つを形成する。したがって、積層コンデンサアレイＣＡ１０の等価回路図は図４８のように表される。
【０３５６】
上述したように、積層コンデンサアレイＣＡ１０では、第１及び第２の内部電極２１〜２４、２５〜２８によって形成されるコンデンサ、並びに第３及び第４の内部電極３１〜３４、３５〜３８によって形成されるコンデンサに電圧が印加され、それぞれのコンデンサに電歪が生じた場合であっても、第１、及び第３の内部電極２１〜２４、３１〜３４が基準面Ｓ１と接するように配置されているため、これらのコンデンサの間の基準面Ｓ１付近にも電歪が発生する。これにより、基準面Ｓ１付近に応力が集中することが抑制される。
【０３５７】
また、積層コンデンサアレイＣＡ１０では、第３及び第４の内部電極３１〜３４、３５〜３８によって形成されるコンデンサ、並びに第５及び第６の内部電極４１〜４４、４５〜４８によって形成されるコンデンサに電圧が印加され、それぞれのコンデンサに電歪が生じた場合であっても、第３、及び第５の内部電極３１〜３４、４１〜４４が基準面Ｓ２と接するように配置されているため、コンデンサの間の基準面Ｓ２付近にも電歪が発生する。これにより、基準面Ｓ２付近に応力が集中することが抑制される。
【０３５８】
また、積層コンデンサアレイＣＡ１０では、第５及び第６の内部電極４１〜４４、４５〜４８によって形成されるコンデンサ、並びに第７及び第８の内部電極５１〜５４、５５〜５８によって形成されるコンデンサに電圧が印加され、それぞれのコンデンサに電歪が生じた場合であっても、第５、及び第７の内部電極３１〜３４、４１〜４４が基準面Ｓ３と接するように配置されているため、コンデンサの間の基準面Ｓ３付近にも電歪が発生する。これにより、基準面Ｓ３付近に応力が集中することが抑制される。
【０３５９】
応力の集中を抑制することにより、積層コンデンサアレイＣＡ１０ではクラックの発生を抑制することも可能となる。
【０３６０】
第１の内部電極２１〜２４が基準面Ｓ１に接するのに対し、第２の内部電極２５〜２８は基準面Ｓから所定距離Ｄ１離れて位置する。第３の内部電極３１〜３４が基準面Ｓ１に接するのに対し、第４の内部電極３５〜３８は基準面Ｓ１から所定距離Ｄ２離れて位置する。そのため、基準面Ｓ１付近において過度に電歪による歪みを生じることが抑制される。
【０３６１】
第３の内部電極３１〜３４が基準面Ｓ２に接するのに対し、第４の内部電極３５〜３８は基準面Ｓ２から所定距離Ｄ３離れて位置する。第５の内部電極４１〜４４が基準面Ｓ１に接するのに対し、第６の内部電極４５〜４８は基準面Ｓ２から所定距離Ｄ４離れて位置する。そのため、基準面Ｓ２付近において過度に電歪による歪みを生じることが抑制される。
【０３６２】
第５の内部電極４１〜４４が基準面Ｓ３に接するのに対し、第６の内部電極４５〜４８は基準面Ｓ３から所定距離Ｄ５離れて位置する。第７の内部電極５１〜５４が基準面Ｓ３に接するのに対し、第８の内部電極５５〜５８は基準面Ｓ３から所定距離Ｄ６離れて位置する。そのため、基準面Ｓ３付近において過度に電歪による歪みを生じることが抑制される。
（第１１実施形態）
【０３６３】
図３１〜図３３を参照して、第１１実施形態に係る積層コンデンサアレイＣＡ１１の構成について説明する。第１１実施形態に係る積層コンデンサアレイＣＡ１１は、第１〜第８の端子電極及び第１〜第８の内部電極の配置の点で第１０実施形態に係る積層コンデンサアレイＣＡ１０とは異なる。図３１は、第１１実施形態に係る積層コンデンサアレイの斜視図である。図３２は、第１１実施形態に係る積層コンデンサアレイに含まれるコンデンサ素体の分解斜視図である。図３３は、図３１に示した積層コンデンサアレイのXXXIII−XXXIII矢印断面の構成を説明するための図である。
【０３６４】
第１１実施形態に係る積層コンデンサアレイＣＡ１１は、図３１に示されるように、コンデンサ素体Ｌ１１と、コンデンサ素体Ｌ１１の外表面に配置された第１〜第８の端子電極１〜８とを備える。
【０３６５】
コンデンサ素体Ｌ１１は、図３１に示されるように、直方体状であり、互いに対向する長方形状の第１及び第２の主面Ｌ１１ａ、Ｌ１１ｂと、第１及び第２の主面Ｌ１１ａ、Ｌ１１ｂ間を連結するように第1及び第２の主面の短辺方向に伸び且つ互いに対向する第１及び第２の端面Ｌ１１ｃ、Ｌ１１ｄと、第1及び第２の主面Ｌ１１ａ、Ｌ１１ｂ間を連結するように第1及び第２の主面Ｌ１１ａ、Ｌ１１ｂの長辺方向に伸び且つ互いに対向する第１及び第２の側面Ｌ１１ｅ、Ｌ１１ｆと、を有する。
【０３６６】
第１、第４、第５、及び第８の端子電極１、４、５、８は、コンデンサ素体Ｌ１１の第１の側面Ｌ１１ｅに、この順で第１の端面Ｌ１１ｃ側から第２の端面Ｌ１１ｄ側に向かって配置されている。第２、第３、第６、及び第７の端子電極２、３、６、７は、コンデンサ素体Ｌ１１の第２の側面Ｌ１１ｆに、この順で第１の端面Ｌ１１ｃ側から第２の端面Ｌ１１ｄ側に向かって配置されている。第１及び第２の端子電極１、２、第３及び第４の端子電極３、４、第５及び第６の端子電極５、６は、並びに第７及び第８の端子電極７、８はそれぞれ、第１及び第２の側面Ｌ１１ｅ、Ｌ１１ｆの対向方向で対向する。
【０３６７】
コンデンサ素体Ｌ１１は、図３２に示されるように、積層された複数（本実施形態では、８層）の誘電体層１０〜１８を有する。
【０３６８】
図３２に示されているように、コンデンサ素体Ｌ１１には、第１〜第４の電極群２０、３０、４０、５０が含まれている。第１の電極群２０は、複数（本実施形態では、各４層）の第１及び第２の内部電極２１〜２４、２５〜２８を有する。第２の電極群３０は、複数（本実施形態では、各４層）の第３及び第４の内部電極３１〜３４、３５〜３８を有する。第３の電極群４０は、複数（本実施形態では、各４層）の第５及び第６の内部電極４１〜４４、４５〜４８を有する。第４の電極群５０は、複数（本実施形態では、各４層）の第５及び第６の内部電極５１〜５４、５５〜５８を有する。
【０３６９】
第１〜第４の電極群２０、３０、４０、５０は、コンデンサ素体Ｌ１１内において第１及び第２の端面Ｌ１１ｃ、Ｌ１１ｄの対向方向に沿って併置されている。具体的には、第１、第２、第３、及び第４の電極群２０、３０、４０、５０は、第１の端面Ｌ１１ｃ側から第２の端面Ｌ１１ｄ側に向かってこの順で併置されている。
【０３７０】
第１の電極群２０に含まれる第１及び第２の内部電極２１〜２４、２５〜２８は、第１の主面Ｌ１１ａから第２の主面Ｌ１１ｂに向かって、第２の内部電極２５、第１の内部電極２１、第２の内部電極２６、第１の内部電極２２、第２の内部電極２７、第１の内部電極２３、第２の内部電極２８、第１の内部電極２４の順で配置されている。第２の電極群３０に含まれる第３及び第４の内部電極３１〜３４、３５〜３８は、第１の主面Ｌ１１ａから第２の主面Ｌ１１ｂに向かって、第３の内部電極３１、第４の内部電極３５、第３の内部電極３２、第４の内部電極３６、第３の内部電極３３、第４の内部電極３７、第３の内部電極３４、第４の内部電極３８の順で配置されている。第３の電極群４０に含まれる第５及び第６の内部電極４１〜４４、４５〜４８は、第１の主面Ｌ１１ａから第２の主面Ｌ１１ｂに向かって、第６の内部電極４５、第５の内部電極４１、第６の内部電極４６、第５の内部電極４２、第６の内部電極４７、第５の内部電極４３、第６の内部電極４８、第５の内部電極４４の順で配置されている。第４の電極群５０に含まれる第７及び第８の内部電極５１〜５４、５５〜５８は、第１の主面Ｌ１１ａから第２の主面Ｌ１１ｂに向かって、第７の内部電極５１、第８の内部電極５５、第７の内部電極５２、第８の内部電極５６、第７の内部電極５３、第８の内部電極５７、第７の内部電極５４、第８の内部電極５８の順で配置されている。
【０３７１】
第１及び第２の内部電極２１、２５は誘電体層１１を間に挟んで、第１及び第２の内部電極２１、２６は誘電体層１２を間に挟んで、第１及び第２の内部電極２２、２６は誘電体層１３を間に挟んで、第１及び第２の内部電極２２、２７は誘電体層１４を間に挟んで、第１及び第２の内部電極２３、２７は誘電体層１５を間に挟んで、第１及び第２の内部電極２３、２８は誘電体層１６を間に挟んで、第１及び第２の内部電極２４、２８は誘電体層１７を間に挟んで、それぞれ第１及び第２の主面Ｌ１１ａ、Ｌ１１ｂの対向方向に沿って互いに対向している。
【０３７２】
第３及び第４の内部電極３１、３５は誘電体層１１を間に挟んで、第３及び第４の内部電極３２、３５は誘電体層１２を間に挟んで、第３及び第４の内部電極３２、３６は誘電体層１３を間に挟んで、第３及び第４の内部電極３３、３６は誘電体層１４を間に挟んで、第３及び第４の内部電極３３、３７は誘電体層１５を間に挟んで、第３及び第４の内部電極３４、３７は誘電体層１６を間に挟んで、第３及び第４の内部電極３４、３８は誘電体層１７を間に挟んで、それぞれ第１及び第２の主面Ｌ１１ａ、Ｌ１１ｂの対向方向に沿って互いに対向している。
【０３７３】
第５及び第６の内部電極４１、４５は誘電体層１１を間に挟んで、第５及び第６の内部電極４１、４６は誘電体層１２を間に挟んで、第５及び第６の内部電極４２、４６は誘電体層１３を間に挟んで、第５及び第６の内部電極４２、４７は誘電体層１４を間に挟んで、第５及び第６の内部電極４３、４７は誘電体層１５を間に挟んで、第５及び第６の内部電極２３、２８は誘電体層４６を間に挟んで、第５及び第６の内部電極４４、４８は誘電体層１７を間に挟んで、それぞれ第１及び第２の主面Ｌ１１ａ、Ｌ１１ｂの対向方向に沿って互いに対向している。
【０３７４】
第７及び第８の内部電極５１、５５は誘電体層１１を間に挟んで、第７及び第８の内部電極５２、５５は誘電体層１２を間に挟んで、第７及び第８の内部電極５２、５６は誘電体層１３を間に挟んで、第７及び第８の内部電極５３、５６は誘電体層１４を間に挟んで、第７及び第８の内部電極５３、５７は誘電体層１５を間に挟んで、第７及び第８の内部電極５４、５７は誘電体層１６を間に挟んで、第７及び第８の内部電極５４、５８は誘電体層１７を間に挟んで、それぞれ第１及び第２の主面Ｌ１１ａ、Ｌ１１ｂの対向方向に沿って互いに対向している。
【０３７５】
第１の内部電極２１〜２４は、主電極部２１ａ〜２４ａと、主電極部２１ａ〜２４ａから第１の側面Ｌ１１ｅに露出するように伸びる引き出し部２１ｂ〜２４ｂとを含んでいる。引き出し部２１ｂ〜２４ｂは、第１の端子電極１に物理的に接続される。
【０３７６】
第２の内部電極２５〜２８は、主電極部２５ａ〜２８ａと、主電極部２５ａ〜２８ａから第２の側面Ｌ１１ｆに露出するように伸びる引き出し部２５ｂ〜２８ｂとを含んでいる。引き出し部２５ｂ〜２８ｂは、第２の端子電極２に物理的に接続される。
【０３７７】
第３の内部電極３１〜３４は、主電極部３１ａ〜３４ａと、主電極部３１ａ〜３４ａから第２の側面Ｌ１１ｆに露出するように伸びる引き出し部３１ｂ〜３４ｂとを含んでいる。引き出し部３１ｂ〜３４ｂは、第３の端子電極３に物理的に接続される。
【０３７８】
第４の内部電極３５〜３８は、主電極部３５ａ〜３８ａと、主電極部３５ａ〜３８ａから第１の側面Ｌ１１ｅに露出するように伸びる引き出し部３５ｂ〜３８ｂとを含んでいる。引き出し部３５ｂ〜３８ｂは、第４の端子電極４に物理的に接続される。
【０３７９】
第５の内部電極４１〜４４は、主電極部４１ａ〜４４ａと、主電極部４１ａ〜４４ａから第１の側面Ｌ１１ｅに露出するように伸びる引き出し部４１ｂ〜４４ｂとを含んでいる。引き出し部２１ｂ〜２４ｂは、第５の端子電極５に物理的に接続される。
【０３８０】
第６の内部電極４５〜４８は、主電極部４５ａ〜４８ａと、主電極部４５ａ〜４８ａから第２の側面Ｌ１１ｆに露出するように伸びる引き出し部４５ｂ〜４８ｂとを含んでいる。引き出し部４５ｂ〜４８ｂは、第６の端子電極６に物理的に接続される。
【０３８１】
第７の内部電極５１〜５４は、主電極部５１ａ〜５４ａと、主電極部５１ａ〜５４ａから第２の側面Ｌ１１ｆに露出するように伸びる引き出し部５１ｂ〜５４ｂとを含んでいる。引き出し部５１ｂ〜５４ｂは、第７の端子電極７に物理的に接続される。
【０３８２】
第８の内部電極５５〜５８は、主電極部５５ａ〜５８ａと、主電極部５５ａ〜５８ａから第１の側面Ｌ１１ｅに露出するように伸びる引き出し部５５ｂ〜５８ｂとを含んでいる。引き出し部５５ｂ〜５８ｂは、第８の端子電極８に物理的に接続される。
【０３８３】
図３２及び図３３に示されているように、仮想的な基準面Ｓ１として、第１及び第２の主面Ｌ１１ａ、Ｌ１１ｂの対向方向に平行な仮想面を考える。第１及び第２の電極群２０、３０は、基準面Ｓ１に直交する方向である第１及び第２の主面Ｌ１１ａ、Ｌ１１ｂの対向方向と直交する方向に沿って併置されている。すなわち、コンデンサ素体Ｌ１１内において、第１及び第２の内部電極２１〜２４、２５〜２８は基準面Ｓ１に対し第１の端面Ｌ１１ｃ側に、第３及び第４の内部電極３１〜３４、３５〜３８は基準面Ｓ１に対し第２の端面Ｌ１１ｄ側にそれぞれ配置されている。
【０３８４】
さらに仮想的な基準面Ｓ２として、第１及び第２の主面Ｌ１１ａ、Ｌ１１ｂの対向方向に平行な仮想面を考える。第２及び第３の電極群３０、４０は、基準面Ｓ２に直交する方向である第１及び第２の主面Ｌ１１ａ、Ｌ１１ｂの対向方向と直交する方向に沿って併置されている。すなわち、コンデンサ素体Ｌ１１内において、第３及び第４の内部電極３１〜３４、３５〜３８は基準面Ｓ２に対し第１の端面Ｌ１１ｃ側に、第５及び第６の内部電極４１〜４４、４５〜４８は基準面Ｓ２に対し第２の端面Ｌ１１ｄ側にそれぞれ配置されている。
【０３８５】
さらに仮想的な基準面Ｓ３として、第１及び第２の主面Ｌ１１ａ、Ｌ１１ｂの対向方向に平行な仮想面を考える。第３及び第４の電極群４０、５０は、基準面Ｓ３に直交する方向である第１及び第２の主面Ｌ１１ａ、Ｌ１１ｂの対向方向と直交する方向に沿って併置されている。すなわち、コンデンサ素体Ｌ１１内において、第５及び第６の内部電極４１〜４４、４５〜４８は基準面Ｓ３に対し第１の端面Ｌ１１ｃ側に、第７及び第８の内部電極５１〜５４、５５〜５８は基準面Ｓ３に対し第２の端面Ｌ１１ｄ側にそれぞれ配置されている。
【０３８６】
第１の内部電極２１〜２４は、主電極部２１ａ〜２４ａの第２の端面Ｌ１１ｄ側の辺が基準面Ｓ１に接するように配置されている。第２の内部電極２５〜２８は、主電極部２５ａ〜２８ａの第２の端面Ｌ１１ｄ側の辺が基準面Ｓ１から第１の端面Ｌ１１ｃ側に所定距離Ｄ１離れるように配置されている。
【０３８７】
第３の内部電極３１〜３４の主電極部３１ａ〜３４ａの第１の端面Ｌ１１ｃ側の辺が基準面Ｓ１にそれぞれ接する。第３の内部電極３１〜３４の主電極部３１ａ〜３４ａの第２の端面Ｌ１１ｄ側の辺が基準面Ｓ２にそれぞれ接する。
【０３８８】
第４の内部電極３５〜３８は、主電極部３５ａ〜３８ａの第１の端面Ｌ１１ｃ側の辺が基準面Ｓ１から第２の端面Ｌ１１ｄ側に所定距離Ｄ２離れるように配置されている。第４の内部電極３５〜３８は、主電極部３５ａ〜３８ａの第２の端面Ｌ１１ｄ側の辺が基準面Ｓ２から第１の端面Ｌ１１ｃ側に所定距離Ｄ３離れるように配置されている。
【０３８９】
第５の内部電極４１〜４４の主電極部４１ａ〜４４ａの第１の端面Ｌ１１ｃ側の辺が基準面Ｓ２にそれぞれ接する。第５の内部電極４１〜４４の主電極部４１ａ〜４４ａの第２の端面Ｌ１１ｄ側の辺が基準面Ｓ３にそれぞれ接する。
【０３９０】
第６の内部電極４５〜４８は、主電極部４５ａ〜４８ａの第１の端面Ｌ１１ｃ側の辺が基準面Ｓ２から第２の端面Ｌ１１ｄ側に所定距離Ｄ４離れるように配置されている。第６の内部電極４５〜４８は、主電極部４５ａ〜４８ａの第２の端面Ｌ１１ｄ側の辺が基準面Ｓ３から第１の端面Ｌ１１ｃ側に所定距離Ｄ５離れるように配置されている。
【０３９１】
第７の内部電極５１〜５４は、主電極部５１ａ〜５４ａの第１の端面Ｌ１１ｃ側の辺が基準面Ｓ３に接するように配置されている。第７の内部電極５５〜５８は、主電極部５５ａ〜５８ａの第１の端面Ｌ１１ｃ側の辺が基準面Ｓ３から第２の端面Ｌ１１ｄ側に所定距離Ｄ６離れるように配置されている。
【０３９２】
積層コンデンサアレイＣＡ１１では、第１及び第２の内部電極２１〜２４、２５〜２８が誘電体層を間に挟んで対向する内部電極を有し、これらの互いに対向する第１及び第２の内部電極が積層コンデンサアレイＣＡ１１に含まれるコンデンサの１つを形成する。
【０３９３】
積層コンデンサアレイＣＡ１１では、第３及び第４の内部電極３１〜３４、３５〜３８が誘電体層を間に挟んで対向する内部電極を有し、これらの互いに対向する第３及び第４の内部電極が積層コンデンサアレイＣＡ１１に含まれるコンデンサの１つを形成する。
【０３９４】
積層コンデンサアレイＣＡ１１では、第５及び第６の内部電極４１〜４４、４５〜４８が誘電体層を間に挟んで対向する内部電極を有し、これらの互いに対向する第５及び第６の内部電極が積層コンデンサアレイＣＡ１１に含まれるコンデンサの１つを形成する。
【０３９５】
積層コンデンサアレイＣＡ１１では、第７及び第８の内部電極５１〜５４、５５〜５８が誘電体層を間に挟んで対向する内部電極を有し、これらの互いに対向する第５及び第６の内部電極が積層コンデンサアレイＣＡ１１に含まれるコンデンサの１つを形成する。
【０３９６】
上述したように、積層コンデンサアレイＣＡ１１では、第１及び第２の内部電極２１〜２４、２５〜２８によって形成されるコンデンサ、並びに第３及び第４の内部電極３１〜３４、３５〜３８によって形成されるコンデンサに電圧が印加され、それぞれのコンデンサに電歪が生じた場合であっても、第１及び第３の内部電極２１〜２４、３１〜３４が基準面Ｓ１と接するように配置されているため、コンデンサの間の基準面Ｓ１付近にも電歪が発生する。これにより、基準面Ｓ１付近に応力が集中することが抑制される。
【０３９７】
また、積層コンデンサアレイＣＡ１１では、第３及び第４の内部電極３１〜３４、３５〜３８、並びに第５及び第６の内部電極４１〜４４、４５〜４８によって形成されるコンデンサに電圧が印加され、それぞれのコンデンサに電歪が生じた場合であっても、第３及び第５の内部電極３１〜３４、４１〜４４が基準面Ｓ２と接するように配置されているため、コンデンサの間の基準面Ｓ２付近にも電歪が発生する。これにより、基準面Ｓ２付近に応力が集中することが抑制される。
【０３９８】
また、積層コンデンサアレイＣＡ１１では、第５及び第６の内部電極４１〜４４、４５〜４８、並びに第７及び第８の内部電極５１〜５４、５５〜５８によって形成されるコンデンサに電圧が印加され、それぞれのコンデンサに電歪が生じた場合であっても、第５及び第７の内部電極４１〜４４、５１〜５４が基準面Ｓ３と接するように配置されているため、コンデンサの間の基準面Ｓ３付近にも電歪が発生する。これにより、基準面Ｓ３付近に応力が集中することが抑制される。
【０３９９】
応力の集中を抑制することにより、積層コンデンサアレイＣＡ１１ではクラックの発生を抑制することも可能となる。
【０４００】
第１の内部電極２１〜２４が基準面Ｓ１に接するのに対し、第２の内部電極２５〜２８は基準面Ｓ１から所定距離Ｄ１離れて位置する。第３の内部電極３１〜３４が基準面Ｓ１に接するのに対し、第４の内部電極３５〜３８は基準面Ｓ１から所定距離Ｄ２離れて位置する。そのため、基準面Ｓ１付近において過度に電歪による歪みを生じることが抑制される。
【０４０１】
第３の内部電極３１〜３４が基準面Ｓ２に接するのに対し、第４の内部電極３５〜３８は基準面Ｓ２から所定距離Ｄ３離れて位置する。第５の内部電極４１〜４４が基準面Ｓ２に接するのに対し、第６の内部電極４５〜４８は基準面Ｓ２から所定距離Ｄ４離れて位置する。そのため、基準面Ｓ２付近において過度に電歪による歪みを生じることが抑制される。
【０４０２】
第５の内部電極４１〜４４が基準面Ｓ３に接するのに対し、第６の内部電極４５〜４８は基準面Ｓ３から所定距離Ｄ５離れて位置する。第７の内部電極５１〜５４が基準面Ｓ３に接するのに対し、第８の内部電極５５〜５８は基準面Ｓ３から所定距離Ｄ６離れて位置する。そのため、基準面Ｓ３付近において過度に電歪による歪みを生じることが抑制される。
（第１２実施形態）
【０４０３】
図３４〜図３６を参照して、第１２実施形態に係る積層コンデンサアレイＣＡ１２の構成について説明する。第１２実施形態に係る積層コンデンサアレイＣＡ１２は、第１〜第８の内部電極の配置の点で第１０実施形態に係る積層コンデンサアレイＣＡ１０とは異なる。図３４は、第１２実施形態に係る積層コンデンサアレイの斜視図である。図３５は、第１２実施形態に係る積層コンデンサアレイに含まれるコンデンサ素体の分解斜視図である。図３６は、図３４に示した積層コンデンサアレイのXXXVI−XXXVI矢印断面の構成を説明するための図である。
【０４０４】
第１２実施形態に係る積層コンデンサアレイＣＡ１２は、図３４に示されるように、コンデンサ素体Ｌ１２と、コンデンサ素体Ｌ１２の外表面に配置された第１〜第８の端子電極１〜８とを備える。
【０４０５】
コンデンサ素体Ｌ１２は、図３４に示されるように、直方体状であり、互いに対向する長方形状の第１及び第２の主面Ｌ１２ａ、Ｌ１２ｂと、第１及び第２の主面Ｌ１２ａ、Ｌ１２ｂ間を連結するように第1及び第２の主面の短辺方向に伸び且つ互いに対向する第１及び第２の端面Ｌ１２ｃ、Ｌ１２ｄと、第1及び第２の主面Ｌ１２ａ、Ｌ１２ｂ間を連結するように第1及び第２の主面Ｌ１２ａ、Ｌ１２ｂの長辺方向に伸び且つ互いに対向する第１及び第２の側面Ｌ１２ｅ、Ｌ１２ｆと、を有する。
【０４０６】
第１、第３、第５、及び第７の端子電極１、３、５、７は、コンデンサ素体Ｌ１２の第１の側面Ｌ１２ｅに、この順で第１の端面Ｌ１２ｃ側から第２の端面Ｌ１２ｄ側に向かって配置されている。第２、第４、第６、及び第８の端子電極２、４、６、８は、コンデンサ素体Ｌ１２の第２の側面Ｌ１２ｆに、この順で第１の端面Ｌ１２ｃ側から第２の端面Ｌ１２ｄ側に向かって配置されている。第１及び第２の端子電極１、２、第３及び第４の端子電極３、４、第５及び第６の端子電極５、６は、並びに第７及び第８の端子電極７、８はそれぞれ、第１及び第２の側面Ｌ１２ｅ、Ｌ１２ｆの対向方向で対向する。
【０４０７】
コンデンサ素体Ｌ１２は、図３５に示されるように、積層された複数（本実施形態では、８層）の誘電体層１０〜１８を有する。
【０４０８】
図３５に示されているように、コンデンサ素体Ｌ１２には、第１〜第４の電極群２０、３０、４０、５０が含まれている。第１の電極群２０は、複数（本実施形態では各２層）の第１及び第２の内部電極２１、２２、２５、２６を有する。第２の電極群３０は、複数（本実施形態では各２層）の第３及び第４の内部電極３１、３２、３５、３６を有する。第３の電極群４０は、複数（本実施形態では各２層）の第５及び第６の内部電極４１、４２、４５、４６を有する。第４の電極群５０は、複数（本実施形態では各２層）の第７及び第８の内部電極５１、５２、５５、５６を有する。
【０４０９】
第１〜第４の電極群２０、３０、４０、５０は、コンデンサ素体Ｌ１２内において第１及び第２の端面Ｌ１２ｃ、Ｌ１２ｄの対向方向に沿って併置されている。具体的には、第１、第２、第３、及び第４の電極群２０、３０、４０、５０は、第１の端面Ｌ１２ｃ側から第２の端面Ｌ１２ｄ側に向かってこの順で併置されている。
【０４１０】
第１の電極群２０に含まれる第１及び第２の内部電極２１、２２、２５、２６は、第１の主面Ｌ１２ａから第２の主面Ｌ１２ｂに向かって、第１の内部電極２１、第２の内部電極２５、第１の内部電極２２、第２の内部電極２６の順で配置されている。第２の電極群３０に含まれる第３及び第４の内部電極３１、３２、３５、３６は、第１の主面Ｌ１２ａから第２の主面Ｌ１２ｂに向かって、第４の内部電極３５、第３の内部電極３１、第４の内部電極３６、第３の内部電極３２の順で配置されている。第３の電極群４０に含まれる第５及び第６の内部電極４１、４２、４５、４６は、第１の主面Ｌ１２ａから第２の主面Ｌ１２ｂに向かって、第５の内部電極４１、第６の内部電極４５、第５の内部電極４２、第６の内部電極４６の順で配置されている。第４の電極群５０に含まれる第７及び第８の内部電極５１、５２、５５、５６は、第１の主面Ｌ１２ａから第２の主面Ｌ１２ｂに向かって、第８の内部電極５５、第７の内部電極５１、第８の内部電極５６、第７の内部電極５２の順で配置されている。
【０４１１】
コンデンサ素体Ｌ１２内において、第１及び第２の内部電極２１、２２、２５、２６は何れも、第１及び第２の主面Ｌ１２ａ、Ｌ１２ｂの対向方向において第３及び第４の内部電極３１、３２、３５、３６、並びに第７及び第８の内部電極５１、５２、５５、５６の何れとも異なる位置に配置されている。
【０４１２】
コンデンサ素体Ｌ１２内において、第３及び第４の内部電極３１、３２、３５、３６は何れも、第１及び第２の主面Ｌ１２ａ、Ｌ１２ｂの対向方向において第１及び第２の内部電極２１、２２、２５、２６、並びに第５及び第６の内部電極４１、４２、４５、４６の何れとも異なる位置に配置されている。
【０４１３】
コンデンサ素体Ｌ１２内において、第５及び第６の内部電極４１、４２、４５、４６は何れも、第１及び第２の主面Ｌ１２ａ、Ｌ１２ｂの対向方向において第３及び第４の内部電極３１、３２、３５、３６、並びに第７及び第８の内部電極５１、５２、５５、５６の何れとも異なる位置に配置されている。
【０４１４】
コンデンサ素体Ｌ１２内において、第７及び第８の内部電極５１、５２、５５、５６は何れも、第１及び第２の主面Ｌ１２ａ、Ｌ１２ｂの対向方向において第１及び第２の内部電極２１、２２、２５、２６、並びに第５及び第６の内部電極４１、４２、４５、４６の何れとも異なる位置に配置されている。
【０４１５】
コンデンサ素体Ｌ１２内において、第１の内部電極２１と第５の内部電極４１とが、第２の内部電極２５と第６の内部電極４５とが、第１の内部電極２２と第５の内部電極４２とが、第２の内部電極２６と第６の内部電極４６とが、それぞれ第１及び第２の主面Ｌ１２ａ、Ｌ１２ｂの対向方向において同層に配置されている。コンデンサ素体Ｌ１２内において、第４の内部電極３５と第８の内部電極５５とが、第３の内部電極３１と第７の内部電極５１とが、第４の内部電極３６と第８の内部電極５６とが、第３の内部電極３２と第７の内部電極５２とが、それぞれ第１及び第２の主面Ｌ１２ａ、Ｌ１２ｂの対向方向において同層に配置されている。
【０４１６】
第１及び第２の内部電極２２、２５は、誘電体層１４を間に挟んで第１及び第２の主面Ｌ１２ａ、Ｌ１２ｂの対向方向に沿って互いに対向している。第１及び第２の内部電極２１、２５は３層の誘電体層１１、１２、１３を間に挟んで、第１及び第２の内部電極２２、２６は３層の誘電体層１５、１６、１７を間に挟んで、それぞれ第１及び第２の主面Ｌ１２ａ、Ｌ１２ｂの対向方向に沿って互いに対向している。
【０４１７】
第３及び第４の内部電極３１、３５は誘電体層１２を間に挟んで、第３及び第４の内部電極３２、３６は誘電体層１６を間に挟んで、それぞれ第１及び第２の主面Ｌ１２ａ、Ｌ１２ｂの対向方向に沿って互いに対向している。第３及び第４の内部電極３１、３６は３層の誘電体層１３、１４、１５を間に挟んで、第１及び第２の主面Ｌ１２ａ、Ｌ１２ｂの対向方向に沿って互いに対向している。
【０４１８】
第１の主面Ｌ１２ａと第４の内部電極３５とは、第１及び第２の主面Ｌ１２ａ、Ｌ１２ｂの対向方向で見て、誘電体層１０、１１を介して隣り合って配置されている。第２の主面Ｌ１２ｂと第３の内部電極３２とは、第１及び第２の主面Ｌ１２ａ、Ｌ１２ｂの対向方向で見て、誘電体層１７、１８を介して隣り合って配置されている。
【０４１９】
第５及び第６の内部電極４２、４５は、誘電体層１４を間に挟んで第１及び第２の主面Ｌ１２ａ、Ｌ１２ｂの対向方向に沿って互いに対向している。第５及び第６の内部電極４１、４５は３層の誘電体層１１、１２、１３を間に挟んで、第５及び第６の内部電極４２、４６は３層の誘電体層１５、１６、１７を間に挟んで、それぞれ第１及び第２の主面Ｌ１２ａ、Ｌ１２ｂの対向方向に沿って互いに対向している。
【０４２０】
第７及び第８の内部電極５１、５５は誘電体層１２を間に挟んで、第７及び第８の内部電極５２、５６は誘電体層１６を間に挟んで、それぞれ第１及び第２の主面Ｌ１２ａ、Ｌ１２ｂの対向方向に沿って互いに対向している。第７及び第８の内部電極５１、５６は３層の誘電体層１３、１４、１５を間に挟んで、第１及び第２の主面Ｌ１２ａ、Ｌ１２ｂの対向方向に沿って互いに対向している。
【０４２１】
第１の主面Ｌ１２ａと第８の内部電極５５とは、第１及び第２の主面Ｌ１２ａ、Ｌ１２ｂの対向方向で見て、誘電体層１０、１１を介して隣り合って配置されている。第２の主面Ｌ１２ｂと第７の内部電極５２とは、第１及び第２の主面Ｌ１２ａ、Ｌ１２ｂの対向方向で見て、誘電体層１７、１８を介して隣り合って配置されている。
【０４２２】
第１の内部電極２１、２２は、主電極部２１ａ、２２ａと、主電極部２１ａ、２２ａから第１の側面Ｌ１２ｅに露出するように伸びる引き出し部２１ｂ、２２ｂとを含んでいる。引き出し部２１ｂ、２２ｂは、第１の端子電極１に物理的に接続される。
【０４２３】
第２の内部電極２５、２６は、主電極部２５ａ、２６ａと、主電極部２５ａ、２６ａから第２の側面Ｌ１２ｆに露出するように伸びる引き出し部２５ｂ、２６ｂとを含んでいる。引き出し部２５ｂ、２６ｂは、第２の端子電極２に物理的に接続される。
【０４２４】
第３の内部電極３１、３２は、主電極部３１ａ、３２ａと、主電極部３１ａ、３２ａから第１の側面Ｌ１２ｅに露出するように伸びる引き出し部３１ｂ、３２ｂとを含んでいる。引き出し部３１ｂ、３２ｂは、第３の端子電極３に物理的に接続される。
【０４２５】
第４の内部電極３５、３６は、主電極部３５ａ、３６ａと、主電極部３５ａ、３６ａから第２の側面Ｌ１２ｆに露出するように伸びる引き出し部３５ｂ、３６ｂとを含んでいる。引き出し部３５ｂ、３６ｂは、第４の端子電極４に物理的に接続される。
【０４２６】
第５の内部電極４１、４２は、主電極部４１ａ、４２ａと、主電極部４１ａ、４２ａから第１の側面Ｌ１２ｅに露出するように伸びる引き出し部４１ｂ、４２ｂとを含んでいる。引き出し部４１ｂ〜４４ｂは、第５の端子電極５に物理的に接続される。
【０４２７】
第６の内部電極４５、４６は、主電極部４５ａ、４６ａと、主電極部４５ａ、４６ａから第２の側面Ｌ１２ｆに露出するように伸びる引き出し部４５ｂ、４６ｂとを含んでいる。引き出し部４５ｂ、４６ｂは、第６の端子電極６に物理的に接続される。
【０４２８】
第７の内部電極５１、５２は、主電極部５１ａ、５２ａと、主電極部５１ａ、５２ａから第１の側面Ｌ１２ｅに露出するように伸びる引き出し部５１ｂ、５２ｂとを含んでいる。引き出し部５１ｂ、５２ｂは、第７の端子電極７に物理的に接続される。
【０４２９】
第８の内部電極５５、５６は、主電極部５５ａ、５６ａと、主電極部５５ａ、５６ａから第２の側面Ｌ１２ｆに露出するように伸びる引き出し部５５ｂ、５６ｂとを含んでいる。引き出し部５５ｂ、５６ｂは、第８の端子電極８に物理的に接続される。
【０４３０】
図３５及び図３６に示されているように、仮想的な基準面Ｓ１として、第１及び第２の主面Ｌ１２ａ、Ｌ１２ｂの対向方向に平行な仮想面を考える。第１及び第２の電極群２０、３０は、基準面Ｓ１に直交する方向である第１及び第２の主面Ｌ１２ａ、Ｌ１２ｂの対向方向と直交する方向に沿って併置されている。すなわち、コンデンサ素体Ｌ１２内において、第１及び第２の内部電極２１、２２、２５、２６は基準面Ｓ１に対し第１の端面Ｌ１２ｃ側に、第３及び第４の内部電極３１、３２、３５、３６は基準面Ｓ１に対し第２の端面Ｌ１２ｄ側にそれぞれ配置されている。
【０４３１】
さらに仮想的な基準面Ｓ２として、第１及び第２の主面Ｌ１２ａ、Ｌ１２ｂの対向方向に平行な仮想面を考える。第２及び第３の電極群３０、４０は、基準面Ｓ２に直交する方向である第１及び第２の主面Ｌ１２ａ、Ｌ１２ｂの対向方向と直交する方向に沿って併置されている。すなわち、コンデンサ素体Ｌ１２内において、第３及び第４の内部電極３１、３２、３５、３６は基準面Ｓ２に対し第１の端面Ｌ１２ｃ側に、第５及び第６の内部電極４１、４２、４５、４６は基準面Ｓ２に対し第２の端面Ｌ１２ｄ側にそれぞれ配置されている。
【０４３２】
さらに仮想的な基準面Ｓ３として、第１及び第２の主面Ｌ１２ａ、Ｌ１２ｂの対向方向に平行な仮想面を考える。第３及び第４の電極群４０、５０は、基準面Ｓ３に直交する方向である第１及び第２の主面Ｌ１２ａ、Ｌ１２ｂの対向方向と直交する方向に沿って併置されている。すなわち、コンデンサ素体Ｌ１２内において、第５及び第６の内部電極４１、４２、４５、４６は基準面Ｓ３に対し第１の端面Ｌ１２ｃ側に、第７及び第８の内部電極５１、５２、５５、５６は基準面Ｓ３に対し第２の端面Ｌ１２ｄ側にそれぞれ配置されている。
【０４３３】
第１の内部電極２１、２２は、主電極部２１ａ、２２ａの第２の端面Ｌ１２ｄ側の辺が基準面Ｓ１に接するように配置されている。第２の内部電極２５、２６は、主電極部２５ａ、２６ａの第２の端面Ｌ１２ｄ側の辺が基準面Ｓ１から第１の端面Ｌ１２ｃ側に所定距離Ｄ１離れるように配置されている。
【０４３４】
第３の内部電極３１、３２の主電極部３１ａ、３２ａの第１の端面Ｌ１２ｃ側の辺が基準面Ｓ１にそれぞれ接する。第３の内部電極３１、３２の主電極部３１ａ、３２ａの第２の端面Ｌ１２ｄ側の辺が基準面Ｓ２にそれぞれ接する。
【０４３５】
第４の内部電極３５、３６は、主電極部３５ａ、３６ａの第１の端面Ｌ１２ｃ側の辺が基準面Ｓ１から第２の端面Ｌ１２ｄ側に所定距離Ｄ２離れるように配置されている。第４の内部電極３５、３６は、主電極部３５ａ、３６ａの第２の端面Ｌ１２ｄ側の辺が基準面Ｓ２から第１の端面Ｌ１２ｃ側に所定距離Ｄ３離れるように配置されている。
【０４３６】
第５の内部電極４１、４２の主電極部４１ａ、４２ａの第１の端面Ｌ１２ｃ側の辺が基準面Ｓ２にそれぞれ接する。第５の内部電極４１、４２の主電極部４１ａ、４２ａの第２の端面Ｌ１２ｄ側の辺が基準面Ｓ３にそれぞれ接する。
【０４３７】
第６の内部電極４５、４６は、主電極部４５ａ、４６ａの第１の端面Ｌ１２ｃ側の辺が基準面Ｓ２から第２の端面Ｌ１２ｄ側に所定距離Ｄ４離れるように配置されている。第６の内部電極４５、４６は、主電極部４５ａ、４６ａの第２の端面Ｌ１２ｄ側の辺が基準面Ｓ３から第１の端面Ｌ１２ｃ側に所定距離Ｄ５離れるように配置されている。
【０４３８】
第７の内部電極５１、５２は、主電極部５１ａ、５２ａの第１の端面Ｌ１２ｃ側の辺が基準面Ｓ３に接するように配置されている。第７の内部電極５５、５６は、主電極部５５ａ、５６ａの第１の端面Ｌ１２ｃ側の辺が基準面Ｓ３から第２の端面Ｌ１２ｄ側に所定距離Ｄ６離れるように配置されている。
【０４３９】
積層コンデンサアレイＣＡ１２では、第１及び第２の内部電極２１、２２、２５、２６が誘電体層を間に挟んで対向する内部電極を有し、これらの互いに対向する第１及び第２の内部電極が積層コンデンサアレイＣＡ１２に含まれるコンデンサの１つを形成する。
【０４４０】
積層コンデンサアレイＣＡ１２では、第３及び第４の内部電極３１、３２、３５、３６が誘電体層を間に挟んで対向する内部電極を有し、これらの互いに対向する第３及び第４の内部電極が積層コンデンサアレイＣＡ１２に含まれるコンデンサの１つを形成する。
【０４４１】
積層コンデンサアレイＣＡ１２では、第５及び第６の内部電極４１、４２、４５、４６が誘電体層を間に挟んで対向する内部電極を有し、これらの互いに対向する第５及び第６の内部電極が積層コンデンサアレイＣＡ１２に含まれるコンデンサの１つを形成する。
【０４４２】
積層コンデンサアレイＣＡ１２では、第７及び第８の内部電極５１〜５４、５５〜５８が誘電体層を間に挟んで対向する内部電極を有し、これらの互いに対向する第７及び第８の内部電極が積層コンデンサアレイＣＡ１２に含まれるコンデンサの１つを形成する。
【０４４３】
上述したように、積層コンデンサアレイＣＡ１２では、第１及び第２のの内部電極２１、２２、２５、２６によって形成されるコンデンサ、並びに第３及び第４の内部電極３１、３２、３５、３６によって形成されるコンデンサに電圧が印加され、それぞれのコンデンサに電歪が生じた場合であっても、第１及び第３の内部電極２１、２２、３１、３２が基準面Ｓ１と接するように配置されているため、コンデンサの間の基準面Ｓ１付近にも電歪が発生する。これにより、基準面Ｓ１付近に応力が集中することが抑制される。
【０４４４】
また、積層コンデンサアレイＣＡ１２では、第３及び第４の内部電極３１、３２、３５、３６、並びに第５及び第６の内部電極４１、４２、４５、４６によって形成されるコンデンサに電圧が印加され、それぞれのコンデンサに電歪が生じた場合であっても、第３及び第５の内部電極３１、３２、４１、４２が基準面Ｓ２と接するように配置されているため、コンデンサの間の基準面Ｓ２付近にも電歪が発生する。これにより、基準面Ｓ２付近に応力が集中することが抑制される。
【０４４５】
また、積層コンデンサアレイＣＡ１２では、第５及び第６の内部電極４１、４２、４５、４６、並びに第７及び第８の内部電極５１、５２、５５、５６によって形成されるコンデンサに電圧が印加され、それぞれのコンデンサに電歪が生じた場合であっても、第５及び第７の内部電極４１、４２、５１、５２が基準面Ｓ３と接するように配置されているため、コンデンサの間の基準面Ｓ３付近にも電歪が発生する。これにより、基準面Ｓ３付近に応力が集中することが抑制される。
【０４４６】
応力の集中を抑制することにより、積層コンデンサアレイＣＡ１２ではクラックの発生を抑制することも可能となる。
【０４４７】
第１の内部電極２１、２２が基準面Ｓ１に接するのに対し、第２の内部電極２５、２６は基準面Ｓ１から所定距離Ｄ１離れて位置する。第３の内部電極３１、３２が基準面Ｓ１に接するのに対し、第４の内部電極３５、３６は基準面Ｓ１から所定距離Ｄ２離れて位置する。そのため、基準面Ｓ１付近において過度に電歪による歪みを生じることが抑制される。
【０４４８】
第３の内部電極３１、３２が基準面Ｓ２に接するのに対し、第４の内部電極３５、３６は基準面Ｓ２から所定距離Ｄ３離れて位置する。第５の内部電極４１、４２が基準面Ｓ２に接するのに対し、第６の内部電極４５、４６は基準面Ｓ２から所定距離Ｄ４離れて位置する。そのため、基準面Ｓ２付近において過度に電歪による歪みを生じることが抑制される。
【０４４９】
第５の内部電極４１、４２が基準面Ｓ３に接するのに対し、第６の内部電極４５、４６は基準面Ｓ３から所定距離Ｄ５離れて位置する。第７の内部電極５１、５２が基準面Ｓ３に接するのに対し、第８の内部電極５５、５６は基準面Ｓ３から所定距離Ｄ６離れて位置する。そのため、基準面Ｓ３付近において過度に電歪による歪みを生じることが抑制される。
【０４５０】
第３及び第４の内部電極３１、３２、３５、３６、並びに第７及び第８の内部電極５１、５２、５５、５６は何れも、第１及び第２の主面Ｌ１２ａ、Ｌ１２ｂの対向方向において第１及び第２の内部電極２１、２２、２５、２６の何れとも異なる位置に配置されている。そのため、積層コンデンサアレイＣＡ１２では、第１及び第２の内部電極２１、２５の間に３層の誘電体層１１、１２、１３を、第１及び第２の内部電極２２、２６の間に３層の誘電体層１５、１６、１７を配置することができる。その結果、電歪緩和層を大きく有することができ、積層コンデンサアレイＣＡ１２では電歪によって発生する振動を抑制することが可能となる。
【０４５１】
第１及び第２の内部電極２１、２２、２５、２６、並びに第５及び第６の内部電極４１、４２、４５、４６は何れも、第１及び第２の主面Ｌ１２ａ、Ｌ１２ｂの対向方向において第３及び第４の内部電極３１、３２、３５、３６の何れとも異なる位置に配置されている。そのため、積層コンデンサアレイＣＡ１２では、第３及び第４の内部電極３１、３６の間に３層の誘電体層１３、１４、１５を配置することができる。さらに、積層コンデンサアレイＣＡ１２では、第１の主面Ｌ１２ａと第４の内部電極３５との間に２層の誘電体層１０、１１を、第３の内部電極３２と第２の主面Ｌ１２ｂとの間に２層の誘電体層１７、１８を配置することができる。その結果、電歪緩和層を大きく有することができ、積層コンデンサアレイＣＡ１２では電歪によって発生する振動を抑制することが可能となる。
【０４５２】
第３及び第４の内部電極３１、３２、３５、３６、並びに第７及び第８の内部電極５１、５２、５５、５６は何れも、第１及び第２の主面Ｌ１２ａ、Ｌ１２ｂの対向方向において第５及び第６の内部電極４１、４２、４５、４６の何れとも異なる位置に配置されている。そのため、積層コンデンサアレイＣＡ１２では、第５及び第６の内部電極４１、４５の間に３層の誘電体層１１、１２、１３を、第５及び第６の内部電極４２、４６の間に３層の誘電体層１５、１６、１７を配置することができる。その結果、電歪緩和層を大きく有することができ、積層コンデンサアレイＣＡ１２では電歪によって発生する振動を抑制することが可能となる。
【０４５３】
第１及び第２の内部電極２１、２２、２５、２６、並びに第５及び第６の内部電極４１、４２、４５、４６は何れも、第１及び第２の主面Ｌ１２ａ、Ｌ１２ｂの対向方向において第７及び第８の内部電極５１、５２、５５、５６の何れとも異なる位置に配置されている。そのため、積層コンデンサアレイＣＡ１２では、第７及び第８の内部電極５１、５６の間に３層の誘電体層１３、１４、１５を配置することができる。さらに、積層コンデンサアレイＣＡ１２では、第１の主面Ｌ１２ａと第８の内部電極３５との間に２層の誘電体層１０、１１を、第７の内部電極３２と第２の主面Ｌ１２ｂとの間に２層の誘電体層１７、１８を配置することができる。その結果、電歪緩和層を大きく有することができ、積層コンデンサアレイＣＡ１２では電歪によって発生する振動を抑制することが可能となる。
（第１３実施形態）
【０４５４】
図３７〜図３９を参照して、第１３実施形態に係る積層コンデンサアレイＣＡ１３の構成について説明する。第１３実施形態に係る積層コンデンサアレイＣＡ１３は、第１〜第８の端子電極１〜８及び第１〜第８の内部電極の配置の点で第１０実施形態に係る積層コンデンサアレイＣＡ１０とは異なる。図３７は、第１３実施形態に係る積層コンデンサアレイの斜視図である。図３８は、第１３実施形態に係る積層コンデンサアレイに含まれるコンデンサ素体の分解斜視図である。図３９は、図３７に示した積層コンデンサアレイのXXXIX−XXXIX矢印断面の構成を説明するための図である。
【０４５５】
第１３実施形態に係る積層コンデンサアレイＣＡ１３は、図３７に示されるように、コンデンサ素体Ｌ１３と、コンデンサ素体Ｌ１３の外表面に配置された第１〜第８の端子電極１〜８とを備える。
【０４５６】
コンデンサ素体Ｌ１３は、図３７に示されるように、直方体状であり、互いに対向する長方形状の第１及び第２の主面Ｌ１３ａ、Ｌ１３ｂと、第１及び第２の主面Ｌ１３ａ、Ｌ１３ｂ間を連結するように第1及び第２の主面の短辺方向に伸び且つ互いに対向する第１及び第２の端面Ｌ１３ｃ、Ｌ１３ｄと、第1及び第２の主面Ｌ１３ａ、Ｌ１３ｂ間を連結するように第1及び第２の主面Ｌ１３ａ、Ｌ１３ｂの長辺方向に伸び且つ互いに対向する第１及び第２の側面Ｌ１３ｅ、Ｌ１３ｆと、を有する。
【０４５７】
第１、第４、第５、及び第８の端子電極１、４、５、８は、コンデンサ素体Ｌ１３の第１の側面Ｌ１３ｅに、この順で第１の端面Ｌ１３ｃ側から第２の端面Ｌ１３ｄ側に向かって配置されている。第２、第３、第６、及び第７の端子電極３、４、６、７は、コンデンサ素体Ｌ１３の第２の側面Ｌ１３ｆに、この順で第１の端面Ｌ１３ｃ側から第２の端面Ｌ１３ｄ側に向かって配置されている。第１及び第２の端子電極１、２、第３及び第４の端子電極３、４、第５及び第６の端子電極５、６は、並びに第７及び第８の端子電極７、８はそれぞれ、第１及び第２の側面Ｌ１３ｅ、Ｌ１３ｆの対向方向で対向する。
【０４５８】
コンデンサ素体Ｌ１３は、図３８に示されるように、積層された複数（本実施形態では、８層）の誘電体層１０〜１８を有する。
【０４５９】
図３８に示されているように、コンデンサ素体Ｌ１３には、第１〜第４の電極群２０、３０、４０、５０が含まれている。第１の電極群２０は、複数（本実施形態では各２層）の第１及び第２の内部電極２１、２２、２５、２６を有する。第２の電極群３０は、複数（本実施形態では各２層）の第３及び第４の内部電極３１、３２、３５、３６を有する。第３の電極群４０は、複数（本実施形態では各２層）の第５及び第６の内部電極４１、４２、４５、４６を有する。第４の電極群５０は、複数（本実施形態では各２層）の第７及び第８の内部電極５１、５２、５５、５６を有する。
【０４６０】
第１〜第４の電極群２０、３０、４０、５０は、コンデンサ素体Ｌ１３内において第１及び第２の端面Ｌ１３ｃ、Ｌ１３ｄの対向方向に沿って併置されている。具体的には、第１、第２、第３、及び第４の電極群２０、３０、４０、５０は、第１の端面Ｌ１３ｃ側から第２の端面Ｌ１３ｄ側に向かってこの順で併置されている。
【０４６１】
第１の電極群２０に含まれる第１及び第２の内部電極２１、２２、２５、２６は、第１の主面Ｌ１３ａから第２の主面Ｌ１３ｂに向かって、第２の内部電極２５、第１の内部電極２１、第２の内部電極２６、第１の内部電極２２の順で配置されている。第２の電極群３０に含まれる第３及び第４の内部電極３１、３２、３５、３６は、第１の主面Ｌ１３ａから第２の主面Ｌ１３ｂに向かって、第３の内部電極３１、第４の内部電極３５、第３の内部電極３２、第４の内部電極３６の順で配置されている。第３の電極群４０に含まれる第５及び第６の内部電極４１、４２、４５、４６は、第１の主面Ｌ１３ａから第２の主面Ｌ１３ｂに向かって、第６の内部電極４５、第５の内部電極４１、第６の内部電極４６、第５の内部電極４２の順で配置されている。第４の電極群５０に含まれる第７及び第８の内部電極５１、５２、５５、５６は、第１の主面Ｌ１３ａから第２の主面Ｌ１３ｂに向かって、第７の内部電極５１、第８の内部電極５５、第７の内部電極５２、第８の内部電極５６の順で配置されている。
【０４６２】
コンデンサ素体Ｌ１３内において、第１及び第２の内部電極２１、２２、２５、２６は何れも、第１及び第２の主面Ｌ１３ａ、Ｌ１３ｂの対向方向において第３及び第４の内部電極３１、３２、３５、３６、並びに第７及び第８の内部電極５１、５２、５５、５６の何れとも異なる位置に配置されている。
【０４６３】
コンデンサ素体Ｌ１３内において、第３及び第４の内部電極３１、３２、３５、３６は何れも、第１及び第２の主面Ｌ１３ａ、Ｌ１３ｂの対向方向において第１及び第２の内部電極２１、２２、２５、２６、並びに第５及び第６の内部電極４１、４２、４５、４６の何れとも異なる位置に配置されている。
【０４６４】
コンデンサ素体Ｌ１３内において、第５及び第６の内部電極４１、４２、４５、４６は何れも、第１及び第２の主面Ｌ１３ａ、Ｌ１３ｂの対向方向において第３及び第４の内部電極３１、３２、３５、３６、並びに第７及び第８の内部電極５１、５２、５５、５６の何れとも異なる位置に配置されている。
【０４６５】
コンデンサ素体Ｌ１３内において、第７及び第８の内部電極５１、５２、５５、５６は何れも、第１及び第２の主面Ｌ１３ａ、Ｌ１３ｂの対向方向において第１及び第２の内部電極２１、２２、２５、２６、並びに第５及び第６の内部電極４１、４２、４５、４６の何れとも異なる位置に配置されている。
【０４６６】
コンデンサ素体Ｌ１３内において、第２の内部電極２５と第６の内部電極４５とが、第１の内部電極２１と第５の内部電極４１とが、第２の内部電極２６と第６の内部電極４６とが、第１の内部電極２２と第５の内部電極４２とが、それぞれ第１及び第２の主面Ｌ１３ａ、Ｌ１３ｂの対向方向において同層に配置されている。コンデンサ素体Ｌ１３内において、第３の内部電極３１と第７の内部電極５１とが、第４の内部電極３５と第８の内部電極５５とが、第３の内部電極３２と第７の内部電極５２とが、第４の内部電極３６と第８の内部電極５６とが、それぞれ第１及び第２の主面Ｌ１３ａ、Ｌ１３ｂの対向方向において同層に配置されている。
【０４６７】
第１及び第２の内部電極２１、２５は誘電体層１２を間に挟んで、第１及び第２の内部電極２２、２６は誘電体層１６を間に挟んで、それぞれ第１及び第２の主面Ｌ１３ａ、Ｌ１３ｂの対向方向に沿って互いに対向している。第１及び第２の内部電極２１、２６は３層の誘電体層１３、１４、１５を間に挟んで、第１及び第２の主面Ｌ１３ａ、Ｌ１３ｂの対向方向に沿って互いに対向している。
【０４６８】
第１の主面Ｌ１３ａと第２の内部電極２５とは、第１及び第２の主面Ｌ１３ａ、Ｌ１３ｂの対向方向で見て、誘電体層１０、１１を介して隣り合って配置されている。第２の主面Ｌ１３ｂと第１の内部電極２２とは、第１及び第２の主面Ｌ１３ａ、Ｌ１３ｂの対向方向で見て、誘電体層１７、１８を介して隣り合って配置されている。
【０４６９】
第３及び第４の内部電極３２、３５は、誘電体層１４を間に挟んで第１及び第２の主面Ｌ１３ａ、Ｌ１３ｂの対向方向に沿って互いに対向している。第３及び第４の内部電極３１、３５は３層の誘電体層１１、１２、１３を間に挟んで、第３及び第４の内部電極３２、３６は３層の誘電体層１５、１６、１７を間に挟んで、それぞれ第１及び第２の主面Ｌ１３ａ、Ｌ１３ｂの対向方向に沿って互いに対向している。
【０４７０】
第５及び第６の内部電極４１、４５は誘電体層１２を間に挟んで、第５及び第６の内部電極４２、４６は誘電体層１６を間に挟んで、それぞれ第１及び第２の主面Ｌ１３ａ、Ｌ１３ｂの対向方向に沿って互いに対向している。第５及び第６の内部電極４１、４６は３層の誘電体層１３、１４、１５を間に挟んで、第１及び第２の主面Ｌ１３ａ、Ｌ１３ｂの対向方向に沿って互いに対向している。
【０４７１】
第１の主面Ｌ１３ａと第６の内部電極４５とは、第１及び第２の主面Ｌ１３ａ、Ｌ１３ｂの対向方向で見て、誘電体層１０、１１を介して隣り合って配置されている。第２の主面Ｌ１３ｂと第５の内部電極４２とは、第１及び第２の主面Ｌ１３ａ、Ｌ１３ｂの対向方向で見て、誘電体層１７、１８を介して隣り合って配置されている。
【０４７２】
第７及び第８の内部電極５２、５５は、誘電体層１４を間に挟んで第１及び第２の主面Ｌ１３ａ、Ｌ１３ｂの対向方向に沿って互いに対向している。第７及び第８の内部電極５１、５５は３層の誘電体層１１、１２、１３を間に挟んで、第７及び第８の内部電極５２、５６は３層の誘電体層１５、１６、１７を間に挟んで、それぞれ第１及び第２の主面Ｌ１３ａ、Ｌ１３ｂの対向方向に沿って互いに対向している。
【０４７３】
第１の内部電極２１、２２は、主電極部２１ａ、２２ａと、主電極部２１ａ、２２ａから第１の側面Ｌ１３ｅに露出するように伸びる引き出し部２１ｂ、２２ｂとを含んでいる。引き出し部２１ｂ、２２ｂは、第１の端子電極１に物理的に接続される。
【０４７４】
第２の内部電極２５、２６は、主電極部２５ａ、２６ａと、主電極部２５ａ、２６ａから第２の側面Ｌ１３ｆに露出するように伸びる引き出し部２５ｂ、２６ｂとを含んでいる。引き出し部２５ｂ、２６ｂは、第２の端子電極２に物理的に接続される。
【０４７５】
第３の内部電極３１、３２は、主電極部３１ａ、３２ａと、主電極部３１ａ、３２ａから第２の側面Ｌ１３ｆに露出するように伸びる引き出し部３１ｂ、３２ｂとを含んでいる。引き出し部３１ｂ、３２ｂは、第３の端子電極３に物理的に接続される。
【０４７６】
第４の内部電極３５、３６は、主電極部３５ａ、３６ａと、主電極部３５ａ、３６ａから第１の側面Ｌ１３ｅに露出するように伸びる引き出し部３５ｂ、３６ｂとを含んでいる。引き出し部３５ｂ、３６ｂは、第４の端子電極４に物理的に接続される。
【０４７７】
第５の内部電極４１、４２は、主電極部４１ａ、４２ａと、主電極部４１ａ、４２ａから第１の側面Ｌ１３ｅに露出するように伸びる引き出し部４１ｂ、４２ｂとを含んでいる。引き出し部４１ｂ〜４４ｂは、第５の端子電極５に物理的に接続される。
【０４７８】
第６の内部電極４５、４６は、主電極部４５ａ、４６ａと、主電極部４５ａ、４６ａから第２の側面Ｌ１３ｆに露出するように伸びる引き出し部４５ｂ、４６ｂとを含んでいる。引き出し部４５ｂ、４６ｂは、第６の端子電極６に物理的に接続される。
【０４７９】
第７の内部電極５１、５２は、主電極部５１ａ、５２ａと、主電極部５１ａ、５２ａから第２の側面Ｌ１３ｆに露出するように伸びる引き出し部５１ｂ、５２ｂとを含んでいる。引き出し部５１ｂ、５２ｂは、第７の端子電極７に物理的に接続される。
【０４８０】
第８の内部電極５５、５６は、主電極部５５ａ、５６ａと、主電極部５５ａ、５６ａから第１の側面Ｌ１３ｅに露出するように伸びる引き出し部５５ｂ、５６ｂとを含んでいる。引き出し部５５ｂ、５６ｂは、第８の端子電極８に物理的に接続される。
【０４８１】
図３８及び図３９に示されているように、仮想的な基準面Ｓ１として、第１及び第２の主面Ｌ１３ａ、Ｌ１３ｂの対向方向に平行な仮想面を考える。第１及び第２の電極群２０、３０は、基準面Ｓ１に直交する方向である第１及び第２の主面Ｌ１３ａ、Ｌ１３ｂの対向方向と直交する方向に沿って併置されている。すなわち、コンデンサ素体Ｌ１３内において、第１及び第２の内部電極２１、２２、２５、２６は基準面Ｓ１に対し第１の端面Ｌ１３ｃ側に、第３及び第４の内部電極３１、３２、３５、３６は基準面Ｓ１に対し第２の端面Ｌ１３ｄ側にそれぞれ配置されている。
【０４８２】
さらに仮想的な基準面Ｓ２として、第１及び第２の主面Ｌ１３ａ、Ｌ１３ｂの対向方向に平行な仮想面を考える。第２及び第３の電極群３０、４０は、基準面Ｓ２に直交する方向である第１及び第２の主面Ｌ１３ａ、Ｌ１３ｂの対向方向と直交する方向に沿って併置されている。すなわち、コンデンサ素体Ｌ１３内において、第３及び第４の内部電極３１、３２、３５、３６は基準面Ｓ２に対し第１の端面Ｌ１３ｃ側に、第５及び第６の内部電極４１、４２、４５、４６は基準面Ｓ２に対し第２の端面Ｌ１３ｄ側にそれぞれ配置されている。
【０４８３】
さらに仮想的な基準面Ｓ３として、第１及び第２の主面Ｌ１３ａ、Ｌ１３ｂの対向方向に平行な仮想面を考える。第３及び第４の電極群４０、５０は、基準面Ｓ３に直交する方向である第１及び第２の主面Ｌ１３ａ、Ｌ１３ｂの対向方向と直交する方向に沿って併置されている。すなわち、コンデンサ素体Ｌ１３内において、第５及び第６の内部電極４１、４２、４５、４６は基準面Ｓ３に対し第１の端面Ｌ１３ｃ側に、第７及び第８の内部電極５１、５２、５５、５６は基準面Ｓ３に対し第２の端面Ｌ１３ｄ側にそれぞれ配置されている。
【０４８４】
第１の内部電極２１、２２は、主電極部２１ａ、２２ａの第２の端面Ｌ１３ｄ側の辺が基準面Ｓ１に接するように配置されている。第２の内部電極２５、２６は、主電極部２５ａ、２６ａの第２の端面Ｌ１３ｄ側の辺が基準面Ｓ１から第１の端面Ｌ１３ｃ側に所定距離Ｄ１離れるように配置されている。
【０４８５】
第３の内部電極３１、３２の主電極部３１ａ、３２ａの第１の端面Ｌ１３ｃ側の辺が基準面Ｓ１にそれぞれ接する。第３の内部電極３１、３２の主電極部３１ａ、３２ａの第２の端面Ｌ１３ｄ側の辺が基準面Ｓ２にそれぞれ接する。
【０４８６】
第４の内部電極３５、３６は、主電極部３５ａ、３６ａの第１の端面Ｌ１３ｃ側の辺が基準面Ｓ１から第２の端面Ｌ１３ｄ側に所定距離Ｄ２離れるように配置されている。第４の内部電極３５、３６は、主電極部３５ａ、３６ａの第２の端面Ｌ１３ｄ側の辺が基準面Ｓ２から第１の端面Ｌ１３ｃ側に所定距離Ｄ３離れるように配置されている。
【０４８７】
第５の内部電極４１、４２の主電極部４１ａ、４２ａの第１の端面Ｌ１３ｃ側の辺が基準面Ｓ２にそれぞれ接する。第５の内部電極４１、４２の主電極部４１ａ、４２ａの第２の端面Ｌ１３ｄ側の辺が基準面Ｓ３にそれぞれ接する。
【０４８８】
第６の内部電極４５、４６は、主電極部４５ａ、４６ａの第１の端面Ｌ１３ｃ側の辺が基準面Ｓ２から第２の端面Ｌ１３ｄ側に所定距離Ｄ４離れるように配置されている。第６の内部電極４５、４６は、主電極部４５ａ、４６ａの第２の端面Ｌ１３ｄ側の辺が基準面Ｓ３から第１の端面Ｌ１３ｃ側に所定距離Ｄ５離れるように配置されている。
【０４８９】
第７の内部電極５１、５２は、主電極部５１ａ、５２ａの第１の端面Ｌ１３ｃ側の辺が基準面Ｓ３に接するように配置されている。第８の内部電極５５、５６は、主電極部５５ａ、５６ａの第１の端面Ｌ１３ｃ側の辺が基準面Ｓ３から第２の端面Ｌ１３ｄ側に所定距離Ｄ６離れるように配置されている。
【０４９０】
積層コンデンサアレイＣＡ１３では、第１及び第２の内部電極２１、２２、２５、２６が誘電体層を間に挟んで対向する内部電極を有し、これらの互いに対向する第１及び第２の内部電極が積層コンデンサアレイＣＡ１３に含まれるコンデンサの１つを形成する。
【０４９１】
積層コンデンサアレイＣＡ１３では、第３及び第４の内部電極３１、３２、３５、３６が誘電体層を間に挟んで対向する内部電極を有し、これらの互いに対向する第３及び第４の内部電極が積層コンデンサアレイＣＡ１３に含まれるコンデンサの１つを形成する。
【０４９２】
積層コンデンサアレイＣＡ１３では、第５及び第６の内部電極４１、４２、４５、４６が誘電体層を間に挟んで対向する内部電極を有し、これらの互いに対向する第５及び第６の内部電極が積層コンデンサアレイＣＡ１３に含まれるコンデンサの１つを形成する。
【０４９３】
積層コンデンサアレイＣＡ１３では、第７及び第８の内部電極５１〜５４、５５〜５８が誘電体層を間に挟んで対向する内部電極を有し、これらの互いに対向する第７及び第８の内部電極が積層コンデンサアレイＣＡ１３に含まれるコンデンサの１つを形成する。
【０４９４】
上述したように、積層コンデンサアレイＣＡ１３では、第１及び第２の内部電極２１、２２、２５、２６によって形成されるコンデンサ、並びに第３及び第４の内部電極３１、３２、３５、３６によって形成されるコンデンサに電圧が印加され、それぞれのコンデンサに電歪が生じた場合であっても、第１及び第３の内部電極２１、２２、３１、３２が基準面Ｓ１と接するように配置されているため、コンデンサの間の基準面Ｓ１付近にも電歪が発生する。これにより、基準面Ｓ１付近に応力が集中することが抑制される。
【０４９５】
また、積層コンデンサアレイＣＡ１３では、第３及び第４の内部電極３１、３２、３５、３６、並びに第５及び第６の内部電極４１、４２、４５、４６によって形成されるコンデンサに電圧が印加され、それぞれのコンデンサに電歪が生じた場合であっても、第３及び第５の内部電極３１、３２、４１、４２が基準面Ｓ２と接するように配置されているため、コンデンサの間の基準面Ｓ２付近にも電歪が発生する。これにより、基準面Ｓ２付近に応力が集中することが抑制される。
【０４９６】
また、積層コンデンサアレイＣＡ１３では、第５及び第６の内部電極４１、４２、４５、４６、並びに第７及び第８の内部電極５１、５２、５５、５６によって形成されるコンデンサに電圧が印加され、それぞれのコンデンサに電歪が生じた場合であっても、第５及び第７の内部電極４１、４２、５１、５２が基準面Ｓ３と接するように配置されているため、コンデンサの間の基準面Ｓ３付近にも電歪が発生する。これにより、基準面Ｓ３付近に応力が集中することが抑制される。
【０４９７】
応力の集中を抑制することにより、積層コンデンサアレイＣＡ１３ではクラックの発生を抑制することも可能となる。
【０４９８】
第１の内部電極２１、２２が基準面Ｓ１に接するのに対し、第２の内部電極２５、２６は基準面Ｓ１から所定距離Ｄ１離れて位置する。第３の内部電極３１、３２が基準面Ｓ１に接するのに対し、第４の内部電極３５、３６は基準面Ｓ１から所定距離Ｄ２離れて位置する。そのため、基準面Ｓ１付近において過度に電歪による歪みを生じることが抑制される。
【０４９９】
第３の内部電極３１、３２が基準面Ｓ２に接するのに対し、第４の内部電極３５、３６は基準面Ｓ２から所定距離Ｄ３離れて位置する。第５の内部電極４１、４２が基準面Ｓ２に接するのに対し、第６の内部電極４５、４６は基準面Ｓ２から所定距離Ｄ４離れて位置する。そのため、基準面Ｓ２付近において過度に電歪による歪みを生じることが抑制される。
【０５００】
第５の内部電極４１、４２が基準面Ｓ３に接するのに対し、第６の内部電極４５、４６は基準面Ｓ３から所定距離Ｄ５離れて位置する。第７の内部電極５１、５２が基準面Ｓ３に接するのに対し、第８の内部電極５５、５６は基準面Ｓ３から所定距離Ｄ６離れて位置する。そのため、基準面Ｓ３付近において過度に電歪による歪みを生じることが抑制される。
【０５０１】
第３及び第４の内部電極３１、３２、３５、３６、並びに第７及び第８の内部電極５１、５２、５５、５６は何れも、第１及び第２の主面Ｌ１３ａ、Ｌ１３ｂの対向方向において第１及び第２の内部電極２１、２２、２５、２６の何れとも異なる位置に配置されている。そのため、積層コンデンサアレイＣＡ１３では、第１及び第２の内部電極２１、２６の間に３層の誘電体層１３、１４、１５を配置することができる。さらに、積層コンデンサアレイＣＡ１３では、第１の主面Ｌ１３ａと第２の内部電極２５との間に２層の誘電体層１０、１１を、第１の内部電極２２と第２の主面Ｌ１３ｂとの間に２層の誘電体層１７、１８を配置することができる。その結果、電歪緩和層を大きく有することができ、積層コンデンサアレイＣＡ１３では電歪によって発生する振動を抑制することが可能となる。
【０５０２】
第１及び第２の内部電極２１、２２、２５、２６、並びに第５及び第６の内部電極４１、４２、４５、４６は何れも、第１及び第２の主面Ｌ１３ａ、Ｌ１３ｂの対向方向において第３及び第４の内部電極３１、３２、３５、３６の何れとも異なる位置に配置されている。そのため、積層コンデンサアレイＣＡ１３では、第３及び第４の内部電極３１、３５の間に３層の誘電体層１１、１２、１３を、第３及び第４の内部電極３２、３６の間に３層の誘電体層１５、１６、１７を配置することができる。その結果、電歪緩和層を大きく有することができ、積層コンデンサアレイＣＡ１３では電歪によって発生する振動を抑制することが可能となる。
【０５０３】
第３及び第４の内部電極３１、３２、３５、３６、並びに第７及び第８の内部電極５１、５２、５５、５６は何れも、第１及び第２の主面Ｌ１３ａ、Ｌ１３ｂの対向方向において第５及び第６の内部電極４１、４２、４５、４６の何れとも異なる位置に配置されている。そのため、積層コンデンサアレイＣＡ１３では、第５及び第６の内部電極４１、４６の間に３層の誘電体層１３、１４、１５を配置することができる。さらに、積層コンデンサアレイＣＡ１３では、第１の主面Ｌ１３ａと第６の内部電極４５との間に２層の誘電体層１０、１１を、第５の内部電極４２と第２の主面Ｌ１３ｂとの間に２層の誘電体層１７、１８を配置することができる。その結果、電歪緩和層を大きく有することができ、積層コンデンサアレイＣＡ１３では電歪によって発生する振動を抑制することが可能となる。
【０５０４】
第１及び第２の内部電極２１、２２、２５、２６、並びに第５及び第６の内部電極４１、４２、４５、４６は何れも、第１及び第２の主面Ｌ１３ａ、Ｌ１３ｂの対向方向において第７及び第８の内部電極５１、５２、５５、５６の何れとも異なる位置に配置されている。そのため、積層コンデンサアレイＣＡ１３では、第７及び第８の内部電極５１、５５の間に３層の誘電体層１１、１２、１３を、第７及び第８の内部電極５２、５６の間に３層の誘電体層１５、１６、１７を配置することができる。その結果、電歪緩和層を大きく有することができ、積層コンデンサアレイＣＡ１３では電歪によって発生する振動を抑制することが可能となる。
（第１４実施形態）
【０５０５】
図４０〜図４２を参照して、第１４実施形態に係る積層コンデンサアレイＣＡ１４の構成について説明する。第１４実施形態に係る積層コンデンサアレイＣＡ１４は、第１〜第８の内部電極の配置の点で第１０実施形態に係る積層コンデンサアレイＣＡ１０とは異なる。図４０は、第１４実施形態に係る積層コンデンサアレイの斜視図である。図４１は、第１４実施形態に係る積層コンデンサアレイに含まれるコンデンサ素体の分解斜視図である。図４２は、図４０に示した積層コンデンサアレイのXLII−XLII矢印断面の構成を説明するための図である。
【０５０６】
第１４実施形態に係る積層コンデンサアレイＣＡ１４は、図４０に示されるように、コンデンサ素体Ｌ１４と、コンデンサ素体Ｌ１４の外表面に配置された第１〜第８の端子電極１〜８とを備える。
【０５０７】
コンデンサ素体Ｌ１４は、図４０に示されるように、直方体状であり、互いに対向する長方形状の第１及び第２の主面Ｌ１４ａ、Ｌ１４ｂと、第１及び第２の主面Ｌ１４ａ、Ｌ１４ｂ間を連結するように第1及び第２の主面の短辺方向に伸び且つ互いに対向する第１及び第２の端面Ｌ１４ｃ、Ｌ１４ｄと、第1及び第２の主面Ｌ１４ａ、Ｌ１４ｂ間を連結するように第1及び第２の主面Ｌ１４ａ、Ｌ１４ｂの長辺方向に伸び且つ互いに対向する第１及び第２の側面Ｌ１４ｅ、Ｌ１４ｆと、を有する。
【０５０８】
第１、第３、第５、及び第７の端子電極１、３、５、７は、コンデンサ素体Ｌ１４の第１の側面Ｌ１４ｅに、この順で第１の端面Ｌ１４ｃ側から第２の端面Ｌ１４ｄ側に向かって配置されている。第２、第４、第６、及び第８の端子電極２、４、６、８は、コンデンサ素体Ｌ１４の第２の側面Ｌ１４ｆに、この順で第１の端面Ｌ１４ｃ側から第２の端面Ｌ１４ｄ側に向かって配置されている。第１及び第２の端子電極１、２、第３及び第４の端子電極３、４、第５及び第６の端子電極５、６は、並びに第７及び第８の端子電極７、８はそれぞれ、第１及び第２の側面Ｌ１４ｅ、Ｌ１４ｆの対向方向で対向する。
【０５０９】
コンデンサ素体Ｌ１４は、図４１に示されるように、積層された複数（本実施形態では、８層）の誘電体層１０〜１８を有する。
【０５１０】
図４１に示されているように、コンデンサ素体Ｌ１４には、第１〜第４の電極群２０、３０、４０、５０が含まれている。第１の電極群２０は、複数（本実施形態では４層）の第１の内部電極２１〜２４及び複数（本実施形態では２層）の第２の内部電極２５、２６を有する。第２の電極群３０は、複数（本実施形態では４層）の第３の内部電極３１〜３４及び複数（本実施形態では２層）の第４の内部電極３５、３６を有する。第３の電極群４０は、複数（本実施形態では２層）の第５の内部電極４１、４２及び複数（本実施形態では４層）の第６の内部電極４５〜４８を有する。第４の電極群５０は、複数（本実施形態では２層）の第７の内部電極５１、５２及び複数（本実施形態では４層）の第８の内部電極５５〜５８を有する。
【０５１１】
第１〜第４の電極群２０、３０、４０、５０は、コンデンサ素体Ｌ１４内において第１及び第２の端面Ｌ１４ｃ、Ｌ１４ｄの対向方向に沿って併置されている。具体的には、第１、第２、第３、及び第４の電極群２０、３０、４０、５０は、第１の端面Ｌ１４ｃ側から第２の端面Ｌ１４ｄ側に向かってこの順で併置されている。
【０５１２】
第１の電極群２０に含まれる第１及び第２の内部電極２１〜２４、２５、２６は、第１の主面Ｌ１４ａから第２の主面Ｌ１４ｂに向かって、第１の内部電極２１、第１の内部電極２２、第２の内部電極２５、第１の内部電極２３、第１の内部電極２４、第２の内部電極２６の順で配置されている。第２の電極群３０に含まれる第３及び第４の内部電極３１〜３４、３５、３６は、第１の主面Ｌ１４ａから第２の主面Ｌ１４ｂに向かって、第４の内部電極３５、第３の内部電極３１、第３の内部電極３２、第４の内部電極３６、第３の内部電極３３、第３の内部電極３４の順で配置されている。第３の電極群４０に含まれる第５及び第６の内部電極４１、４２、４５〜４８は、第１の主面Ｌ１４ａから第２の主面Ｌ１４ｂに向かって、第６の内部電極４５、第５の内部電極４１、第６の内部電極４６、第６の内部電極４７、第５の内部電極４２、第６の内部電極４８の順で配置されている。第４の電極群５０に含まれる第７及び第８の内部電極５１、５２、５５〜５８は、第１の主面Ｌ１４ａから第２の主面Ｌ１４ｂに向かって、第８の内部電極５５、第７の内部電極５１、第８の内部電極５６、第８の内部電極５７、第７の内部電極５２、第８の内部電極５８の順で配置されている。
【０５１３】
コンデンサ素体Ｌ１４内において、第１の内部電極２２、２４は何れも、第１及び第２の主面Ｌ１４ａ、Ｌ１４ｂの対向方向において第３及び第４の内部電極３１〜３４、３５、３６の何れとも異なる位置に配置されている。コンデンサ素体Ｌ１４内において、第１の内部電極２１、２３は何れも、第１及び第２の主面Ｌ１４ａ、Ｌ１４ｂの対向方向において第５及び第６の内部電極４１、４２、４５〜４８の何れとも異なる位置に配置されている。コンデンサ素体Ｌ１４内において、第２の内部電極２５、２６は何れも、第１及び第２の主面Ｌ１４ａ、Ｌ１４ｂの対向方向において第７及び第８の内部電極５１、５２、５５〜５８の何れとも異なる位置に配置されている。
【０５１４】
コンデンサ素体Ｌ１４内において、第３の内部電極３１、３３は何れも、第１及び第２の主面Ｌ１４ａ、Ｌ１４ｂの対向方向において第１及び第２の内部電極２１〜２４、２５、２６の何れとも異なる位置に配置されている。コンデンサ素体Ｌ１４内において、第４の内部電極３５、３６は何れも、第１及び第２の主面Ｌ１４ａ、Ｌ１４ｂの対向方向において第５及び第６の内部電極４１、４２、４５〜４８の何れとも異なる位置に配置されている。コンデンサ素体Ｌ１４内において、第３の内部電極３２、３４は何れも、第１及び第２の主面Ｌ１４ａ、Ｌ１４ｂの対向方向において第７及び第８の内部電極５１、５２、５５〜５８の何れとも異なる位置に配置されている。
【０５１５】
コンデンサ素体Ｌ１４内において、第５の内部電極４５、４７は何れも、第１及び第２の主面Ｌ１４ａ、Ｌ１４ｂの対向方向において第１及び第２の内部電極２１〜２４、２５、２６の何れとも異なる位置に配置されている。コンデンサ素体Ｌ１４内において、第５の内部電極４１、４２は何れも、第１及び第２の主面Ｌ１４ａ、Ｌ１４ｂの対向方向において第３及び第４の内部電極３１〜３４、３５、３６の何れとも異なる位置に配置されている。コンデンサ素体Ｌ１４内において、第６の内部電極４６、４８は何れも、第１及び第２の主面Ｌ１４ａ、Ｌ１４ｂの対向方向において第７及び第８の内部電極５１、５２、５５〜５８の何れとも異なる位置に配置されている。
【０５１６】
コンデンサ素体Ｌ１４内において、第７の内部電極５１、５２は何れも、第１及び第２の主面Ｌ１４ａ、Ｌ１４ｂの対向方向において第１及び第２の内部電極２１〜２４、２５、２６の何れとも異なる位置に配置されている。コンデンサ素体Ｌ１４内において、第８の内部電極５６、５８は何れも、第１及び第２の主面Ｌ１４ａ、Ｌ１４ｂの対向方向において第３及び第４の内部電極３１〜３４、３５、３６の何れとも異なる位置に配置されている。コンデンサ素体Ｌ１４内において、第８の内部電極５５、５７は何れも、第１及び第２の主面Ｌ１４ａ、Ｌ１４ｂの対向方向において第５及び第６の内部電極４１、４２、４５〜４８の何れとも異なる位置に配置されている。
【０５１７】
コンデンサ素体Ｌ１４内において、第１の内部電極２１と第４の内部電極３５と第８の内部電極５５とが、第３の内部電極３１と第６の内部電極４５と第７の内部電極５１とが、第１の内部電極２２と第５の内部電極４１と第８の内部電極５６とが、第２の内部電極２５と第４の内部電極３２と第６の内部電極４６とが、第１の内部電極２３と第４の内部電極３６と第８の内部電極５７とが、第３の内部電極３３と第６の内部電極４７と第７の内部電極５２とが、第１の内部電極２４と第５の内部電極４２と第８の内部電極５８とが、第２の内部電極２６と第４の内部電極３４と第６の内部電極４８とが、それぞれ第１及び第２の主面Ｌ１４ａ、Ｌ１４ｂの対向方向において同層に配置されている。
【０５１８】
第１及び第２の内部電極２２、２５は誘電体層１３を間に挟んで、第１及び第２の内部電極２３、２５は誘電体層１３を間に挟んで、第１及び第２の内部電極２４、２６は誘電体層１６を間に挟んで、それぞれ第１及び第２の主面Ｌ１４ａ、Ｌ１４ｂの対向方向に沿って互いに対向している。
【０５１９】
第１の内部電極２１、２２は、第１及び第２の主面Ｌ１４ａ、Ｌ１４ｂの対向方向で見て、誘電体層１１、１２を介して隣り合って配置されている。第１の内部電極２３、２４は、第１及び第２の主面Ｌ１４ａ、Ｌ１４ｂの対向方向で見て、誘電体層１５、１６を介して隣り合って配置されている。
【０５２０】
第３及び第４の内部電極３１、３５は誘電体層１１を間に挟んで、第３及び第４の内部電極３２、３６は誘電体層１４を間に挟んで、第３及び第４の内部電極３３、３６は誘電体層１５を間に挟んで、それぞれ第１及び第２の主面Ｌ１４ａ、Ｌ１４ｂの対向方向に沿って互いに対向している。
【０５２１】
第３の内部電極３１、３２は、第１及び第２の主面Ｌ１４ａ、Ｌ１４ｂの対向方向で見て、誘電体層１２、１３を介して隣り合って配置されている。第１の内部電極３３、３４は、第１及び第２の主面Ｌ１４ａ、Ｌ１４ｂの対向方向で見て、誘電体層１６、１７を介して隣り合って配置されている。
【０５２２】
第５及び第６の内部電極４１、４５は誘電体層１２を間に挟んで、第５及び第６の内部電極４１、４６は誘電体層１３を間に挟んで、第５及び第６の内部電極４２、４７は誘電体層１６を間に挟んで、第５及び第６の内部電極４２、４８は誘電体層１７を間に挟んで、それぞれ第１及び第２の主面Ｌ１４ａ、Ｌ１４ｂの対向方向に沿って互いに対向している。
【０５２３】
第１の主面Ｌ１４ａと第６の内部電極４５とは、第１及び第２の主面Ｌ１４ａ、Ｌ１４ｂの対向方向で見て、誘電体層１０、１１を介して隣り合って配置されている。第６の内部電極４６、４７は、第１及び第２の主面Ｌ１４ａ、Ｌ１４ｂの対向方向で見て、誘電体層１４、１５を介して隣り合って配置されている。
【０５２４】
第７及び第８の内部電極５１、５５は誘電体層１１を間に挟んで、第７及び第８の内部電極５１、５６は誘電体層１２を間に挟んで、第７及び第８の内部電極５２、５７は誘電体層１５を間に挟んで、第７及び第８の内部電極５２、５８は誘電体層１６を間に挟んで、それぞれ第１及び第２の主面Ｌ１４ａ、Ｌ１４ｂの対向方向に沿って互いに対向している。
【０５２５】
第６の内部電極５６、５７は、第１及び第２の主面Ｌ１４ａ、Ｌ１４ｂの対向方向で見て、誘電体層１３、１４を介して隣り合って配置されている。第６の内部電極５８と第２の主面Ｌ１４ｂとは、第１及び第２の主面Ｌ１４ａ、Ｌ１４ｂの対向方向で見て、誘電体層１７、１８を介して隣り合って配置されている。
【０５２６】
第１の内部電極２１〜２４は、主電極部２１ａ〜２４ａと、主電極部２１ａ〜２４ａから第１の側面Ｌ１４ｅに露出するように伸びる引き出し部２１ｂ〜２４ｂとを含んでいる。引き出し部２１ｂ〜２４ｂは、第１の端子電極１に物理的に接続される。
【０５２７】
第２の内部電極２５、２６は、主電極部２５ａ、２６ａと、主電極部２５ａ、２６ａから第２の側面Ｌ１４ｆに露出するように伸びる引き出し部２５ｂ、２６ｂとを含んでいる。引き出し部２５ｂ、２６ｂは、第２の端子電極２に物理的に接続される。
【０５２８】
第３の内部電極３１〜３４は、主電極部３１ａ〜３４ａと、主電極部３１ａ〜３４ａから第１の側面Ｌ１４ｅに露出するように伸びる引き出し部３１ｂ〜３４ｂとを含んでいる。引き出し部３１ｂ〜３４ｂは、第３の端子電極３に物理的に接続される。
【０５２９】
第４の内部電極３５、３６は、主電極部３５ａ、３６ａと、主電極部３５ａ、３６ａから第２の側面Ｌ１４ｆに露出するように伸びる引き出し部３５ｂ、３６ｂとを含んでいる。引き出し部３５ｂ、３６ｂは、第４の端子電極４に物理的に接続される。
【０５３０】
第５の内部電極４１、４２は、主電極部４１ａ、４２ａと、主電極部４１ａ、４２ａから第１の側面Ｌ１４ｅに露出するように伸びる引き出し部４１ｂ、４２ｂとを含んでいる。引き出し部４１ｂ〜４４ｂは、第５の端子電極５に物理的に接続される。
【０５３１】
第６の内部電極４５〜４８は、主電極部４５ａ〜４８ａと、主電極部４５ａ〜４８ａから第２の側面Ｌ１４ｆに露出するように伸びる引き出し部４５ｂ〜４８ｂとを含んでいる。引き出し部４５ｂ〜４８ｂは、第６の端子電極６に物理的に接続される。
【０５３２】
第７の内部電極５１、５２は、主電極部５１ａ、５２ａと、主電極部５１ａ、５２ａから第１の側面Ｌ１４ｅに露出するように伸びる引き出し部５１ｂ、５２ｂとを含んでいる。引き出し部５１ｂ、５２ｂは、第７の端子電極７に物理的に接続される。
【０５３３】
第８の内部電極５５〜５８は、主電極部５５ａ〜５８ａと、主電極部５５ａ〜５８ａから第２の側面Ｌ１４ｆに露出するように伸びる引き出し部５５ｂ〜５８ｂとを含んでいる。引き出し部５５ｂ〜５８ｂは、第８の端子電極８に物理的に接続される。
【０５３４】
図４１及び図４２に示されているように、仮想的な基準面Ｓ１として、第１及び第２の主面Ｌ１４ａ、Ｌ１４ｂの対向方向に平行な仮想面を考える。第１及び第２の電極群２０、３０は、基準面Ｓ１に直交する方向である第１及び第２の主面Ｌ１４ａ、Ｌ１４ｂの対向方向と直交する方向に沿って併置されている。すなわち、コンデンサ素体Ｌ１４内において、第１及び第２の内部電極２１〜２４、２５、２６は基準面Ｓ１に対し第１の端面Ｌ１４ｃ側に、第３及び第４の内部電極３１〜３４、３５、３６は基準面Ｓ１に対し第２の端面Ｌ１４ｄ側にそれぞれ配置されている。
【０５３５】
さらに仮想的な基準面Ｓ２として、第１及び第２の主面Ｌ１４ａ、Ｌ１４ｂの対向方向に平行な仮想面を考える。第２及び第３の電極群３０、４０は、基準面Ｓ２に直交する方向である第１及び第２の主面Ｌ１４ａ、Ｌ１４ｂの対向方向と直交する方向に沿って併置されている。すなわち、コンデンサ素体Ｌ１４内において、第３及び第４の内部電極３１〜３４、３５、３６は基準面Ｓ２に対し第１の端面Ｌ１４ｃ側に、第５及び第６の内部電極４１、４２、４５〜４８は基準面Ｓ２に対し第２の端面Ｌ１４ｄ側にそれぞれ配置されている。
【０５３６】
さらに仮想的な基準面Ｓ３として、第１及び第２の主面Ｌ１４ａ、Ｌ１４ｂの対向方向に平行な仮想面を考える。第３及び第４の電極群４０、５０は、基準面Ｓ３に直交する方向である第１及び第２の主面Ｌ１４ａ、Ｌ１４ｂの対向方向と直交する方向に沿って併置されている。すなわち、コンデンサ素体Ｌ１４内において、第５及び第６の内部電極４１、４２、４５〜４８は基準面Ｓ３に対し第１の端面Ｌ１４ｃ側に、第７及び第８の内部電極５１、５２、５５〜５８は基準面Ｓ３に対し第２の端面Ｌ１４ｄ側にそれぞれ配置されている。
【０５３７】
第１の内部電極２１〜２４は、主電極部２１ａ〜２４ａの第２の端面Ｌ１４ｄ側の辺が基準面Ｓ１に接するように配置されている。第２の内部電極２５、２６は、主電極部２５ａ、２６ａの第２の端面Ｌ１４ｄ側の辺が基準面Ｓ１から第１の端面Ｌ１４ｃ側に所定距離Ｄ１離れるように配置されている。
【０５３８】
第３の内部電極３１〜３４の主電極部３１ａ〜３４ａの第１の端面Ｌ１４ｃ側の辺が基準面Ｓ１にそれぞれ接する。第３の内部電極３１〜３４の主電極部３１ａ〜３４ａの第２の端面Ｌ１４ｄ側の辺が基準面Ｓ２にそれぞれ接する。
【０５３９】
第４の内部電極３５、３６は、主電極部３５ａ、３６ａの第１の端面Ｌ１４ｃ側の辺が基準面Ｓ１から第２の端面Ｌ１４ｄ側に所定距離Ｄ２離れるように配置されている。第４の内部電極３５、３６は、主電極部３５ａ、３６ａの第２の端面Ｌ１４ｄ側の辺が基準面Ｓ２から第１の端面Ｌ１４ｃ側に所定距離Ｄ３離れるように配置されている。
【０５４０】
第５の内部電極４１、４２の主電極部４１ａ、４２ａの第１の端面Ｌ１４ｃ側の辺が基準面Ｓ２にそれぞれ接する。第５の内部電極４１、４２の主電極部４１ａ、４２ａの第２の端面Ｌ１４ｄ側の辺が基準面Ｓ３にそれぞれ接する。
【０５４１】
第６の内部電極４５〜４８は、主電極部４５ａ〜４８ａの第１の端面Ｌ１４ｃ側の辺が基準面Ｓ２から第２の端面Ｌ１４ｄ側に所定距離Ｄ４離れるように配置されている。第６の内部電極４５〜４８は、主電極部４５ａ〜４８ａの第２の端面Ｌ１４ｄ側の辺が基準面Ｓ３から第１の端面Ｌ１４ｃ側に所定距離Ｄ５離れるように配置されている。
【０５４２】
第７の内部電極５１、５２は、主電極部５１ａ、５２ａの第１の端面Ｌ１４ｃ側の辺が基準面Ｓ３に接するように配置されている。第８の内部電極５５〜５８は、主電極部５５ａ〜５８ａの第１の端面Ｌ１４ｃ側の辺が基準面Ｓ３から第２の端面Ｌ１４ｄ側に所定距離Ｄ６離れるように配置されている。
【０５４３】
積層コンデンサアレイＣＡ１４では、第１及び第２の内部電極２１〜２４、２５、２６が誘電体層を間に挟んで対向する内部電極を有し、これらの互いに対向する第１及び第２の内部電極が積層コンデンサアレイＣＡ１４に含まれるコンデンサの１つを形成する。
【０５４４】
積層コンデンサアレイＣＡ１４では、第３及び第４の内部電極３１〜３４、３５、３６が誘電体層を間に挟んで対向する内部電極を有し、これらの互いに対向する第３及び第４の内部電極が積層コンデンサアレイＣＡ１４に含まれるコンデンサの１つを形成する。
【０５４５】
積層コンデンサアレイＣＡ１４では、第５及び第６の内部電極４１、４２、４５〜４８が誘電体層を間に挟んで対向する内部電極を有し、これらの互いに対向する第５及び第６の内部電極が積層コンデンサアレイＣＡ１４に含まれるコンデンサの１つを形成する。
【０５４６】
積層コンデンサアレイＣＡ１４では、第７及び第８の内部電極５１〜５４、５５〜５８が誘電体層を間に挟んで対向する内部電極を有し、これらの互いに対向する第７及び第８の内部電極が積層コンデンサアレイＣＡ１４に含まれるコンデンサの１つを形成する。
【０５４７】
上述したように、積層コンデンサアレイＣＡ１４では、第１及び第２の内部電極２１〜２４、２５、２６によって形成されるコンデンサ、並びに第３及び第４の内部電極３１〜３４、３５、３６によって形成されるコンデンサに電圧が印加され、それぞれのコンデンサに電歪が生じた場合であっても、第１及び第３の内部電極２１〜２４、３１〜３４が基準面Ｓ１と接するように配置されているため、コンデンサの間の基準面Ｓ１付近にも電歪が発生する。これにより、基準面Ｓ１付近に応力が集中することが抑制される。
【０５４８】
また、積層コンデンサアレイＣＡ１４では、第３及び第４の内部電極３１〜３４、３５、３６、並びに第５及び第６の内部電極４１、４２、４５〜４８によって形成されるコンデンサに電圧が印加され、それぞれのコンデンサに電歪が生じた場合であっても、第３及び第５の内部電極３１〜３４、４１、４２が基準面Ｓ２と接するように配置されているため、コンデンサの間の基準面Ｓ２付近にも電歪が発生する。これにより、基準面Ｓ２付近に応力が集中することが抑制される。
【０５４９】
また、積層コンデンサアレイＣＡ１４では、第５及び第６の内部電極４１、４２、４５〜４８、並びに第７及び第８の内部電極５１、５２、５５〜５８によって形成されるコンデンサに電圧が印加され、それぞれのコンデンサに電歪が生じた場合であっても、第５及び第７の内部電極４１、４２、５１、５２が基準面Ｓ３と接するように配置されているため、コンデンサの間の基準面Ｓ３付近にも電歪が発生する。これにより、基準面Ｓ３付近に応力が集中することが抑制される。
【０５５０】
応力の集中を抑制することにより、積層コンデンサアレイＣＡ１４ではクラックの発生を抑制することも可能となる。
【０５５１】
第１の内部電極２１〜２４が基準面Ｓ１に接するのに対し、第２の内部電極２５、２６は基準面Ｓ１から所定距離Ｄ１離れて位置する。第３の内部電極３１〜３４が基準面Ｓ１に接するのに対し、第４の内部電極３５、３６は基準面Ｓ１から所定距離Ｄ２離れて位置する。そのため、基準面Ｓ１付近において過度に電歪による歪みを生じることが抑制される。
【０５５２】
第３の内部電極３１〜３４が基準面Ｓ２に接するのに対し、第４の内部電極３５、３６は基準面Ｓ２から所定距離Ｄ３離れて位置する。第５の内部電極４１、４２が基準面Ｓ２に接するのに対し、第６の内部電極４５〜４８は基準面Ｓ２から所定距離Ｄ４離れて位置する。そのため、基準面Ｓ２付近において過度に電歪による歪みを生じることが抑制される。
【０５５３】
第５の内部電極４１、４２が基準面Ｓ３に接するのに対し、第６の内部電極４５〜４８は基準面Ｓ３から所定距離Ｄ５離れて位置する。第７の内部電極５１、５２が基準面Ｓ３に接するのに対し、第８の内部電極５５〜５８は基準面Ｓ３から所定距離Ｄ６離れて位置する。そのため、基準面Ｓ３付近において過度に電歪による歪みを生じることが抑制される。
【０５５４】
第３の内部電極３１、３３、第５の内部電極４５、４７、及び第７の内部電極５１、５２は何れも、第１及び第２の主面Ｌ１４ａ、Ｌ１４ｂの対向方向において第１及び第２の内部電極２１〜２４、２５、２６の何れとも異なる位置に配置されている。そのため、積層コンデンサアレイＣＡ１４では、第１の内部電極２１、２２の間に２層の誘電体層１１、１２を、第１の内部電極２３、２４の間に２層の誘電体層１５、１６、をそれぞれ配置することができる。その結果、電歪緩和層を大きく有することができ、積層コンデンサアレイＣＡ１４では電歪によって発生する振動を抑制することが可能となる。
【０５５５】
第１の内部電極２２、２４、第４の内部電極４１、４２、及び第８の内部電極５５、５８は何れも、第１及び第２の主面Ｌ１４ａ、Ｌ１４ｂの対向方向において第３及び第４の内部電極３１〜３４、３５、３６の何れとも異なる位置に配置されている。そのため、積層コンデンサアレイＣＡ１４では、第３の内部電極３１、３２の間に２層の誘電体層１２、１３を、第３の内部電極３３、３４の間に２層の誘電体層１６、１７を、それぞれ配置することができる。その結果、電歪緩和層を大きく有することができ、積層コンデンサアレイＣＡ１４では電歪によって発生する振動を抑制することが可能となる。
【０５５６】
第１の内部電極２１、２３、第４の内部電極３５、３６、及び第８の内部電極５５、５７は何れも、第１及び第２の主面Ｌ１４ａ、Ｌ１４ｂの対向方向において第５及び第６の内部電極４１、４２、４５〜４８の何れとも異なる位置に配置されている。そのため、積層コンデンサアレイＣＡ１４では、第１の主面Ｌ１４ａと第６の内部電極４５との間に２層の誘電体層１０、１１を、第６の内部電極４６、４７の間に２層の誘電体層１４、１５を、それぞれ配置することができる。その結果、電歪緩和層を大きく有することができ、積層コンデンサアレイＣＡ１４では電歪によって発生する振動を抑制することが可能となる。
【０５５７】
第２の内部電極２５、２６、第３の内部電極３２、３４、及び第６の内部電極４６、４８は何れも、第１及び第２の主面Ｌ１４ａ、Ｌ１４ｂの対向方向において第７及び第８の内部電極５１、５２、５５〜５８の何れとも異なる位置に配置されている。そのため、積層コンデンサアレイＣＡ１４では、第８の内部電極５６、５７の間に２層の誘電体層１３、１４を、第８の内部電極５８と第２の主面Ｌ１４ｂとの間に２層の誘電体層１７、１８を、それぞれ配置することができる。その結果、電歪緩和層を大きく有することができ、積層コンデンサアレイＣＡ１４では電歪によって発生する振動を抑制することが可能とな
（第１５実施形態）
【０５５８】
図４３〜図４５を参照して、第１５実施形態に係る積層コンデンサアレイＣＡ１５の構成について説明する。第１５実施形態に係る積層コンデンサアレイＣＡ１５は、第１〜第８の端子電極１〜８及び第１〜第８の内部電極の配置の点で第１０実施形態に係る積層コンデンサアレイＣＡ１０とは異なる。図４３は、第１５実施形態に係る積層コンデンサアレイの斜視図である。図４４は、第１５実施形態に係る積層コンデンサアレイに含まれるコンデンサ素体の分解斜視図である。図４５は、図４３に示した積層コンデンサアレイのXLV−XLV矢印断面の構成を説明するための図である。
【０５５９】
第１５実施形態に係る積層コンデンサアレイＣＡ１５は、図４３に示されるように、コンデンサ素体Ｌ１５と、コンデンサ素体Ｌ１５の外表面に配置された第１〜第８の端子電極１〜８とを備える。
【０５６０】
コンデンサ素体Ｌ１５は、図４３に示されるように、直方体状であり、互いに対向する長方形状の第１及び第２の主面Ｌ１５ａ、Ｌ１５ｂと、第１及び第２の主面Ｌ１５ａ、Ｌ１５ｂ間を連結するように第1及び第２の主面の短辺方向に伸び且つ互いに対向する第１及び第２の端面Ｌ１５ｃ、Ｌ１５ｄと、第1及び第２の主面Ｌ１５ａ、Ｌ１５ｂ間を連結するように第1及び第２の主面Ｌ１５ａ、Ｌ１５ｂの長辺方向に伸び且つ互いに対向する第１及び第２の側面Ｌ１５ｅ、Ｌ１５ｆと、を有する。
【０５６１】
第１、第４、第５、及び第８の端子電極１、４、５、８は、コンデンサ素体Ｌ１５の第１の側面Ｌ１５ｅに、この順で第１の端面Ｌ１５ｃ側から第２の端面Ｌ１５ｄ側に向かって配置されている。第２、第３、第６、及び第７の端子電極３、４、６、７は、コンデンサ素体Ｌ１５の第２の側面Ｌ１５ｆに、この順で第１の端面Ｌ１５ｃ側から第２の端面Ｌ１５ｄ側に向かって配置されている。第１及び第２の端子電極１、２、第３及び第４の端子電極３、４、第５及び第６の端子電極５、６は、並びに第７及び第８の端子電極７、８はそれぞれ、第１及び第２の側面Ｌ１５ｅ、Ｌ１５ｆの対向方向で対向する。
【０５６２】
コンデンサ素体Ｌ１５は、図４４に示されるように、積層された複数（本実施形態では、８層）の誘電体層１０〜１８を有する。
【０５６３】
図４４に示されているように、コンデンサ素体Ｌ１５には、第１〜第４の電極群２０、３０、４０、５０が含まれている。第１の電極群２０は、複数（本実施形態では４層）の第１の内部電極２１〜２４及び複数（本実施形態では２層）の第２の内部電極２５、２６を有する。第２の電極群３０は、複数（本実施形態では４層）の第３の内部電極３１〜３４及び複数（本実施形態では２層）の第４の内部電極３５、３６を有する。第３の電極群４０は、複数（本実施形態では２層）の第５の内部電極４１、４２及び複数（本実施形態では４層）の第６の内部電極４５〜４８を有する。第４の電極群５０は、複数（本実施形態では２層）の第７の内部電極５１、５２及び複数（本実施形態では４層）の第８の内部電極５５〜５８を有する。
【０５６４】
第１〜第４の電極群２０、３０、４０、５０は、コンデンサ素体Ｌ１５内において第１及び第２の端面Ｌ１５ｃ、Ｌ１５ｄの対向方向に沿って併置されている。具体的には、第１、第２、第３、及び第４の電極群２０、３０、４０、５０は、第１の端面Ｌ１５ｃ側から第２の端面Ｌ１５ｄ側に向かってこの順で併置されている。
【０５６５】
第１の電極群２０に含まれる第１及び第２の内部電極２１〜２４、２５、２６は、第１の主面Ｌ１５ａから第２の主面Ｌ１５ｂに向かって、第２の内部電極２５、第１の内部電極２１、第１の内部電極２２、第２の内部電極２６、第１の内部電極２３、第１の内部電極２４の順で配置されている。第２の電極群３０に含まれる第３及び第４の内部電極３１〜３４、３５、３６は、第１の主面Ｌ１５ａから第２の主面Ｌ１５ｂに向かって、第３の内部電極３１、第３の内部電極３２、第４の内部電極３５、第３の内部電極３３、第３の内部電極３４、第４の内部電極３６の順で配置されている。第３の電極群４０に含まれる第５及び第６の内部電極４１、４２、４５〜４８は、第１の主面Ｌ１５ａから第２の主面Ｌ１５ｂに向かって、第６の内部電極４５、第５の内部電極４１、第６の内部電極４６、第６の内部電極４７、第５の内部電極４２、第６の内部電極４８の順で配置されている。第４の電極群５０に含まれる第７及び第８の内部電極５１、５２、５５〜５８は、第１の主面Ｌ１５ａから第２の主面Ｌ１５ｂに向かって、第８の内部電極５５、第７の内部電極５１、第８の内部電極５６、第８の内部電極５７、第７の内部電極５２、第８の内部電極５８の順で配置されている。
【０５６６】
コンデンサ素体Ｌ１５内において、第１の内部電極２１、２３は何れも、第１及び第２の主面Ｌ１５ａ、Ｌ１５ｂの対向方向において第３及び第４の内部電極３１〜３４、３５、３６の何れとも異なる位置に配置されている。コンデンサ素体Ｌ１５内において、第１の内部電極２２、２４は何れも、第１及び第２の主面Ｌ１５ａ、Ｌ１５ｂの対向方向において第５及び第６の内部電極４１、４２、４５〜４８の何れとも異なる位置に配置されている。コンデンサ素体Ｌ１５内において、第２の内部電極２５、２６は何れも、第１及び第２の主面Ｌ１５ａ、Ｌ１５ｂの対向方向において第７及び第８の内部電極５１、５２、５５〜５８の何れとも異なる位置に配置されている。
【０５６７】
コンデンサ素体Ｌ１５内において、第３の内部電極３２、３４は何れも、第１及び第２の主面Ｌ１５ａ、Ｌ１５ｂの対向方向において第１及び第２の内部電極２１〜２４、２５、２６の何れとも異なる位置に配置されている。コンデンサ素体Ｌ１５内において、第４の内部電極３５、３６は何れも、第１及び第２の主面Ｌ１５ａ、Ｌ１５ｂの対向方向において第５及び第６の内部電極４１、４２、４５〜４８の何れとも異なる位置に配置されている。コンデンサ素体Ｌ１５内において、第３の内部電極３１、３３は何れも、第１及び第２の主面Ｌ１５ａ、Ｌ１５ｂの対向方向において第７及び第８の内部電極５１、５２、５５〜５８の何れとも異なる位置に配置されている。
【０５６８】
コンデンサ素体Ｌ１５内において、第６の内部電極４６、４８は何れも、第１及び第２の主面Ｌ１５ａ、Ｌ１５ｂの対向方向において第１及び第２の内部電極２１〜２４、２５、２６の何れとも異なる位置に配置されている。コンデンサ素体Ｌ１５内において、第５の内部電極４１、４２は何れも、第１及び第２の主面Ｌ１５ａ、Ｌ１５ｂの対向方向において第３及び第４の内部電極３１〜３４、３５、３６の何れとも異なる位置に配置されている。コンデンサ素体Ｌ１５内において、第６の内部電極４５、４７は何れも、第１及び第２の主面Ｌ１５ａ、Ｌ１５ｂの対向方向において第７及び第８の内部電極５１、５２、５５〜５８の何れとも異なる位置に配置されている。
【０５６９】
コンデンサ素体Ｌ１５内において、第７の内部電極５１、５２は何れも、第１及び第２の主面Ｌ１５ａ、Ｌ１５ｂの対向方向において第１及び第２の内部電極２１〜２４、２５、２６の何れとも異なる位置に配置されている。コンデンサ素体Ｌ１５内において、第８の内部電極５５、５７は何れも、第１及び第２の主面Ｌ１５ａ、Ｌ１５ｂの対向方向において第３及び第４の内部電極３１〜３４、３５、３６の何れとも異なる位置に配置されている。コンデンサ素体Ｌ１５内において、第８の内部電極５６、５８は何れも、第１及び第２の主面Ｌ１５ａ、Ｌ１５ｂの対向方向において第５及び第６の内部電極４１、４２、４５〜４８の何れとも異なる位置に配置されている。
【０５７０】
コンデンサ素体Ｌ１５内において、第２の内部電極２５と第３の内部電極３１と第６の内部電極４５とが、第１の内部電極２１と第５の内部電極４１と第８の内部電極５５とが、第３の内部電極３２と第６の内部電極４６と第７の内部電極５１とが、第１の内部電極２２と第４の内部電極３５と第８の内部電極５６とが、第２の内部電極２６と第３の内部電極３３と第６の内部電極４７とが、第１の内部電極２３と第５の内部電極４２と第８の内部電極５７とが、第３の内部電極３４と第６の内部電極４８と第７の内部電極５２とが、第１の内部電極２４と第４の内部電極３６と第８の内部電極５８とが、それぞれ第１及び第２の主面Ｌ１５ａ、Ｌ１５ｂの対向方向において同層に配置されている。
【０５７１】
第１及び第２の内部電極２１、２５は誘電体層１１を間に挟んで、第１及び第２の内部電極２２、２６は誘電体層１４を間に挟んで、第１及び第２の内部電極２３、２６は誘電体層１５を間に挟んで、それぞれ第１及び第２の主面Ｌ１５ａ、Ｌ１５ｂの対向方向に沿って互いに対向している。
【０５７２】
第１の内部電極２１、２２は、第１及び第２の主面Ｌ１５ａ、Ｌ１５ｂの対向方向で見て、誘電体層１２、１３を介して隣り合って配置されている。第１の内部電極２３、２４は、第１及び第２の主面Ｌ１５ａ、Ｌ１５ｂの対向方向で見て、誘電体層１６、１７を介して隣り合って配置されている。
【０５７３】
第３及び第４の内部電極３２、３５は誘電体層１３を間に挟んで、第３及び第４の内部電極３３、３５は誘電体層１４を間に挟んで、第３及び第４の内部電極３４、３６は誘電体層１７を間に挟んで、それぞれ第１及び第２の主面Ｌ１５ａ、Ｌ１５ｂの対向方向に沿って互いに対向している。
【０５７４】
第３の内部電極３１、３２は、第１及び第２の主面Ｌ１５ａ、Ｌ１５ｂの対向方向で見て、誘電体層１１、１２を介して隣り合って配置されている。第１の内部電極３３、３４は、第１及び第２の主面Ｌ１５ａ、Ｌ１５ｂの対向方向で見て、誘電体層１５、１６を介して隣り合って配置されている。
【０５７５】
第５及び第６の内部電極４１、４５は誘電体層１１を間に挟んで、第５及び第６の内部電極４１、４６は誘電体層１２を間に挟んで、第５及び第６の内部電極４２、４７は誘電体層１５を間に挟んで、第５及び第６の内部電極４２、４８は誘電体層１６を間に挟んで、それぞれ第１及び第２の主面Ｌ１５ａ、Ｌ１５ｂの対向方向に沿って互いに対向している。
【０５７６】
第６の内部電極４６、４７は、第１及び第２の主面Ｌ１５ａ、Ｌ１５ｂの対向方向で見て、誘電体層１３、１４を介して隣り合って配置されている。第６の内部電極４８と第２の主面Ｌ１５ｂとは、第１及び第２の主面Ｌ１５ａ、Ｌ１５ｂの対向方向で見て、誘電体層１７、１８を介して隣り合って配置されている。
【０５７７】
第７及び第８の内部電極５１、５５は誘電体層１２を間に挟んで、第７及び第８の内部電極５１、５６は誘電体層１３を間に挟んで、第７及び第８の内部電極５２、５７は誘電体層１６を間に挟んで、第７及び第８の内部電極５２、５８は誘電体層１７を間に挟んで、それぞれ第１及び第２の主面Ｌ１５ａ、Ｌ１５ｂの対向方向に沿って互いに対向している。
【０５７８】
第１の主面Ｌ１５ａと第６の内部電極５５とは、第１及び第２の主面Ｌ１５ａ、Ｌ１５ｂの対向方向で見て、誘電体層１０、１１を介して隣り合って配置されている。第６の内部電極５６、５７は、第１及び第２の主面Ｌ１５ａ、Ｌ１５ｂの対向方向で見て、誘電体層１４、１５を介して隣り合って配置されている。
【０５７９】
第１の内部電極２１〜２４は、主電極部２１ａ〜２４ａと、主電極部２１ａ〜２４ａから第１の側面Ｌ１５ｅに露出するように伸びる引き出し部２１ｂ〜２４ｂとを含んでいる。引き出し部２１ｂ〜２４ｂは、第１の端子電極１に物理的に接続される。
【０５８０】
第２の内部電極２５、２６は、主電極部２５ａ、２６ａと、主電極部２５ａ、２６ａから第２の側面Ｌ１５ｆに露出するように伸びる引き出し部２５ｂ、２６ｂとを含んでいる。引き出し部２５ｂ、２６ｂは、第２の端子電極２に物理的に接続される。
【０５８１】
第３の内部電極３１〜３４は、主電極部３１ａ〜３４ａと、主電極部３１ａ〜３４ａから第２の側面Ｌ１５ｆに露出するように伸びる引き出し部３１ｂ〜３４ｂとを含んでいる。引き出し部３１ｂ〜３４ｂは、第３の端子電極３に物理的に接続される。
【０５８２】
第４の内部電極３５、３６は、主電極部３５ａ、３６ａと、主電極部３５ａ、３６ａから第１の側面Ｌ１５ｅに露出するように伸びる引き出し部３５ｂ、３６ｂとを含んでいる。引き出し部３５ｂ、３６ｂは、第４の端子電極４に物理的に接続される。
【０５８３】
第５の内部電極４１、４２は、主電極部４１ａ、４２ａと、主電極部４１ａ、４２ａから第１の側面Ｌ１５ｅに露出するように伸びる引き出し部４１ｂ、４２ｂとを含んでいる。引き出し部４１ｂ〜４４ｂは、第５の端子電極５に物理的に接続される。
【０５８４】
第６の内部電極４５〜４８は、主電極部４５ａ〜４８ａと、主電極部４５ａ〜４８ａから第２の側面Ｌ１５ｆに露出するように伸びる引き出し部４５ｂ〜４８ｂとを含んでいる。引き出し部４５ｂ〜４８ｂは、第６の端子電極６に物理的に接続される。
【０５８５】
第７の内部電極５１、５２は、主電極部５１ａ、５２ａと、主電極部５１ａ、５２ａから第２の側面Ｌ１５ｆに露出するように伸びる引き出し部５１ｂ、５２ｂとを含んでいる。引き出し部５１ｂ、５２ｂは、第７の端子電極７に物理的に接続される。
【０５８６】
第８の内部電極５５〜５８は、主電極部５５ａ〜５８ａと、主電極部５５ａ〜５８ａから第１の側面Ｌ１５ｅに露出するように伸びる引き出し部５５ｂ〜５８ｂとを含んでいる。引き出し部５５ｂ〜５８ｂは、第８の端子電極８に物理的に接続される。
【０５８７】
図４４及び図４５に示されているように、仮想的な基準面Ｓ１として、第１及び第２の主面Ｌ１５ａ、Ｌ１５ｂの対向方向に平行な仮想面を考える。第１及び第２の電極群２０、３０は、基準面Ｓ１に直交する方向である第１及び第２の主面Ｌ１５ａ、Ｌ１５ｂの対向方向と直交する方向に沿って併置されている。すなわち、コンデンサ素体Ｌ１５内において、第１及び第２の内部電極２１〜２４、２５、２６は基準面Ｓ１に対し第１の端面Ｌ１５ｃ側に、第３及び第４の内部電極３１〜３４、３５、３６は基準面Ｓ１に対し第２の端面Ｌ１５ｄ側にそれぞれ配置されている。
【０５８８】
さらに仮想的な基準面Ｓ２として、第１及び第２の主面Ｌ１５ａ、Ｌ１５ｂの対向方向に平行な仮想面を考える。第２及び第３の電極群３０、４０は、基準面Ｓ２に直交する方向である第１及び第２の主面Ｌ１５ａ、Ｌ１５ｂの対向方向と直交する方向に沿って併置されている。すなわち、コンデンサ素体Ｌ１５内において、第３及び第４の内部電極３１〜３４、３５、３６は基準面Ｓ２に対し第１の端面Ｌ１５ｃ側に、第５及び第６の内部電極４１、４２、４５〜４８は基準面Ｓ２に対し第２の端面Ｌ１５ｄ側にそれぞれ配置されている。
【０５８９】
さらに仮想的な基準面Ｓ３として、第１及び第２の主面Ｌ１５ａ、Ｌ１５ｂの対向方向に平行な仮想面を考える。第３及び第４の電極群４０、５０は、基準面Ｓ３に直交する方向である第１及び第２の主面Ｌ１５ａ、Ｌ１５ｂの対向方向と直交する方向に沿って併置されている。すなわち、コンデンサ素体Ｌ１５内において、第５及び第６の内部電極４１、４２、４５〜４８は基準面Ｓ３に対し第１の端面Ｌ１５ｃ側に、第７及び第８の内部電極５１、５２、５５〜５８は基準面Ｓ３に対し第２の端面Ｌ１５ｄ側にそれぞれ配置されている。
【０５９０】
第１の内部電極２１〜２４は、主電極部２１ａ〜２４ａの第２の端面Ｌ１５ｄ側の辺が基準面Ｓ１に接するように配置されている。第２の内部電極２５、２６は、主電極部２５ａ、２６ａの第２の端面Ｌ１５ｄ側の辺が基準面Ｓ１から第１の端面Ｌ１５ｃ側に所定距離Ｄ１離れるように配置されている。
【０５９１】
第３の内部電極３１〜３４の主電極部３１ａ〜３４ａの第１の端面Ｌ１５ｃ側の辺が基準面Ｓ１にそれぞれ接する。第３の内部電極３１〜３４の主電極部３１ａ〜３４ａの第２の端面Ｌ１５ｄ側の辺が基準面Ｓ２にそれぞれ接する。
【０５９２】
第４の内部電極３５、３６は、主電極部３５ａ、３６ａの第１の端面Ｌ１５ｃ側の辺が基準面Ｓ１から第２の端面Ｌ１５ｄ側に所定距離Ｄ２離れるように配置されている。第４の内部電極３５、３６は、主電極部３５ａ、３６ａの第２の端面Ｌ１５ｄ側の辺が基準面Ｓ２から第１の端面Ｌ１５ｃ側に所定距離Ｄ３離れるように配置されている。
【０５９３】
第５の内部電極４１、４２の主電極部４１ａ、４２ａの第１の端面Ｌ１５ｃ側の辺が基準面Ｓ２にそれぞれ接する。第５の内部電極４１、４２の主電極部４１ａ、４２ａの第２の端面Ｌ１５ｄ側の辺が基準面Ｓ３にそれぞれ接する。
【０５９４】
第６の内部電極４５〜４８は、主電極部４５ａ〜４８ａの第１の端面Ｌ１５ｃ側の辺が基準面Ｓ２から第２の端面Ｌ１５ｄ側に所定距離Ｄ４離れるように配置されている。第６の内部電極４５〜４８は、主電極部４５ａ〜４８ａの第２の端面Ｌ１５ｄ側の辺が基準面Ｓ３から第１の端面Ｌ１５ｃ側に所定距離Ｄ５離れるように配置されている。
【０５９５】
第７の内部電極５１、５２は、主電極部５１ａ、５２ａの第１の端面Ｌ１５ｃ側の辺が基準面Ｓ３に接するように配置されている。第８の内部電極５５〜５８は、主電極部５５ａ〜５８ａの第１の端面Ｌ１５ｃ側の辺が基準面Ｓ３から第２の端面Ｌ１５ｄ側に所定距離Ｄ６離れるように配置されている。
【０５９６】
積層コンデンサアレイＣＡ１５では、第１及び第２の内部電極２１〜２４、２５、２６が誘電体層を間に挟んで対向する内部電極を有し、これらの互いに対向する第１及び第２の内部電極が積層コンデンサアレイＣＡ１５に含まれるコンデンサの１つを形成する。
【０５９７】
積層コンデンサアレイＣＡ１５では、第３及び第４の内部電極３１〜３４、３５、３６が誘電体層を間に挟んで対向する内部電極を有し、これらの互いに対向する第３及び第４の内部電極が積層コンデンサアレイＣＡ１５に含まれるコンデンサの１つを形成する。
【０５９８】
積層コンデンサアレイＣＡ１５では、第５及び第６の内部電極４１、４２、４５〜４８が誘電体層を間に挟んで対向する内部電極を有し、これらの互いに対向する第５及び第６の内部電極が積層コンデンサアレイＣＡ１５に含まれるコンデンサの１つを形成する。
【０５９９】
積層コンデンサアレイＣＡ１５では、第７及び第８の内部電極５１〜５４、５５〜５８が誘電体層を間に挟んで対向する内部電極を有し、これらの互いに対向する第７及び第８の内部電極が積層コンデンサアレイＣＡ１５に含まれるコンデンサの１つを形成する。
【０６００】
上述したように、積層コンデンサアレイＣＡ１５では、第１及び第２の内部電極２１〜２４、２５、２６によって形成されるコンデンサ、並びに第３及び第４の内部電極３１〜３４、３５、３６によって形成されるコンデンサに電圧が印加され、それぞれのコンデンサに電歪が生じた場合であっても、第１及び第３の内部電極２１〜２４、３１〜３４が基準面Ｓ１と接するように配置されているため、コンデンサの間の基準面Ｓ１付近にも電歪が発生する。これにより、基準面Ｓ１付近に応力が集中することが抑制される。
【０６０１】
また、積層コンデンサアレイＣＡ１５では、第３及び第４の内部電極３１〜３４、３５、３６、並びに第５及び第６の内部電極４１、４２、４５〜４８によって形成されるコンデンサに電圧が印加され、それぞれのコンデンサに電歪が生じた場合であっても、第３及び第５の内部電極３１〜３４、４１、４２が基準面Ｓ２と接するように配置されているため、コンデンサの間の基準面Ｓ２付近にも電歪が発生する。これにより、基準面Ｓ２付近に応力が集中することが抑制される。
【０６０２】
また、積層コンデンサアレイＣＡ１５では、第５及び第６の内部電極４１、４２、４５〜４８、並びに第７及び第８の内部電極５１、５２、５５〜５８によって形成されるコンデンサに電圧が印加され、それぞれのコンデンサに電歪が生じた場合であっても、第５及び第７の内部電極４１、４２、５１、５２が基準面Ｓ３と接するように配置されているため、コンデンサの間の基準面Ｓ３付近にも電歪が発生する。これにより、基準面Ｓ３付近に応力が集中することが抑制される。
【０６０３】
応力の集中を抑制することにより、積層コンデンサアレイＣＡ１５ではクラックの発生を抑制することも可能となる。
【０６０４】
第１の内部電極２１〜２４が基準面Ｓ１に接するのに対し、第２の内部電極２５、２６は基準面Ｓ１から所定距離Ｄ１離れて位置する。第３の内部電極３１〜３４が基準面Ｓ１に接するのに対し、第４の内部電極３５、３６は基準面Ｓ１から所定距離Ｄ２離れて位置する。そのため、基準面Ｓ１付近において過度に電歪による歪みを生じることが抑制される。
【０６０５】
第３の内部電極３１〜３４が基準面Ｓ２に接するのに対し、第４の内部電極３５、３６は基準面Ｓ２から所定距離Ｄ３離れて位置する。第５の内部電極４１、４２が基準面Ｓ２に接するのに対し、第６の内部電極４５〜４８は基準面Ｓ２から所定距離Ｄ４離れて位置する。そのため、基準面Ｓ２付近において過度に電歪による歪みを生じることが抑制される。
【０６０６】
第５の内部電極４１、４２が基準面Ｓ３に接するのに対し、第６の内部電極４５〜４８は基準面Ｓ３から所定距離Ｄ５離れて位置する。第７の内部電極５１、５２が基準面Ｓ３に接するのに対し、第８の内部電極５５〜５８は基準面Ｓ３から所定距離Ｄ６離れて位置する。そのため、基準面Ｓ３付近において過度に電歪による歪みを生じることが抑制される。
【０６０７】
第３の内部電極３２、３４、第５の内部電極４６、４８、及び第７の内部電極５１、５２は何れも、第１及び第２の主面Ｌ１５ａ、Ｌ１５ｂの対向方向において第１及び第２の内部電極２１〜２４、２５、２６の何れとも異なる位置に配置されている。そのため、積層コンデンサアレイＣＡ１５では、第１の内部電極２１、２２の間に２層の誘電体層１２、１３を、第１の内部電極２３、２４の間に２層の誘電体層１６、１７を、それぞれ配置することができる。その結果、電歪緩和層を大きく有することができ、積層コンデンサアレイＣＡ１５では電歪によって発生する振動を抑制することが可能となる。
【０６０８】
第１の内部電極２１、２３、第４の内部電極４１、４２、及び第８の内部電極５５、５７は何れも、第１及び第２の主面Ｌ１５ａ、Ｌ１５ｂの対向方向において第３及び第４の内部電極３１〜３４、３５、３６の何れとも異なる位置に配置されている。そのため、積層コンデンサアレイＣＡ１５では、第３の内部電極３１、３２の間に２層の誘電体層１１、１２を、第３の内部電極３３、３４の間に２層の誘電体層１５、１６を、それぞれ配置することができる。その結果、電歪緩和層を大きく有することができ、積層コンデンサアレイＣＡ１５では電歪によって発生する振動を抑制することが可能となる。
【０６０９】
第１の内部電極２２、２４、第４の内部電極３５、３６、及び第８の内部電極５６、５８は何れも、第１及び第２の主面Ｌ１５ａ、Ｌ１５ｂの対向方向において第５及び第６の内部電極４１、４２、４５〜４８の何れとも異なる位置に配置されている。そのため、積層コンデンサアレイＣＡ１５では、第６の内部電極４６、４７の間に２層の誘電体層１３、１４を、第６の内部電極４８と第２の主面Ｌ１５ｂとの間に２層の誘電体層１７、１８を、それぞれ配置することができる。その結果、電歪緩和層を大きく有することができ、積層コンデンサアレイＣＡ１５では電歪によって発生する振動を抑制することが可能となる。
【０６１０】
第２の内部電極２５、２６、第３の内部電極３１、３３、及び第６の内部電極４５、４７は何れも、第１及び第２の主面Ｌ１５ａ、Ｌ１５ｂの対向方向において第７及び第８の内部電極５１、５２、５５〜５８の何れとも異なる位置に配置されている。そのため、積層コンデンサアレイＣＡ１５では、第１の主面Ｌ１５ａと第８の内部電極５５との間に２層の誘電体層１０、１１を、第８の内部電極５６、５７の間に２層の誘電体層１４、１５を、それぞれ配置することができる。その結果、電歪緩和層を大きく有することができ、積層コンデンサアレイＣＡ１５では電歪によって発生する振動を抑制することが可能とな
【０６１１】
以上、本発明の好適な実施形態について詳細に説明したが、本発明は上記実施形態に限定されるものではない。例えば、積層コンデンサアレイに含まれるコンデンサの数は、上述した実施形態に記載された数に限られず、例えば５つ以上であってもよい。また、端子電極１〜８の数も、上述した実施形態に記載された数に限られない。
【０６１２】
また、誘電体層１０〜１８の積層数及び第１〜第８の内部電極２１〜２４、２５〜２８、３１〜３４、３５〜３８、４１〜４４、４５〜４８、５１〜５４、５５〜５８それぞれの積層数は、上述した実施形態に記載された数に限られない。したがって、例えば、第１〜第４の内部電極をそれぞれ１層以上含んでいればよい。また、積層コンデンサアレイに含まれるコンデンサごとに内部電極の積層数が異なっていてもよい。
【０６１３】
また、第１〜第８の内部電極２１〜２４、２５〜２８、３１〜３４、３５〜３８、４１〜４４、４５〜４８、５１〜５４、５５〜５８の形状は、上記実施形態に記載された形状に限られない。
【図面の簡単な説明】
【０６１４】
【図１】第１実施形態に係る積層コンデンサアレイの斜視図である。
【図２】第１実施形態に係る積層コンデンサアレイに含まれるコンデンサ素体の分解斜視図である。
【図３】図１に示した積層コンデンサアレイのIII−III矢印断面の構成を説明するための図である。
【図４】第２実施形態に係る積層コンデンサアレイの斜視図である。
【図５】第２実施形態に係る積層コンデンサアレイに含まれるコンデンサ素体の分解斜視図である。
【図６】図４に示した積層コンデンサアレイのVI−VI矢印断面の構成を説明するための図である。
【図７】第３実施形態に係る積層コンデンサアレイの斜視図である。
【図８】第３実施形態に係る積層コンデンサアレイに含まれるコンデンサ素体の分解斜視図である。
【図９】図７に示した積層コンデンサアレイのIX−IX矢印断面の構成を説明するための図である。
【図１０】第４実施形態に係る積層コンデンサアレイの斜視図である。
【図１１】第４実施形態に係る積層コンデンサアレイに含まれるコンデンサ素体の分解斜視図である。
【図１２】図１０に示した積層コンデンサアレイのXII−XII矢印断面の構成を説明するための図である。
【図１３】第５実施形態に係る積層コンデンサアレイの斜視図である。
【図１４】第５実施形態に係る積層コンデンサアレイに含まれるコンデンサ素体の分解斜視図である。
【図１５】図１３に示した積層コンデンサアレイのXV−XV矢印断面の構成を説明するための図である。
【図１６】第６実施形態に係る積層コンデンサアレイの斜視図である。
【図１７】第６実施形態に係る積層コンデンサアレイに含まれるコンデンサ素体の分解斜視図である。
【図１８】図１６に示した積層コンデンサアレイのXVIII−XVIII矢印断面の構成を説明するための図である。
【図１９】第７実施形態に係る積層コンデンサアレイの斜視図である。
【図２０】第７実施形態に係る積層コンデンサアレイに含まれるコンデンサ素体の分解斜視図である。
【図２１】図１９に示した積層コンデンサアレイのXXI−XXI矢印断面の構成を説明するための図である。
【図２２】第８実施形態に係る積層コンデンサアレイの斜視図である。
【図２３】第８実施形態に係る積層コンデンサアレイに含まれるコンデンサ素体の分解斜視図である。
【図２４】図２２に示した積層コンデンサアレイのXXIV−XXIV矢印断面の構成を説明するための図である。
【図２５】第９実施形態に係る積層コンデンサアレイの斜視図である。
【図２６】第９実施形態に係る積層コンデンサアレイに含まれるコンデンサ素体の分解斜視図である。
【図２７】図２５に示した積層コンデンサアレイのXXVII−XXVII矢印断面の構成を説明するための図である。
【図２８】第１０実施形態に係る積層コンデンサアレイの斜視図である。
【図２９】第１０実施形態に係る積層コンデンサアレイに含まれるコンデンサ素体の分解斜視図である。
【図３０】図２８に示した積層コンデンサアレイのXXX−XXX矢印断面の構成を説明するための図である。
【図３１】第１１実施形態に係る積層コンデンサアレイの斜視図である。
【図３２】第１１実施形態に係る積層コンデンサアレイに含まれるコンデンサ素体の分解斜視図である。
【図３３】図３１に示した積層コンデンサアレイのXXXIII−XXXIII矢印断面の構成を説明するための図である。
【図３４】第１２実施形態に係る積層コンデンサアレイの斜視図である。
【図３５】第１２実施形態に係る積層コンデンサアレイに含まれるコンデンサ素体の分解斜視図である。
【図３６】図３４に示した積層コンデンサアレイのXXXVI−XXXVI矢印断面の構成を説明するための図である。
【図３７】第１３実施形態に係る積層コンデンサアレイの斜視図である。
【図３８】第１３実施形態に係る積層コンデンサアレイに含まれるコンデンサ素体の分解斜視図である。
【図３９】図３７に示した積層コンデンサアレイのXXXIX−XXXIX矢印断面の構成を説明するための図である。
【図４０】第１４実施形態に係る積層コンデンサアレイの斜視図である。
【図４１】第１４実施形態に係る積層コンデンサアレイに含まれるコンデンサ素体の分解斜視図である。
【図４２】図４０に示した積層コンデンサアレイのXLII−XLII矢印断面の構成を説明するための図である。
【図４３】第１５実施形態に係る積層コンデンサアレイの斜視図である。
【図４４】第１５実施形態に係る積層コンデンサアレイに含まれるコンデンサ素体の分解斜視図である。
【図４５】図４３に示した積層コンデンサアレイのXLV−XLV矢印断面の構成を説明するための図である。
【図４６】第１実施形態に係る積層コンデンサアレイの等価回路図である。
【図４７】第４実施形態に係る積層コンデンサアレイの等価回路図である。
【図４８】第１０実施形態に係る積層コンデンサアレイの等価回路図である。
【符号の説明】
【０６１５】
ＣＡ１〜ＣＡ１５…積層コンデンサアレイ、Ｌ１〜Ｌ１５…コンデンサ素体、１〜８…第１〜第８の端子電極、１０〜１８…誘電体層、２０〜５０…第１〜第４の電極群、２１〜２４…第１の内部電極、２５〜２８…第２の内部電極、３１〜３４…第３の内部電極、３５〜３８…第４の内部電極、４１〜４４…第５の内部電極、４５〜４８…第６の内部電極、５１〜５４…第７の内部電極、５５〜５８…第８の内部電極。
【図１】
2008251931.tif 000003
【図２】
2008251931.tif 000004
【図３】
2008251931.tif 000005
【図４】
2008251931.tif 000006
【図５】
2008251931.tif 000007
【図６】
2008251931.tif 000008
【図７】
2008251931.tif 000009
【図８】
2008251931.tif 000010
【図９】
2008251931.tif 000011
【図１０】
2008251931.tif 000012
【図１１】
2008251931.tif 000013
【図１２】
2008251931.tif 000014
【図１３】
2008251931.tif 000015
【図１４】
2008251931.tif 000016
【図１５】
2008251931.tif 000017
【図１６】
2008251931.tif 000018
【図１７】
2008251931.tif 000019
【図１８】
2008251931.tif 000020
【図１９】
2008251931.tif 000021
【図２０】
2008251931.tif 000022
【図２１】
2008251931.tif 000023
【図２２】
2008251931.tif 000024
【図２３】
2008251931.tif 000025
【図２４】
2008251931.tif 000026
【図２５】
2008251931.tif 000027
【図２６】
2008251931.tif 000028
【図２７】
2008251931.tif 000029
【図２８】
2008251931.tif 000030
【図２９】
2008251931.tif 000031
【図３０】
2008251931.tif 000032
【図３１】
2008251931.tif 000033
【図３２】
2008251931.tif 000034
【図３３】
2008251931.tif 000035
【図３４】
2008251931.tif 000036
【図３５】
2008251931.tif 000037
【図３６】
2008251931.tif 000038
【図３７】
2008251931.tif 000039
【図３８】
2008251931.tif 000040
【図３９】
2008251931.tif 000041
【図４０】
2008251931.tif 000042
【図４１】
2008251931.tif 000043
【図４２】
2008251931.tif 000044
【図４３】
2008251931.tif 000045
【図４４】
2008251931.tif 000046
【図４５】
2008251931.tif 000047
【図４６】
2008251931.tif 000048
【図４７】
2008251931.tif 000049
【図４８】
2008251931.tif 000050